(57)【要約】【課題】  受信者が自ら添付ファイルの内容を安全な状態で確認することができ、新種のウィルスに対する感染防止機能も発揮することができるウィルス感染防止システム、メール閲覧用プログラム、および添付ファイル閲覧用プログラムを提供する。【解決手段】  ＰＯＰサーバ５０で、添付ファイル付の電子メールをメール本文と添付ファイルとに分離し、先ず、分離されたメール本文に添付ファイルへのアクセスキーを付加または添付したメールをクライアント端末装置２０に送信し、次に、アクセスキーを伴う受信者の要求に応じ、分離された添付ファイルを安全な形式に変換してクライアント端末装置２０に送信し、端末装置２０の画面上で、受信者に対し、添付ファイル内容を安全な形式で呈示する。受信者は、内容確認後にアクセスキーにより添付ファイルを受信する。【選択図】  図２
2005157598.tif 000002
【特許請求の範囲】
【請求項１】
電子メールによるウィルス感染を防止するウィルス感染防止システムであって、
送信者から送信された電子メールを受信するＰＯＰサーバと、受信者の閲覧要求に応じて前記ＰＯＰサーバから送信されてくる前記電子メールを受信して前記受信者に閲覧させるクライアント端末装置とがネットワークで接続され、
前記ＰＯＰサーバは、
受信した前記電子メールを格納する上位メールボックスと、
この上位メールボックスに格納された前記電子メールのうち添付ファイルを付された電子メールについてメール本文と前記添付ファイルとを分離する処理を行う分離処理手段と、
この分離処理手段による分離処理で前記添付ファイルを取り除いて得られた前記メール本文に前記添付ファイルへのアクセスキーを本文自体として付加しまたは別の添付ファイルとして代替的に添付した状態の分離処理済メールを含む電子メールを格納する下位メールボックスと、
この下位メールボックスに格納された前記分離処理済メールを前記受信者の閲覧要求に応じて前記クライアント端末装置に送信する分離処理済メール送信手段と、
前記分離処理手段による分離処理で前記メール本文と分離された前記添付ファイルを保管する添付ファイル保管ボックスと、
前記分離処理手段による分離処理で前記メール本文と分離された前記添付ファイルの構成データを安全な形式のデータに変換する処理を行う変換処理手段と、
この変換処理手段による変換処理で得られた変換後データにより構成される変換後ファイルを保管する変換後ファイル保管ボックスと、
前記クライアント端末装置から変換後ファイル要求信号とともに送信されてくる前記アクセスキーに対応する前記変換後ファイルを前記変換後ファイル保管ボックスから抽出して前記クライアント端末装置に送信する変換後ファイル送信手段と、
前記クライアント端末装置から添付ファイル要求信号とともに送信されてくる前記アクセスキーに対応する前記添付ファイルを前記添付ファイル保管ボックスから抽出して前記クライアント端末装置に送信する添付ファイル送信手段とを備え、
前記クライアント端末装置は、
情報を画面表示するディスプレイ装置と、
前記受信者の閲覧要求に応じて前記ＰＯＰサーバから送信されてきた前記分離処理済メールを受信する分離処理済メール受信手段と、
この分離処理済メール受信手段により受信した前記分離処理済メールについて前記ディスプレイ装置の画面上に前記メール本文の内容を表示する処理を行う本文内容表示処理手段と、
前記分離処理済メール受信手段により受信した前記分離処理済メールに付加または添付されている前記アクセスキーを変換後ファイル要求信号とともに前記ＰＯＰサーバに送信する変換後ファイル要求信号送信手段と、
前記変換後ファイル要求信号に応じて前記ＰＯＰサーバから送信されてきた前記変換後ファイルを受信する変換後ファイル受信手段と、
この変換後ファイル受信手段により受信した前記変換後ファイルを構成する前記変換後データを用いて前記ディスプレイ装置の画面上に前記添付ファイルの内容を前記安全な形式で表示する処理を行う添付ファイル内容表示処理手段と、
この添付ファイル内容表示処理手段により表示された前記添付ファイルの内容について確認した前記受信者による添付ファイル要求信号を前記アクセスキーとともに前記ＰＯＰサーバに送信する添付ファイル要求信号送信手段と、
前記添付ファイル要求信号に応じて前記ＰＯＰサーバから送信されてきた前記添付ファイルを受信する添付ファイル受信手段とを備えた
ことを特徴とするウィルス感染防止システム。
【請求項２】
送信者から送信された電子メールを受信するＰＯＰサーバとネットワークで接続され、受信者の閲覧要求に応じて前記ＰＯＰサーバから送信されてくる前記電子メールを受信して前記受信者に閲覧させるクライアント端末装置に、前記電子メールによるウィルス感染を防止するために搭載されるメール閲覧用プログラムであって、
前記ＰＯＰサーバが、
上位メールボックスに格納された前記電子メールのうち添付ファイルを付された電子メールについてメール本文と前記添付ファイルとを分離する処理を行う分離処理手段と、
この分離処理手段による分離処理で前記添付ファイルを取り除いて得られた前記メール本文に前記添付ファイルへのアクセスキーを本文自体として付加しまたは別の添付ファイルとして代替的に添付した状態の分離処理済メールを含む電子メールを格納する下位メールボックスと、
前記分離処理手段による分離処理で前記メール本文と分離された前記添付ファイルを保管する添付ファイル保管ボックスと、
前記分離処理手段による分離処理で前記メール本文と分離された前記添付ファイルの構成データを安全な形式のデータに変換する処理を行う変換処理手段と、
この変換処理手段による変換処理で得られた変換後データにより構成される変換後ファイルを保管する変換後ファイル保管ボックスと
を備えている場合に、前記ＰＯＰサーバと前記ネットワークを介して通信を行うことにより、
前記受信者の閲覧要求に応じて前記下位メールボックスから抽出されて前記ＰＯＰサーバから送信されてきた前記分離処理済メールを受信する分離処理済メール受信手段と、
この分離処理済メール受信手段により受信した前記分離処理済メールについてディスプレイ装置の画面上に前記メール本文の内容を表示する処理を行う本文内容表示処理手段と、
前記分離処理済メール受信手段により受信した前記分離処理済メールに付加または添付されている前記アクセスキーを変換後ファイル要求信号とともに前記ＰＯＰサーバに送信する変換後ファイル要求信号送信手段と、
前記変換後ファイル要求信号に応じて前記変換後ファイル保管ボックスから抽出されて前記ＰＯＰサーバから送信されてきた前記変換後ファイルを受信する変換後ファイル受信手段と、
この変換後ファイル受信手段により受信した前記変換後ファイルを構成する前記変換後データを用いて前記ディスプレイ装置の画面上に前記添付ファイルの内容を前記安全な形式で表示する処理を行う添付ファイル内容表示処理手段と、
この添付ファイル内容表示処理手段により表示された前記添付ファイルの内容について確認した前記受信者による添付ファイル要求信号を前記アクセスキーとともに前記ＰＯＰサーバに送信する添付ファイル要求信号送信手段と、
前記添付ファイル要求信号に応じて前記添付ファイル保管ボックスから抽出されて前記ＰＯＰサーバから送信されてきた前記添付ファイルを受信する添付ファイル受信手段と
を備えたことを特徴とするクライアント端末装置として、コンピュータを機能させるためのメール閲覧用プログラム。
【請求項３】
送信者から送信された電子メールを受信するＰＯＰサーバとネットワークで接続され、受信者の閲覧要求に応じて前記ＰＯＰサーバから送信されてくる前記電子メールを受信して前記受信者に閲覧させるクライアント端末装置に、前記電子メールによるウィルス感染を防止するために搭載される添付ファイル閲覧用プログラムであって、
前記ＰＯＰサーバが、
上位メールボックスに格納された前記電子メールのうち添付ファイルを付された電子メールについてメール本文と前記添付ファイルとを分離する処理を行う分離処理手段と、
この分離処理手段による分離処理で前記添付ファイルを取り除いて得られた前記メール本文に前記添付ファイルへのアクセスキーを別の添付ファイルとして代替的に添付した状態の分離処理済メールを含む電子メールを格納する下位メールボックスと、
前記分離処理手段による分離処理で前記メール本文と分離された前記添付ファイルを保管する添付ファイル保管ボックスと、
前記分離処理手段による分離処理で前記メール本文と分離された前記添付ファイルの構成データを安全な形式のデータに変換する処理を行う変換処理手段と、
この変換処理手段による変換処理で得られた変換後データにより構成される変換後ファイルを保管する変換後ファイル保管ボックスと
を備えている場合に、前記ＰＯＰサーバと前記ネットワークを介して通信を行うことにより、
前記下位メールボックスから抽出されて前記ＰＯＰサーバから送信されてきた前記分離処理済メールに添付されている前記アクセスキーを変換後ファイル要求信号とともに前記ＰＯＰサーバに送信する変換後ファイル要求信号送信手段と、
前記変換後ファイル要求信号に応じて前記変換後ファイル保管ボックスから抽出されて前記ＰＯＰサーバから送信されてきた前記変換後ファイルを受信する変換後ファイル受信手段と、
この変換後ファイル受信手段により受信した前記変換後ファイルを構成する前記変換後データを用いてディスプレイ装置の画面上に前記添付ファイルの内容を前記安全な形式で表示する処理を行う添付ファイル内容表示処理手段と、
この添付ファイル内容表示処理手段により表示された前記添付ファイルの内容について確認した前記受信者による添付ファイル要求信号を前記アクセスキーとともに前記ＰＯＰサーバに送信する添付ファイル要求信号送信手段と、
前記添付ファイル要求信号に応じて前記添付ファイル保管ボックスから抽出されて前記ＰＯＰサーバから送信されてきた前記添付ファイルを受信する添付ファイル受信手段と
を備えたことを特徴とするクライアント端末装置として、コンピュータを機能させるための添付ファイル閲覧用プログラム。
【請求項４】
電子メールによるウィルス感染を防止するウィルス感染防止システムであって、
送信者から送信された電子メールを受信するＰＯＰサーバと、受信者の閲覧要求に応じて前記ＰＯＰサーバから送信されてくる前記電子メールを受信して前記受信者に閲覧させるクライアント端末装置とがネットワークで接続され、
前記ＰＯＰサーバは、
受信した前記電子メールを格納する上位メールボックスと、
この上位メールボックスに格納された前記電子メールのうち添付ファイルを付された電子メールについてメール本文と前記添付ファイルとを分離する処理を行う分離処理手段と、
この分離処理手段による分離処理で前記添付ファイルを取り除いて得られた前記メール本文に前記添付ファイルへのアクセスキーを本文自体として付加しまたは別の添付ファイルとして代替的に添付した状態の分離処理済メールを含む電子メールを格納する下位メールボックスと、
この下位メールボックスに格納された前記分離処理済メールを前記受信者の閲覧要求に応じて前記クライアント端末装置に送信する分離処理済メール送信手段と、
前記分離処理手段による分離処理で前記メール本文と分離された前記添付ファイルを保管する添付ファイル保管ボックスと、
前記分離処理手段による分離処理で前記メール本文と分離された前記添付ファイルの構成データを安全な形式のデータに変換する処理を行う変換処理手段と、
この変換処理手段による変換処理で得られた変換後データにより構成される変換後ファイルを保管する変換後ファイル保管ボックスと、
前記クライアント端末装置から変換後ファイル要求信号とともに送信されてくる前記アクセスキーに対応する前記変換後ファイルを前記変換後ファイル保管ボックスから抽出して前記クライアント端末装置に送信する変換後ファイル送信手段と、
前記クライアント端末装置から添付ファイル要求信号とともに送信されてくる前記アクセスキーに対応する前記添付ファイルを前記添付ファイル保管ボックスから抽出するとともにこの添付ファイルに対応する前記メール本文を前記下位メールボックスから抽出してこれらの添付ファイルとメール本文とを合成する処理を行う合成処理手段と、
この合成処理手段による合成処理で得られた合成処理済メールを前記クライアント端末装置に送信する合成処理済メール送信手段とを備え、
前記クライアント端末装置は、
情報を画面表示するディスプレイ装置と、
前記受信者の閲覧要求に応じて前記ＰＯＰサーバから送信されてきた前記分離処理済メールを受信する分離処理済メール受信手段と、
この分離処理済メール受信手段により受信した前記分離処理済メールについて前記ディスプレイ装置の画面上に前記メール本文の内容を表示する処理を行う本文内容表示処理手段と、
前記分離処理済メール受信手段により受信した前記分離処理済メールに付加または添付されている前記アクセスキーを変換後ファイル要求信号とともに前記ＰＯＰサーバに送信する変換後ファイル要求信号送信手段と、
前記変換後ファイル要求信号に応じて前記ＰＯＰサーバから送信されてきた前記変換後ファイルを受信する変換後ファイル受信手段と、
この変換後ファイル受信手段により受信した前記変換後ファイルを構成する前記変換後データを用いて前記ディスプレイ装置の画面上に前記添付ファイルの内容を前記安全な形式で表示する処理を行う添付ファイル内容表示処理手段と、
この添付ファイル内容表示処理手段により表示された前記添付ファイルの内容について確認した前記受信者による添付ファイル要求信号を前記アクセスキーとともに前記ＰＯＰサーバに送信する添付ファイル要求信号送信手段と、
前記ＰＯＰサーバから送信されてきた前記合成処理済メールを受信する合成処理済メール受信手段とを備えた
ことを特徴とするウィルス感染防止システム。
【請求項５】
送信者から送信された電子メールを受信するＰＯＰサーバとネットワークで接続され、受信者の閲覧要求に応じて前記ＰＯＰサーバから送信されてくる前記電子メールを受信して前記受信者に閲覧させるクライアント端末装置に、前記電子メールによるウィルス感染を防止するために搭載されるメール閲覧用プログラムであって、
前記ＰＯＰサーバが、
上位メールボックスに格納された前記電子メールのうち添付ファイルを付された電子メールについてメール本文と前記添付ファイルとを分離する処理を行う分離処理手段と、
この分離処理手段による分離処理で前記添付ファイルを取り除いて得られた前記メール本文に前記添付ファイルへのアクセスキーを本文自体として付加しまたは別の添付ファイルとして代替的に添付した状態の分解処理済メールを含む電子メールを格納する下位メールボックスと、
前記分離処理手段による分離処理で前記メール本文と分離された前記添付ファイルを保管する添付ファイル保管ボックスと、
前記分離処理手段による分離処理で前記メール本文と分離された前記添付ファイルの構成データを安全な形式のデータに変換する処理を行う変換処理手段と、
この変換処理手段による変換処理で得られた変換後データにより構成される変換後ファイルを保管する変換後ファイル保管ボックスと、
前記クライアント端末装置から添付ファイル要求信号とともに送信されてくる前記アクセスキーに対応する前記添付ファイルを前記添付ファイル保管ボックスから抽出するとともにこの添付ファイルに対応する前記メール本文を前記下位メールボックスから抽出してこれらの添付ファイルとメール本文とを合成する処理を行う合成処理手段と
を備えている場合に、前記ＰＯＰサーバと前記ネットワークを介して通信を行うことにより、
前記受信者の閲覧要求に応じて前記下位メールボックスから抽出されて前記ＰＯＰサーバから送信されてきた前記分離処理済メールを受信する分離処理済メール受信手段と、
この分離処理済メール受信手段により受信した前記分離処理済メールについてディスプレイ装置の画面上に前記メール本文の内容を表示する処理を行う本文内容表示処理手段と、
前記分離処理済メール受信手段により受信した前記分離処理済メールに付加または添付されている前記アクセスキーを変換後ファイル要求信号とともに前記ＰＯＰサーバに送信する変換後ファイル要求信号送信手段と、
前記変換後ファイル要求信号に応じて前記変換後ファイル保管ボックスから抽出されて前記ＰＯＰサーバから送信されてきた前記変換後ファイルを受信する変換後ファイル受信手段と、
この変換後ファイル受信手段により受信した前記変換後ファイルを構成する前記変換後データを用いて前記ディスプレイ装置の画面上に前記添付ファイルの内容を前記安全な形式で表示する処理を行う添付ファイル内容表示処理手段と、
この添付ファイル内容表示処理手段により表示された前記添付ファイルの内容について確認した前記受信者による添付ファイル要求信号を前記アクセスキーとともに前記ＰＯＰサーバに送信する添付ファイル要求信号送信手段と、
前記ＰＯＰサーバから送信されてきた合成処理済メールを受信する合成処理済メール受信手段と
を備えたことを特徴とするクライアント端末装置として、コンピュータを機能させるためのメール閲覧用プログラム。
【請求項６】
送信者から送信された電子メールを受信するＰＯＰサーバとネットワークで接続され、受信者の閲覧要求に応じて前記ＰＯＰサーバから送信されてくる前記電子メールを受信して前記受信者に閲覧させるクライアント端末装置に、前記電子メールによるウィルス感染を防止するために搭載される添付ファイル閲覧用プログラムであって、
前記ＰＯＰサーバが、
上位メールボックスに格納された前記電子メールのうち添付ファイルを付された電子メールについてメール本文と前記添付ファイルとを分離する処理を行う分離処理手段と、
この分離処理手段による分離処理で前記添付ファイルを取り除いて得られた前記メール本文に前記添付ファイルへのアクセスキーを別の添付ファイルとして代替的に添付した状態の分解処理済メールを含む電子メールを格納する下位メールボックスと、
前記分離処理手段による分離処理で前記メール本文と分離された前記添付ファイルを保管する添付ファイル保管ボックスと、
前記分離処理手段による分離処理で前記メール本文と分離された前記添付ファイルの構成データを安全な形式のデータに変換する処理を行う変換処理手段と、
この変換処理手段による変換処理で得られた変換後データにより構成される変換後ファイルを保管する変換後ファイル保管ボックスと、
前記クライアント端末装置から添付ファイル要求信号とともに送信されてくる前記アクセスキーに対応する前記添付ファイルを前記添付ファイル保管ボックスから抽出するとともにこの添付ファイルに対応する前記メール本文を前記下位メールボックスから抽出してこれらの添付ファイルとメール本文とを合成する処理を行う合成処理手段と
を備えている場合に、前記ＰＯＰサーバと前記ネットワークを介して通信を行うことにより、
前記下位メールボックスから抽出されて前記ＰＯＰサーバから送信されてきた前記分離処理済メールに添付されている前記アクセスキーを変換後ファイル要求信号とともに前記ＰＯＰサーバに送信する変換後ファイル要求信号送信手段と、
前記変換後ファイル要求信号に応じて前記変換後ファイル保管ボックスから抽出されて前記ＰＯＰサーバから送信されてきた前記変換後ファイルを受信する変換後ファイル受信手段と、
この変換後ファイル受信手段により受信した前記変換後ファイルを構成する前記変換後データを用いてディスプレイ装置の画面上に前記添付ファイルの内容を前記安全な形式で表示する処理を行う添付ファイル内容表示処理手段と、
この添付ファイル内容表示処理手段により表示された前記添付ファイルの内容について確認した前記受信者による添付ファイル要求信号を前記アクセスキーとともに前記ＰＯＰサーバに送信する添付ファイル要求信号送信手段と、
前記ＰＯＰサーバから送信されてきた合成処理済メールを受信する合成処理済メール受信手段と
を備えたことを特徴とするクライアント端末装置として、コンピュータを機能させるための添付ファイル閲覧用プログラム。
【請求項７】
電子メールによるウィルス感染を防止するウィルス感染防止システムであって、
送信者から送信された電子メールを受信するＰＯＰサーバと、受信者の閲覧要求に応じて前記ＰＯＰサーバから送信されてくる前記電子メールを受信して前記受信者に閲覧させるクライアント端末装置とがネットワークで接続され、
前記ＰＯＰサーバは、
受信した前記電子メールを格納する上位メールボックスと、
この上位メールボックスに格納された前記電子メールのうち添付ファイルを付された電子メールについてメール本文と前記添付ファイルとを分離する処理を行う分離処理手段と、
この分離処理手段による分離処理で前記添付ファイルを取り除いて得られた前記メール本文に前記添付ファイルへのアクセスキーを本文自体として付加しまたは別の添付ファイルとして代替的に添付した状態の分解処理済メールを含む電子メールを格納する下位メールボックスと、
この下位メールボックスに格納された前記分離処理済メールを前記受信者の閲覧要求に応じて前記クライアント端末装置に送信する分離処理済メール送信手段と、
前記分離処理手段による分離処理で前記メール本文と分離された前記添付ファイルを保管する添付ファイル保管ボックスと、
前記クライアント端末装置から変換後ファイル要求信号とともに送信されてくる前記アクセスキーに対応する前記添付ファイルを前記添付ファイル保管ボックスから抽出してこの抽出した前記添付ファイルの構成データを安全な形式のデータに変換する処理を行う変換処理手段と、
この変換処理手段による変換処理で得られた変換後データにより構成される変換後ファイルを前記クライアント端末装置に送信する変換後ファイル送信手段と、
前記クライアント端末装置から添付ファイル要求信号とともに送信されてくる前記アクセスキーに対応する前記添付ファイルを前記添付ファイル保管ボックスから抽出して前記クライアント端末装置に送信する添付ファイル送信手段とを備え、
前記クライアント端末装置は、
情報を画面表示するディスプレイ装置と、
前記受信者の閲覧要求に応じて前記ＰＯＰサーバから送信されてきた前記分離処理済メールを受信する分離処理済メール受信手段と、
この分離処理済メール受信手段により受信した前記分離処理済メールについて前記ディスプレイ装置の画面上に前記メール本文の内容を表示する処理を行う本文内容表示処理手段と、
前記分離処理済メール受信手段により受信した前記分離処理済メールに付加または添付されている前記アクセスキーを変換後ファイル要求信号とともに前記ＰＯＰサーバに送信する変換後ファイル要求信号送信手段と、
前記変換後ファイル要求信号に応じて前記ＰＯＰサーバから送信されてきた前記変換後ファイルを受信する変換後ファイル受信手段と、
この変換後ファイル受信手段により受信した前記変換後ファイルを構成する前記変換後データを用いて前記ディスプレイ装置の画面上に前記添付ファイルの内容を前記安全な形式で表示する処理を行う添付ファイル内容表示処理手段と、
この添付ファイル内容表示処理手段により表示された前記添付ファイルの内容について確認した前記受信者による添付ファイル要求信号を前記アクセスキーとともに前記ＰＯＰサーバに送信する添付ファイル要求信号送信手段と、
前記添付ファイル要求信号に応じて前記ＰＯＰサーバから送信されてきた前記添付ファイルを受信する添付ファイル受信手段とを備えた
ことを特徴とするウィルス感染防止システム。
【請求項８】
送信者から送信された電子メールを受信するＰＯＰサーバとネットワークで接続され、受信者の閲覧要求に応じて前記ＰＯＰサーバから送信されてくる前記電子メールを受信して前記受信者に閲覧させるクライアント端末装置に、前記電子メールによるウィルス感染を防止するために搭載されるメール閲覧用プログラムであって、
前記ＰＯＰサーバが、
上位メールボックスに格納された前記電子メールのうち添付ファイルを付された電子メールについてメール本文と前記添付ファイルとを分離する処理を行う分離処理手段と、
この分離処理手段による分離処理で前記添付ファイルを取り除いて得られた前記メール本文に前記添付ファイルへのアクセスキーを本文自体として付加しまたは別の添付ファイルとして代替的に添付した状態の分解処理済メールを含む電子メールを格納する下位メールボックスと、
前記分離処理手段による分離処理で前記メール本文と分離された前記添付ファイルを保管する添付ファイル保管ボックスと、
前記クライアント端末装置から変換後ファイル要求信号とともに送信されてくる前記アクセスキーに対応する前記添付ファイルを前記添付ファイル保管ボックスから抽出してこの抽出した前記添付ファイルの構成データを安全な形式のデータに変換する処理を行う変換処理手段と
を備えている場合に、前記ＰＯＰサーバと前記ネットワークを介して通信を行うことにより、
前記受信者の閲覧要求に応じて前記下位メールボックスから抽出されて前記ＰＯＰサーバから送信されてきた前記分離処理済メールを受信する分離処理済メール受信手段と、
この分離処理済メール受信手段により受信した前記分離処理済メールについてディスプレイ装置の画面上に前記メール本文の内容を表示する処理を行う本文内容表示処理手段と、
前記分離処理済メール受信手段により受信した前記分離処理済メールに付加または添付されている前記アクセスキーを変換後ファイル要求信号とともに前記ＰＯＰサーバに送信する変換後ファイル要求信号送信手段と、
前記変換後ファイル要求信号に応じて前記ＰＯＰサーバから送信されてきた変換後データにより構成される変換後ファイルを受信する変換後ファイル受信手段と、
この変換後ファイル受信手段により受信した前記変換後ファイルを構成する前記変換後データを用いて前記ディスプレイ装置の画面上に前記添付ファイルの内容を前記安全な形式で表示する処理を行う添付ファイル内容表示処理手段と、
この添付ファイル内容表示処理手段により表示された前記添付ファイルの内容について確認した前記受信者による添付ファイル要求信号を前記アクセスキーとともに前記ＰＯＰサーバに送信する添付ファイル要求信号送信手段と、
前記添付ファイル要求信号に応じて前記添付ファイル保管ボックスから抽出されて前記ＰＯＰサーバから送信されてきた前記添付ファイルを受信する添付ファイル受信手段と
を備えたことを特徴とするクライアント端末装置として、コンピュータを機能させるためのメール閲覧用プログラム。
【請求項９】
送信者から送信された電子メールを受信するＰＯＰサーバとネットワークで接続され、受信者の閲覧要求に応じて前記ＰＯＰサーバから送信されてくる前記電子メールを受信して前記受信者に閲覧させるクライアント端末装置に、前記電子メールによるウィルス感染を防止するために搭載される添付ファイル閲覧用プログラムであって、
前記ＰＯＰサーバが、
上位メールボックスに格納された前記電子メールのうち添付ファイルを付された電子メールについてメール本文と前記添付ファイルとを分離する処理を行う分離処理手段と、
この分離処理手段による分離処理で前記添付ファイルを取り除いて得られた前記メール本文に前記添付ファイルへのアクセスキーを別の添付ファイルとして代替的に添付した状態の分解処理済メールを含む電子メールを格納する下位メールボックスと、
前記分離処理手段による分離処理で前記メール本文と分離された前記添付ファイルを保管する添付ファイル保管ボックスと、
前記クライアント端末装置から変換後ファイル要求信号とともに送信されてくる前記アクセスキーに対応する前記添付ファイルを前記添付ファイル保管ボックスから抽出してこの抽出した前記添付ファイルの構成データを安全な形式のデータに変換する処理を行う変換処理手段と
を備えている場合に、前記ＰＯＰサーバと前記ネットワークを介して通信を行うことにより、
前記下位メールボックスから抽出されて前記ＰＯＰサーバから送信されてきた前記分離処理済メールに添付されている前記アクセスキーを変換後ファイル要求信号とともに前記ＰＯＰサーバに送信する変換後ファイル要求信号送信手段と、
前記変換後ファイル要求信号に応じて前記ＰＯＰサーバから送信されてきた変換後データにより構成される変換後ファイルを受信する変換後ファイル受信手段と、
この変換後ファイル受信手段により受信した前記変換後ファイルを構成する前記変換後データを用いてディスプレイ装置の画面上に前記添付ファイルの内容を前記安全な形式で表示する処理を行う添付ファイル内容表示処理手段と、
この添付ファイル内容表示処理手段により表示された前記添付ファイルの内容について確認した前記受信者による添付ファイル要求信号を前記アクセスキーとともに前記ＰＯＰサーバに送信する添付ファイル要求信号送信手段と、
前記添付ファイル要求信号に応じて前記添付ファイル保管ボックスから抽出されて前記ＰＯＰサーバから送信されてきた前記添付ファイルを受信する添付ファイル受信手段と
を備えたことを特徴とするクライアント端末装置として、コンピュータを機能させるための添付ファイル閲覧用プログラム。
【請求項１０】
電子メールによるウィルス感染を防止するウィルス感染防止システムであって、
送信者から送信された電子メールを受信するＰＯＰサーバと、受信者の閲覧要求に応じて前記ＰＯＰサーバから送信されてくる前記電子メールを受信して前記受信者に閲覧させるクライアント端末装置とがネットワークで接続され、
前記ＰＯＰサーバは、
受信した前記電子メールを格納する上位メールボックスと、
この上位メールボックスに格納された前記電子メールのうち添付ファイルを付された電子メールについてメール本文と前記添付ファイルとを分離する処理を行う分離処理手段と、
この分離処理手段による分離処理で前記添付ファイルを取り除いて得られた前記メール本文に前記添付ファイルへのアクセスキーを本文自体として付加しまたは別の添付ファイルとして代替的に添付した状態の分離処理済メールを含む電子メールを格納する下位メールボックスと、
この下位メールボックスに格納された前記分離処理済メールを前記受信者の閲覧要求に応じて前記クライアント端末装置に送信する分離処理済メール送信手段と、
前記分離処理手段による分離処理で前記メール本文と分離された前記添付ファイルを保管する添付ファイル保管ボックスと、
前記クライアント端末装置から変換後ファイル要求信号とともに送信されてくる前記アクセスキーに対応する前記添付ファイルを前記添付ファイル保管ボックスから抽出してこの抽出した前記添付ファイルの構成データを安全な形式のデータに変換する処理を行う変換処理手段と、
この変換処理手段による変換処理で得られた変換後データにより構成される変換後ファイルを前記クライアント端末装置に送信する変換後ファイル送信手段と、
前記クライアント端末装置から添付ファイル要求信号とともに送信されてくる前記アクセスキーに対応する前記添付ファイルを前記添付ファイル保管ボックスから抽出するとともにこの添付ファイルに対応する前記メール本文を前記下位メールボックスから抽出してこれらの添付ファイルとメール本文とを合成する処理を行う合成処理手段と、
この合成処理手段による合成処理で得られた合成処理済メールを前記クライアント端末装置に送信する合成処理済メール送信手段とを備え、
前記クライアント端末装置は、
情報を画面表示するディスプレイ装置と、
前記受信者の閲覧要求に応じて前記ＰＯＰサーバから送信されてきた前記分離処理済メールを受信する分離処理済メール受信手段と、
この分離処理済メール受信手段により受信した前記分離処理済メールについて前記ディスプレイ装置の画面上に前記メール本文の内容を表示する処理を行う本文内容表示処理手段と、
前記分離処理済メール受信手段により受信した前記分離処理済メールに付加または添付されている前記アクセスキーを変換後ファイル要求信号とともに前記ＰＯＰサーバに送信する変換後ファイル要求信号送信手段と、
前記変換後ファイル要求信号に応じて前記ＰＯＰサーバから送信されてきた前記変換後ファイルを受信する変換後ファイル受信手段と、
この変換後ファイル受信手段により受信した前記変換後ファイルを構成する前記変換後データを用いて前記ディスプレイ装置の画面上に前記添付ファイルの内容を前記安全な形式で表示する処理を行う添付ファイル内容表示処理手段と、
この添付ファイル内容表示処理手段により表示された前記添付ファイルの内容について確認した前記受信者による添付ファイル要求信号を前記アクセスキーとともに前記ＰＯＰサーバに送信する添付ファイル要求信号送信手段と、
前記ＰＯＰサーバから送信されてきた前記合成処理済メールを受信する合成処理済メール受信手段とを備えた
ことを特徴とするウィルス感染防止システム。
【請求項１１】
送信者から送信された電子メールを受信するＰＯＰサーバとネットワークで接続され、受信者の閲覧要求に応じて前記ＰＯＰサーバから送信されてくる前記電子メールを受信して前記受信者に閲覧させるクライアント端末装置に、前記電子メールによるウィルス感染を防止するために搭載されるメール閲覧用プログラムであって、
前記ＰＯＰサーバが、
上位メールボックスに格納された前記電子メールのうち添付ファイルを付された電子メールについてメール本文と前記添付ファイルとを分離する処理を行う分離処理手段と、
この分離処理手段による分離処理で前記添付ファイルを取り除いて得られた前記メール本文に前記添付ファイルへのアクセスキーを本文自体として付加しまたは別の添付ファイルとして代替的に添付した状態の分離処理済メールを含む電子メールを格納する下位メールボックスと、
前記分離処理手段による分離処理で前記メール本文と分離された前記添付ファイルを保管する添付ファイル保管ボックスと、
前記クライアント端末装置から変換後ファイル要求信号とともに送信されてくる前記アクセスキーに対応する前記添付ファイルを前記添付ファイル保管ボックスから抽出してこの抽出した前記添付ファイルの構成データを安全な形式のデータに変換する処理を行う変換処理手段と、
前記クライアント端末装置から添付ファイル要求信号とともに送信されてくる前記アクセスキーに対応する前記添付ファイルを前記添付ファイル保管ボックスから抽出するとともにこの添付ファイルに対応する前記メール本文を前記下位メールボックスから抽出してこれらの添付ファイルとメール本文とを合成する処理を行う合成処理手段と
を備えている場合に、前記ＰＯＰサーバと前記ネットワークを介して通信を行うことにより、
前記受信者の閲覧要求に応じて前記下位メールボックスから抽出されて前記ＰＯＰサーバから送信されてきた前記分離処理済メールを受信する分離処理済メール受信手段と、
この分離処理済メール受信手段により受信した前記分離処理済メールについてディスプレイ装置の画面上に前記メール本文の内容を表示する処理を行う本文内容表示処理手段と、
前記分離処理済メール受信手段により受信した前記分離処理済メールに付加または添付されている前記アクセスキーを変換後ファイル要求信号とともに前記ＰＯＰサーバに送信する変換後ファイル要求信号送信手段と、
前記変換後ファイル要求信号に応じて前記ＰＯＰサーバから送信されてきた変換後データにより構成される変換後ファイルを受信する変換後ファイル受信手段と、
この変換後ファイル受信手段により受信した前記変換後ファイルを構成する前記変換後データを用いて前記ディスプレイ装置の画面上に前記添付ファイルの内容を前記安全な形式で表示する処理を行う添付ファイル内容表示処理手段と、
この添付ファイル内容表示処理手段により表示された前記添付ファイルの内容について確認した前記受信者による添付ファイル要求信号を前記アクセスキーとともに前記ＰＯＰサーバに送信する添付ファイル要求信号送信手段と、
前記ＰＯＰサーバから送信されてきた合成処理済メールを受信する合成処理済メール受信手段と
を備えたことを特徴とするクライアント端末装置として、コンピュータを機能させるためのメール閲覧用プログラム。
【請求項１２】
送信者から送信された電子メールを受信するＰＯＰサーバとネットワークで接続され、受信者の閲覧要求に応じて前記ＰＯＰサーバから送信されてくる前記電子メールを受信して前記受信者に閲覧させるクライアント端末装置に、前記電子メールによるウィルス感染を防止するために搭載される添付ファイル閲覧用プログラムであって、
前記ＰＯＰサーバが、
上位メールボックスに格納された前記電子メールのうち添付ファイルを付された電子メールについてメール本文と前記添付ファイルとを分離する処理を行う分離処理手段と、
この分離処理手段による分離処理で前記添付ファイルを取り除いて得られた前記メール本文に前記添付ファイルへのアクセスキーを別の添付ファイルとして代替的に添付した状態の分離処理済メールを含む電子メールを格納する下位メールボックスと、
前記分離処理手段による分離処理で前記メール本文と分離された前記添付ファイルを保管する添付ファイル保管ボックスと、
前記クライアント端末装置から変換後ファイル要求信号とともに送信されてくる前記アクセスキーに対応する前記添付ファイルを前記添付ファイル保管ボックスから抽出してこの抽出した前記添付ファイルの構成データを安全な形式のデータに変換する処理を行う変換処理手段と、
前記クライアント端末装置から添付ファイル要求信号とともに送信されてくる前記アクセスキーに対応する前記添付ファイルを前記添付ファイル保管ボックスから抽出するとともにこの添付ファイルに対応する前記メール本文を前記下位メールボックスから抽出してこれらの添付ファイルとメール本文とを合成する処理を行う合成処理手段と
を備えている場合に、前記ＰＯＰサーバと前記ネットワークを介して通信を行うことにより、
前記下位メールボックスから抽出されて前記ＰＯＰサーバから送信されてきた前記分離処理済メールに添付されている前記アクセスキーを変換後ファイル要求信号とともに前記ＰＯＰサーバに送信する変換後ファイル要求信号送信手段と、
前記変換後ファイル要求信号に応じて前記ＰＯＰサーバから送信されてきた変換後データにより構成される変換後ファイルを受信する変換後ファイル受信手段と、
この変換後ファイル受信手段により受信した前記変換後ファイルを構成する前記変換後データを用いて前記ディスプレイ装置の画面上に前記添付ファイルの内容を前記安全な形式で表示する処理を行う添付ファイル内容表示処理手段と、
この添付ファイル内容表示処理手段により表示された前記添付ファイルの内容について確認した前記受信者による添付ファイル要求信号を前記アクセスキーとともに前記ＰＯＰサーバに送信する添付ファイル要求信号送信手段と、
前記ＰＯＰサーバから送信されてきた合成処理済メールを受信する合成処理済メール受信手段と
を備えたことを特徴とするクライアント端末装置として、コンピュータを機能させるための添付ファイル閲覧用プログラム。
【請求項１３】
電子メールによるウィルス感染を防止するウィルス感染防止システムであって、
送信者から送信された電子メールを受信するＰＯＰサーバと、受信者の閲覧要求に応じて前記ＰＯＰサーバから送信されてくる前記電子メールを受信して前記受信者に閲覧させるクライアント端末装置とがネットワークで接続され、
前記ＰＯＰサーバは、
受信した前記電子メールを格納する上位メールボックスと、
この上位メールボックスに格納された前記電子メールのうち添付ファイルを付された電子メールについてメール本文と前記添付ファイルとを分離する処理を行う分離処理手段と、
この分離処理手段による分離処理で前記添付ファイルを取り除いて得られた前記メール本文に前記添付ファイルへのアクセスキーを本文自体として付加しまたは別の添付ファイルとして代替的に添付した状態の分離処理済メールを含む電子メールを格納する下位メールボックスと、
この下位メールボックスに格納された前記分離処理済メールを前記受信者の閲覧要求に応じて前記クライアント端末装置に送信する分離処理済メール送信手段と、
前記分離処理手段による分離処理で前記メール本文と分離された前記添付ファイルを保管する添付ファイル保管ボックスと、
前記クライアント端末装置から添付ファイル要求信号とともに送信されてくる前記アクセスキーに対応する前記添付ファイルを前記添付ファイル保管ボックスから抽出して前記クライアント端末装置に送信する添付ファイル送信手段とを備え、
前記クライアント端末装置は、
情報を画面表示するディスプレイ装置と、
前記受信者の閲覧要求に応じて前記ＰＯＰサーバから送信されてきた前記分離処理済メールを受信する分離処理済メール受信手段と、
この分離処理済メール受信手段により受信した前記分離処理済メールについて前記ディスプレイ装置の画面上に前記メール本文の内容を表示する処理を行う本文内容表示処理手段と、
前記分離処理済メール受信手段により受信した前記分離処理済メールに付加または添付されている前記アクセスキーを添付ファイル要求信号とともに前記ＰＯＰサーバに送信する添付ファイル要求信号送信手段と、
前記添付ファイル要求信号に応じて前記ＰＯＰサーバから送信されてきた前記添付ファイルを受信する添付ファイル受信手段と、
この添付ファイル受信手段により受信した前記添付ファイルの構成データを安全な形式のデータに変換する処理を行う変換処理手段と、
この変換処理手段による変換処理で得られた変換後データを用いて前記ディスプレイ装置の画面上に前記添付ファイルの内容を前記安全な形式で表示する処理を行う添付ファイル内容表示処理手段とを備えた
ことを特徴とするウィルス感染防止システム。
【請求項１４】
送信者から送信された電子メールを受信するＰＯＰサーバとネットワークで接続され、受信者の閲覧要求に応じて前記ＰＯＰサーバから送信されてくる前記電子メールを受信して前記受信者に閲覧させるクライアント端末装置に、前記電子メールによるウィルス感染を防止するために搭載されるメール閲覧用プログラムであって、
前記ＰＯＰサーバが、
上位メールボックスに格納された前記電子メールのうち添付ファイルを付された電子メールについてメール本文と前記添付ファイルとを分離する処理を行う分離処理手段と、
この分離処理手段による分離処理で前記添付ファイルを取り除いて得られた前記メール本文に前記添付ファイルへのアクセスキーを本文自体として付加しまたは別の添付ファイルとして代替的に添付した状態の分離処理済メールを含む電子メールを格納する下位メールボックスと、
前記分離処理手段による分離処理で前記メール本文と分離された前記添付ファイルを保管する添付ファイル保管ボックスと
を備えている場合に、前記ＰＯＰサーバと前記ネットワークを介して通信を行うことにより、
前記受信者の閲覧要求に応じて前記下位メールボックスから抽出されて前記ＰＯＰサーバから送信されてきた前記分離処理済メールを受信する分離処理済メール受信手段と、
この分離処理済メール受信手段により受信した前記分離処理済メールについてディスプレイ装置の画面上に前記メール本文の内容を表示する処理を行う本文内容表示処理手段と、
前記分離処理済メール受信手段により受信した前記分離処理済メールに付加または添付されている前記アクセスキーを添付ファイル要求信号とともに前記ＰＯＰサーバに送信する添付ファイル要求信号送信手段と、
前記添付ファイル要求信号に応じて前記添付ファイル保管ボックスから抽出されて前記ＰＯＰサーバから送信されてきた前記添付ファイルを受信する添付ファイル受信手段と、
この添付ファイル受信手段により受信した前記添付ファイルの構成データを安全な形式のデータに変換する処理を行う変換処理手段と、
この変換処理手段による変換処理で得られた変換後データを用いて前記ディスプレイ装置の画面上に前記添付ファイルの内容を前記安全な形式で表示する処理を行う添付ファイル内容表示処理手段と
を備えたことを特徴とするクライアント端末装置として、コンピュータを機能させるためのメール閲覧用プログラム。
【請求項１５】
送信者から送信された電子メールを受信するＰＯＰサーバとネットワークで接続され、受信者の閲覧要求に応じて前記ＰＯＰサーバから送信されてくる前記電子メールを受信して前記受信者に閲覧させるクライアント端末装置に、前記電子メールによるウィルス感染を防止するために搭載される添付ファイル閲覧用プログラムであって、
前記ＰＯＰサーバが、
上位メールボックスに格納された前記電子メールのうち添付ファイルを付された電子メールについてメール本文と前記添付ファイルとを分離する処理を行う分離処理手段と、
この分離処理手段による分離処理で前記添付ファイルを取り除いて得られた前記メール本文に前記添付ファイルへのアクセスキーを別の添付ファイルとして代替的に添付した状態の分離処理済メールを含む電子メールを格納する下位メールボックスと、
前記分離処理手段による分離処理で前記メール本文と分離された前記添付ファイルを保管する添付ファイル保管ボックスと
を備えている場合に、前記ＰＯＰサーバと前記ネットワークを介して通信を行うことにより、
前記下位メールボックスから抽出されて前記ＰＯＰサーバから送信されてきた前記分離処理済メールに添付されている前記アクセスキーを添付ファイル要求信号とともに前記ＰＯＰサーバに送信する添付ファイル要求信号送信手段と、
前記添付ファイル要求信号に応じて前記添付ファイル保管ボックスから抽出されて前記ＰＯＰサーバから送信されてきた前記添付ファイルを受信する添付ファイル受信手段と、
この添付ファイル受信手段により受信した前記添付ファイルの構成データを安全な形式のデータに変換する処理を行う変換処理手段と、
この変換処理手段による変換処理で得られた変換後データを用いて前記ディスプレイ装置の画面上に前記添付ファイルの内容を前記安全な形式で表示する処理を行う添付ファイル内容表示処理手段と
を備えたことを特徴とするクライアント端末装置として、コンピュータを機能させるための添付ファイル閲覧用プログラム。
【請求項１６】
送信者から送信された電子メールを受信するＰＯＰサーバとネットワークで接続され、受信者の閲覧要求に応じて前記ＰＯＰサーバから送信されてくる前記電子メールを受信して前記受信者に閲覧させるクライアント端末装置に、前記電子メールによるウィルス感染を防止するために搭載されるメール閲覧用プログラムであって、
前記受信者の閲覧要求に応じてメールボックスから抽出されて前記ＰＯＰサーバから送信されてきた前記電子メールを受信するメール受信手段と、
このメール受信手段により受信した前記電子メールについてディスプレイ装置の画面上にメール本文の内容を表示する処理を行う本文内容表示処理手段と、
前記メール受信手段により受信した前記電子メールのうち添付ファイルを付された電子メールについて添付ファイル部分のデータを安全な形式のデータに変換する処理を行う変換処理手段と、
この変換処理手段による変換処理で得られた変換後データを用いて前記ディスプレイ装置の画面上に前記添付ファイルの内容を前記安全な形式で表示する処理を行う添付ファイル内容表示処理手段と
を備えたことを特徴とするクライアント端末装置として、コンピュータを機能させるためのメール閲覧用プログラム。
【請求項１７】
送信者から送信された電子メールを受信するとともに受信者の閲覧要求に応じて前記電子メールをメール閲覧用プログラムが搭載されたクライアント端末装置に送信するＰＯＰサーバに、前記電子メールによるウィルス感染を防止するために設けられるウィルス感染防止システムであって、
上位メールボックスに格納された前記電子メールのうち添付ファイルを付された電子メールについて添付ファイル部分のデータを安全な形式のデータに変換する処理を行う変換処理手段と、
この変換処理手段による変換処理で得られた変換後データを前記電子メールのメール本文の後ろの位置に前記メール閲覧用プログラムによりメール本文と認識される状態で付加する処理を行う変換後データ付加処理手段と、
この変換後データ付加処理手段による付加処理で得られた変換後データ付加処理済メールを格納する下位メールボックスと、
前記受信者の閲覧要求に応じて前記下位メールボックスから前記変換後データ付加処理済メールを抽出して前記クライアント端末装置に送信する変換後データ付加処理済メール送信手段と
を備えたことを特徴とするウィルス感染防止システム。
【請求項１８】
送信者から送信された電子メールを受信するとともに受信者の閲覧要求に応じて前記電子メールをメール閲覧用プログラムが搭載されたクライアント端末装置に送信するＰＯＰサーバに、前記電子メールによるウィルス感染を防止するために設けられるウィルス感染防止システムであって、
上位メールボックスに格納された前記電子メールのうち添付ファイルを付された電子メールについて添付ファイル部分のデータを安全な形式のデータに変換する処理を行う変換処理手段と、
この変換処理手段による変換処理で得られた変換後データにより構成される変換後ファイルを前記電子メールに別の添付ファイルとして追加的に添付する処理を行う変換後ファイル添付処理手段と、
この変換後ファイル添付処理手段による添付処理で得られた変換後ファイル添付処理済メールを格納する下位メールボックスと、
前記受信者の閲覧要求に応じて前記下位メールボックスから前記変換後ファイル添付処理済メールを抽出して前記クライアント端末装置に送信する変換後ファイル添付処理済メール送信手段と
を備えたことを特徴とするウィルス感染防止システム。
【請求項１９】
前記安全な形式のデータは、テキスト形式のデータであることを特徴とする請求項１，４，７，１０，１３，１７，１８のいずれかに記載のウィルス感染防止システム。
【発明の詳細な説明】
【技術分野】
【０００１】
本発明は、電子メールによるウィルス感染を防止するウィルス感染防止システム、並びにこのウィルス感染防止システムを構成するメール閲覧用プログラムおよび添付ファイル閲覧用プログラムに係り、受信者が自分宛の電子メールをＰＯＰサーバから受信してクライアント端末装置で閲覧する場合のウィルス感染防止に利用できる。
【背景技術】
【０００２】
従来より、電子メールによるウィルス感染防止対策として、ＰＯＰ（Post Office Protocol）サーバから受信者の操作するクライアント端末装置に電子メールを送信する前に、ＰＯＰサーバにおいて、ＳＭＴＰ（Simple Mail Transfer Protocol）サーバから受信した電子メールを、ウィルス駆除ソフトウェアによりパターンファイルと照合し、ウィルスが発見された場合にそれを駆除する処理が行われている。
【０００３】
また、ウィルス感染防止に関するシステムとしては、ウィルスチェック用テーブルおよび添付ファイル処理用テーブルを備えることで、受信された添付ファイルのウィルスチェックおよび所望のファイル名の添付ファイルに対する所望の処理動作の自動実行を行うシステム（特許文献１参照）、処理センタにおいて、電子メールを受信したユーザの依頼に基づきウィルスの検出を行い、ウィルスが検出されたときに必要に応じて除去処理を行い、ウィルスが検出された添付ファイルについてユーザの承諾のもとに画像送信等により内容の開示処理を行うシステム（特許文献２参照）が提案されている。
【０００４】
さらに、トレンドマイクロ社のホームページには、マイクロソフト社のマイクロソフトアウトルック（登録商標）の機能として、「添付ファイルのセキュリティ」の設定を「高」にすると、安全ではない可能性のある添付ファイルを開く際に警告を発する旨、ウィルス感染の危険性のある３８種類のタイプの添付ファイルがブロックされ、ユーザが不注意でファイルをうっかり開いてしまうことがなくなる旨の記載がある（非特許文献１参照）。
【０００５】
【特許文献１】特開２００１−１３４４３３号公報（段落［００１７］、［００２１］、［００２２］、［００２８］、図１、要約）
【特許文献２】特開２００２−３６６４８７号公報（段落［０００４］、［０００６］、［０００７］、図３、図４、要約）
【非特許文献１】トレンドマイクロ株式会社、“添付ファイルをローカルディスクに保存しウィルスチェック後開く”、［online］、トレンドマイクロホームページ、［平成１５年９月２２日検索］、インターネット＜ＵＲＬ：http://www.trendmicro.com/jp/security/general/winsec/office/winsec4.htm＞
【発明の開示】
【発明が解決しようとする課題】
【０００６】
しかしながら、従来から行われているウィルス感染防止対策では、電子メールの受信に際し、ウィルスに感染した添付ファイルのうち、ウィルス駆除ソフトウェアにより駆除できない新種のウィルスに感染したものについては、そのまま受信者の操作するクライアント端末装置へ配信されてしまい、セキュリティレベルの低いクライアント端末装置では、ウィルスに感染してしまっているのが現状である。
【０００７】
また、前述した特許文献１に記載されたシステムの場合にも、電子メールに付された添付ファイルについて、そのファイル名が、ウィルスチェック用テーブルに登録されたウィルス感染の可能性のあるファイル名と一致するか否かによりウィルスチェックを行うので、結局、ウィルスチェック用テーブルに登録されているウィルスに対するチェック機能しか働かず、新種のウィルスに対する感染防止機能を発揮することはできない。そして、特許文献１には、添付ファイル処理用テーブルに登録されたファイル名の添付ファイルに対し、設定された処理動作である「内容の参照」が実行される旨の記載があるが、これはアプリケーションを自動実行してファイルの内容を確認する処理であり、アプリケーションを実行して予め設定された処理動作を行うだけなので、やはり新種のウィルスに対応できる処理を行うものではない。なお、この「内容の参照」という処理動作によるファイル内容の確認処理は、受信者に対してファイル内容を呈示したり、内容の確認を求める処理ではない。
【０００８】
さらに、前述した特許文献２に記載されたシステムの場合にも、処理センタのサーバによりウィルス検出や除去処理を行うので、サーバに記憶されたアンチウィルスソフト群やワクチンソフト群で対応できない新種のウィルスについては、検出や除去処理を行うことができない。また、処理センタのサーバは、ウィルスが検出された添付ファイルの内容を見たいか否かをユーザに問い合わせ、ユーザの承諾があれば、画像送信等により内容の開示処理を行うが、そもそも新種のウィルスのようにサーバでウィルスが検出されないものについては、ユーザに対する内容の開示処理は行われないので、ユーザは、その内容を確認することはできない。そして、このシステムでは、ユーザが不審な添付ファイルを含む電子メールを受信したときに、処理センタにウィルス検出や除去処理を依頼するので、そもそもユーザが不審であると思わない場合には、処理センタでのウィルス検出は行われないという問題がある。従って、ユーザ自らが、添付ファイルの内容を安全な環境下で確認でき、添付ファイルが不審なものであるか否かを自ら判断できるシステムが望まれる。
【０００９】
また、前述した非特許文献１のホームページ上の記載も同様であり、登録された形式の添付ファイルに対する警告やブロックしか行われず、また、受信者が添付ファイルの内容を確認することはできないので、新種のウィルスに対する感染防止機能としては充分ではない。
【００１０】
本発明の目的は、受信者が自ら添付ファイルの内容を安全な状態で確認することができ、新種のウィルスに対する感染防止機能も発揮することができるウィルス感染防止システム、メール閲覧用プログラム、および添付ファイル閲覧用プログラムを提供するところにある。
【課題を解決するための手段】
【００１１】
本発明は、添付ファイルの構成データを安全な形式のデータに変換し、クライアント端末装置の画面上で、受信者に対し、添付ファイルの内容を安全な形式で呈示することにより前記目的を達成しようとするものである。
【００１２】
具体的には、本発明は、電子メールによるウィルス感染を防止するウィルス感染防止システムであって、送信者から送信された電子メールを受信するＰＯＰサーバと、受信者の閲覧要求に応じてＰＯＰサーバから送信されてくる電子メールを受信して受信者に閲覧させるクライアント端末装置とがネットワークで接続され、ＰＯＰサーバは、受信した電子メールを格納する上位メールボックスと、この上位メールボックスに格納された電子メールのうち添付ファイルを付された電子メールについてメール本文と添付ファイルとを分離する処理を行う分離処理手段と、この分離処理手段による分離処理で添付ファイルを取り除いて得られたメール本文に添付ファイルへのアクセスキーを本文自体として付加しまたは別の添付ファイルとして代替的に添付した状態の分離処理済メールを含む電子メールを格納する下位メールボックスと、この下位メールボックスに格納された分離処理済メールを受信者の閲覧要求に応じてクライアント端末装置に送信する分離処理済メール送信手段と、分離処理手段による分離処理でメール本文と分離された添付ファイルを保管する添付ファイル保管ボックスと、分離処理手段による分離処理でメール本文と分離された添付ファイルの構成データを安全な形式のデータに変換する処理を行う変換処理手段と、この変換処理手段による変換処理で得られた変換後データにより構成される変換後ファイルを保管する変換後ファイル保管ボックスと、クライアント端末装置から変換後ファイル要求信号とともに送信されてくるアクセスキーに対応する変換後ファイルを変換後ファイル保管ボックスから抽出してクライアント端末装置に送信する変換後ファイル送信手段と、クライアント端末装置から添付ファイル要求信号とともに送信されてくるアクセスキーに対応する添付ファイルを添付ファイル保管ボックスから抽出してクライアント端末装置に送信する添付ファイル送信手段とを備え、クライアント端末装置は、情報を画面表示するディスプレイ装置と、受信者の閲覧要求に応じてＰＯＰサーバから送信されてきた分離処理済メールを受信する分離処理済メール受信手段と、この分離処理済メール受信手段により受信した分離処理済メールについてディスプレイ装置の画面上にメール本文の内容を表示する処理を行う本文内容表示処理手段と、分離処理済メール受信手段により受信した分離処理済メールに付加または添付されているアクセスキーを変換後ファイル要求信号とともにＰＯＰサーバに送信する変換後ファイル要求信号送信手段と、変換後ファイル要求信号に応じてＰＯＰサーバから送信されてきた変換後ファイルを受信する変換後ファイル受信手段と、この変換後ファイル受信手段により受信した変換後ファイルを構成する変換後データを用いてディスプレイ装置の画面上に添付ファイルの内容を安全な形式で表示する処理を行う添付ファイル内容表示処理手段と、この添付ファイル内容表示処理手段により表示された添付ファイルの内容について確認した受信者による添付ファイル要求信号をアクセスキーとともにＰＯＰサーバに送信する添付ファイル要求信号送信手段と、添付ファイル要求信号に応じてＰＯＰサーバから送信されてきた添付ファイルを受信する添付ファイル受信手段とを備えたことを特徴とするものである。
【００１３】
ここで、「送信者から送信された電子メール」とは、インターネット経由で送信されてくる電子メールに限らず、イントラネット内での電子メールの送信も含まれる。以下の発明においても同様である。
【００１４】
また、「ネットワーク」とは、インターネット、イントラネット、エクストラネット、あるいはこれらの組合せ、さらにはこれらと、例えば、ローカル・エリア・ネットワーク（ＬＡＮ）、メトロポリタン・エリア・ネットワーク（ＭＡＮ）、ワイド・エリア・ネットワーク（ＷＡＮ）等との組合せであり、有線であるか無線であるか、あるいは有線および無線の混在型であるかは問わない。
【００１５】
さらに、「電子メールを受信するＰＯＰサーバ」の「受信する」とは、送信者のＳＭＴＰサーバから電子メールを直接に受信することのみならず、別のＰＯＰサーバで一旦受信した電子メールを取り込むことも含まれる。以下の発明においても同様である。
【００１６】
そして、「添付ファイルへのアクセスキー」とは、添付ファイルまたはその変換後ファイルにアクセスするためのキーとなる情報であり、例えば、アルファベット、数字、ひらがな文字、カタカナ文字、漢字、ギリシャ文字、各種記号等の組合せであり、添付ファイルの名称そのものや、添付ファイルの名称を含む情報であってもよい。以下の発明においても同様である。
【００１７】
また、「アクセスキーを本文自体として付加しまたは別の添付ファイルとして代替的に添付した状態」とは、アクセスキーをメール本文の構成要素として、例えば、元のメール本文の後ろの位置等に添付した状態、または取り除かれた元の添付ファイルの代わりに、アクセスキーを含む別の添付ファイルを添付した状態をいう。以下の発明においても同様である。
【００１８】
さらに、「分離処理済メールを含む電子メールを格納する下位メールボックス」とは、下位メールボックスには、分離処理済メールのみならず、元々、添付ファイルが付されていなかった電子メールも格納されるという意味である。以下の発明においても同様である。
【００１９】
そして、「変換処理手段」は、分離処理手段による分離処理でメール本文と分離され、一旦、添付ファイル保管ボックスに保管された添付ファイルを変換してもよく、あるいは分離処理手段による分離処理でメール本文と分離された添付ファイルを直接に変換してもよい。
【００２０】
また、「分離処理済メール受信手段」および「本文内容表示処理手段」は、既存のメール閲覧用プログラム（いわゆるメーラー）を用いて実現してもよい。既存のメール閲覧用プログラムとしては、例えば、マイクロソフト社のマイクロソフトアウトルックやアウトルックエクスプレス（各登録商標）、ネットスケープ・コミュニケーションズ社のネットスケープナビゲータ（登録商標）等を用いることができる。以下の発明においても同様である。
【００２１】
さらに、「変換後ファイル要求信号送信手段」は、受信者の要求に基づき変換後ファイル要求信号を送信する構成でもよく、受信者の要求無しに自動的に変換後ファイル要求信号を送信する構成でもよい。但し、本文内容表示処理手段により表示されたメール本文の閲覧だけで用が済む場合や、メール本文だけを急いで閲覧したい場合等もあるので、無用なデータの送受信を回避する等の観点からは、受信者の要求に基づき変換後ファイル要求信号を送信する構成とすることが好ましい。以下の発明においても同様である。
【００２２】
このような本発明のウィルス感染防止システム（例えば、後述する図２の場合等）においては、ＰＯＰサーバで、分離処理手段により、上位メールボックスに格納された電子メールのうち添付ファイルを付された電子メールについてメール本文と添付ファイルとを分離する処理を行い、分離されたメール本文にアクセスキーを付加または添付した状態の分離処理済メールを下位メールボックスに格納するとともに、分離された添付ファイルを添付ファイル保管ボックスに保管しておく。また、ＰＯＰサーバで、変換処理手段により、分離された添付ファイルの構成データを安全な形式のデータに変換し、この変換後データにより構成される変換後ファイルを変換後ファイル保管ボックスに保管しておく。
【００２３】
そして、ＰＯＰサーバは、分離処理済メール送信手段により、受信者の閲覧要求に応じてアクセスキーを含む分離処理済メールをクライアント端末装置に送信し、クライアント端末装置は、分離処理済メール受信手段により、この分離処理済メールを受信し、本文内容表示処理手段により、ディスプレイ装置の画面上に分離処理済メールのメール本文の内容を表示する。
【００２４】
続いて、クライアント端末装置は、変換後ファイル要求信号送信手段により、アクセスキーを変換後ファイル要求信号とともにＰＯＰサーバに送信し、ＰＯＰサーバは、変換後ファイル送信手段により、アクセスキーに対応する変換後ファイルを変換後ファイル保管ボックスから抽出してクライアント端末装置に送信する。
【００２５】
その後、クライアント端末装置は、変換後ファイル受信手段により、変換後ファイルを受信し、添付ファイル内容表示処理手段により、変換後ファイルを構成する変換後データを用いてディスプレイ装置の画面上に添付ファイルの内容を安全な形式で表示する。そして、受信者による添付ファイル内容の確認が行われた後、添付ファイル要求信号送信手段により、受信者による添付ファイル要求信号をアクセスキーとともにＰＯＰサーバに送信する。ＰＯＰサーバは、添付ファイル送信手段により、アクセスキーに対応する添付ファイルを添付ファイル保管ボックスから抽出してクライアント端末装置に送信し、クライアント端末装置は、添付ファイル受信手段により、この添付ファイルを受信する。
【００２６】
従って、受信者は、クライアント端末装置のディスプレイ装置の画面上で、添付ファイルの内容を安全な形式に変換された状態で確認することができるので、受信者自らが添付ファイルを受信するか否かを判断することが可能となる。このため、既存のウィルスを対象として行われるウィルス駆除処理により駆除することができない新種のウィルスであっても発見することが可能となり、ウィルス感染防止機能の向上が図られる。
【００２７】
また、メール本文と添付ファイルとが分離されるので、受信者は、例えばメール本文のみを閲覧すれば用が済む場合やメール本文のみを急いで閲覧したい場合等には、添付ファイルを受信しないという選択も可能となり、無用な送受信やそれに伴う時間の無駄を避けることができ、電子メールの効率的な活用が図られるうえ、ウィルス感染の可能性のある添付ファイルをクライアント端末装置に運んでこないという選択が可能となるため、電子メールの、より安全な利用が実現され、これらにより前記目的が達成される。
【００２８】
なお、以上に述べた発明を、ＰＯＰサーバでメール本文と添付ファイルとの分離処理があり、ＰＯＰサーバで安全な形式への変換処理を予め行い、添付ファイルを分離されたままの状態で受信するという意味で、以下において「分離あり・サーバで予め変換・分離受信」の発明というものとする。
【００２９】
また、以上に述べた「分離あり・サーバで予め変換・分離受信」の発明を構成するためにクライアント端末装置に常時または一時的に搭載され、実行されるソフトウェアとして、以下のような本発明のメール閲覧用プログラム、および本発明の添付ファイル閲覧用プログラムが挙げられる。
【００３０】
すなわち、本発明は、送信者から送信された電子メールを受信するＰＯＰサーバとネットワークで接続され、受信者の閲覧要求に応じてＰＯＰサーバから送信されてくる電子メールを受信して受信者に閲覧させるクライアント端末装置に、電子メールによるウィルス感染を防止するために搭載されるメール閲覧用プログラムであって、ＰＯＰサーバが、上位メールボックスに格納された電子メールのうち添付ファイルを付された電子メールについてメール本文と添付ファイルとを分離する処理を行う分離処理手段と、この分離処理手段による分離処理で添付ファイルを取り除いて得られたメール本文に添付ファイルへのアクセスキーを本文自体として付加しまたは別の添付ファイルとして代替的に添付した状態の分離処理済メールを含む電子メールを格納する下位メールボックスと、分離処理手段による分離処理でメール本文と分離された添付ファイルを保管する添付ファイル保管ボックスと、分離処理手段による分離処理でメール本文と分離された添付ファイルの構成データを安全な形式のデータに変換する処理を行う変換処理手段と、この変換処理手段による変換処理で得られた変換後データにより構成される変換後ファイルを保管する変換後ファイル保管ボックスとを備えている場合に、ＰＯＰサーバとネットワークを介して通信を行うことにより、受信者の閲覧要求に応じて下位メールボックスから抽出されてＰＯＰサーバから送信されてきた分離処理済メールを受信する分離処理済メール受信手段と、この分離処理済メール受信手段により受信した分離処理済メールについてディスプレイ装置の画面上にメール本文の内容を表示する処理を行う本文内容表示処理手段と、分離処理済メール受信手段により受信した分離処理済メールに付加または添付されているアクセスキーを変換後ファイル要求信号とともにＰＯＰサーバに送信する変換後ファイル要求信号送信手段と、変換後ファイル要求信号に応じて変換後ファイル保管ボックスから抽出されてＰＯＰサーバから送信されてきた変換後ファイルを受信する変換後ファイル受信手段と、この変換後ファイル受信手段により受信した変換後ファイルを構成する変換後データを用いてディスプレイ装置の画面上に添付ファイルの内容を安全な形式で表示する処理を行う添付ファイル内容表示処理手段と、この添付ファイル内容表示処理手段により表示された添付ファイルの内容について確認した受信者による添付ファイル要求信号をアクセスキーとともにＰＯＰサーバに送信する添付ファイル要求信号送信手段と、添付ファイル要求信号に応じて添付ファイル保管ボックスから抽出されてＰＯＰサーバから送信されてきた添付ファイルを受信する添付ファイル受信手段とを備えたことを特徴とするクライアント端末装置として、コンピュータを機能させるためのものである。
【００３１】
また、本発明は、送信者から送信された電子メールを受信するＰＯＰサーバとネットワークで接続され、受信者の閲覧要求に応じてＰＯＰサーバから送信されてくる電子メールを受信して受信者に閲覧させるクライアント端末装置に、電子メールによるウィルス感染を防止するために搭載される添付ファイル閲覧用プログラムであって、ＰＯＰサーバが、上位メールボックスに格納された電子メールのうち添付ファイルを付された電子メールについてメール本文と添付ファイルとを分離する処理を行う分離処理手段と、この分離処理手段による分離処理で添付ファイルを取り除いて得られたメール本文に添付ファイルへのアクセスキーを別の添付ファイルとして代替的に添付した状態の分離処理済メールを含む電子メールを格納する下位メールボックスと、分離処理手段による分離処理でメール本文と分離された添付ファイルを保管する添付ファイル保管ボックスと、分離処理手段による分離処理でメール本文と分離された添付ファイルの構成データを安全な形式のデータに変換する処理を行う変換処理手段と、この変換処理手段による変換処理で得られた変換後データにより構成される変換後ファイルを保管する変換後ファイル保管ボックスとを備えている場合に、ＰＯＰサーバとネットワークを介して通信を行うことにより、下位メールボックスから抽出されてＰＯＰサーバから送信されてきた分離処理済メールに添付されているアクセスキーを変換後ファイル要求信号とともにＰＯＰサーバに送信する変換後ファイル要求信号送信手段と、変換後ファイル要求信号に応じて変換後ファイル保管ボックスから抽出されてＰＯＰサーバから送信されてきた変換後ファイルを受信する変換後ファイル受信手段と、この変換後ファイル受信手段により受信した変換後ファイルを構成する変換後データを用いてディスプレイ装置の画面上に添付ファイルの内容を安全な形式で表示する処理を行う添付ファイル内容表示処理手段と、この添付ファイル内容表示処理手段により表示された添付ファイルの内容について確認した受信者による添付ファイル要求信号を前記アクセスキーとともに前記ＰＯＰサーバに送信する添付ファイル要求信号送信手段と、添付ファイル要求信号に応じて添付ファイル保管ボックスから抽出されてＰＯＰサーバから送信されてきた添付ファイルを受信する添付ファイル受信手段とを備えたことを特徴とするクライアント端末装置として、コンピュータを機能させるためのものである。
【００３２】
なお、このような添付ファイル閲覧用プログラムは、既存のメール閲覧用プログラムと組み合わせて用いてもよい。
【００３３】
さらに、本発明は、電子メールによるウィルス感染を防止するウィルス感染防止システムであって、送信者から送信された電子メールを受信するＰＯＰサーバと、受信者の閲覧要求に応じてＰＯＰサーバから送信されてくる電子メールを受信して受信者に閲覧させるクライアント端末装置とがネットワークで接続され、ＰＯＰサーバは、受信した電子メールを格納する上位メールボックスと、この上位メールボックスに格納された電子メールのうち添付ファイルを付された電子メールについてメール本文と添付ファイルとを分離する処理を行う分離処理手段と、この分離処理手段による分離処理で添付ファイルを取り除いて得られたメール本文に添付ファイルへのアクセスキーを本文自体として付加しまたは別の添付ファイルとして代替的に添付した状態の分離処理済メールを含む電子メールを格納する下位メールボックスと、この下位メールボックスに格納された分離処理済メールを受信者の閲覧要求に応じてクライアント端末装置に送信する分離処理済メール送信手段と、分離処理手段による分離処理でメール本文と分離された添付ファイルを保管する添付ファイル保管ボックスと、分離処理手段による分離処理でメール本文と分離された添付ファイルの構成データを安全な形式のデータに変換する処理を行う変換処理手段と、この変換処理手段による変換処理で得られた変換後データにより構成される変換後ファイルを保管する変換後ファイル保管ボックスと、クライアント端末装置から変換後ファイル要求信号とともに送信されてくるアクセスキーに対応する変換後ファイルを変換後ファイル保管ボックスから抽出してクライアント端末装置に送信する変換後ファイル送信手段と、クライアント端末装置から添付ファイル要求信号とともに送信されてくるアクセスキーに対応する添付ファイルを添付ファイル保管ボックスから抽出するとともにこの添付ファイルに対応するメール本文を下位メールボックスから抽出してこれらの添付ファイルとメール本文とを合成する処理を行う合成処理手段と、この合成処理手段による合成処理で得られた合成処理済メールをクライアント端末装置に送信する合成処理済メール送信手段とを備え、クライアント端末装置は、情報を画面表示するディスプレイ装置と、受信者の閲覧要求に応じてＰＯＰサーバから送信されてきた分離処理済メールを受信する分離処理済メール受信手段と、この分離処理済メール受信手段により受信した分離処理済メールについてディスプレイ装置の画面上にメール本文の内容を表示する処理を行う本文内容表示処理手段と、分離処理済メール受信手段により受信した分離処理済メールに付加または添付されているアクセスキーを変換後ファイル要求信号とともにＰＯＰサーバに送信する変換後ファイル要求信号送信手段と、変換後ファイル要求信号に応じてＰＯＰサーバから送信されてきた変換後ファイルを受信する変換後ファイル受信手段と、この変換後ファイル受信手段により受信した変換後ファイルを構成する変換後データを用いてディスプレイ装置の画面上に添付ファイルの内容を安全な形式で表示する処理を行う添付ファイル内容表示処理手段と、この添付ファイル内容表示処理手段により表示された添付ファイルの内容について確認した受信者による添付ファイル要求信号をアクセスキーとともにＰＯＰサーバに送信する添付ファイル要求信号送信手段と、ＰＯＰサーバから送信されてきた合成処理済メールを受信する合成処理済メール受信手段とを備えたことを特徴とするものである。
【００３４】
ここで、「合成処理済メール送信手段」は、合成処理手段による合成処理で得られた合成処理済メールを、クライアント端末装置から送信されてくる受信者による合成処理済メール要求信号（メールの再受信の要求信号となる。）に応じてクライアント端末装置に送信する構成でもよく、あるいは受信者による合成処理済メール要求信号無しに自動的に合成処理済メールをクライアント端末装置に送信する構成でもよい。前者の場合には、合成処理手段による合成処理で得られた合成処理済メールを、分離処理済メールが格納される下位メールボックスに格納しておき、クライアント端末装置から送信されてくる受信者による合成処理済メール要求信号をＰＯＰサーバで受信し、下位メールボックスから該当する合成処理済メールを抽出し、この抽出した合成処理済メールをクライアント端末装置に送信する構成とすることが好ましい。従って、前者の場合には、受信者の閲覧要求に応じて下位メールボックスから該当メールを抽出してクライアント端末装置に送信するという機能面からすれば、ＰＯＰサーバの「合成処理済メール送信手段」と「分離処理済メール送信手段」とは、同様な処理を行うことになり、また、クライアント端末装置の「合成処理済メール受信手段」と「分離処理済メール受信手段」とについても、同様な処理を行うことになる。以下の発明においても同様である。
【００３５】
また、「変換処理手段」は、分離処理手段による分離処理でメール本文と分離され、一旦、添付ファイル保管ボックスに保管された添付ファイルを変換してもよく、あるいは分離処理手段による分離処理でメール本文と分離された添付ファイルを直接に変換してもよい。
【００３６】
このような本発明のウィルス感染防止システム（例えば、後述する図１０の場合等）においては、前述した「分離あり・サーバで予め変換・分離受信」の発明（例えば、後述する図２の場合等）に対し、添付ファイル内容表示処理手段により、変換後ファイルを構成する変換後データを用いてディスプレイ装置の画面上に添付ファイルの内容を安全な形式で表示するまでの処理内容は同じであり、それ以降の添付ファイルの受信の仕方が異なるのみである。すなわち、前述した「分離あり・サーバで予め変換・分離受信」の発明では、添付ファイルを受信する際には、メール本文と分離されたままの状態で受信するのに対し、この発明では、以下のようにして対応するメール本文と合成し、再び、一体化して受信する。
【００３７】
この発明では、受信者による添付ファイル内容の確認が行われた後、添付ファイル要求信号送信手段により、受信者による添付ファイル要求信号をアクセスキーとともにＰＯＰサーバに送信する。ＰＯＰサーバは、合成処理手段により、アクセスキーに対応する添付ファイルを添付ファイル保管ボックスから抽出するとともにこの添付ファイルに対応するメール本文を下位メールボックスから抽出してこれらの添付ファイルとメール本文とを合成する処理を行う。そして、ＰＯＰサーバは、合成処理済メール送信手段により、合成処理済メールをクライアント端末装置に送信し、クライアント端末装置は、合成処理済メール受信手段により、合成処理済メールを受信する。
【００３８】
従って、前述した「分離あり・サーバで予め変換・分離受信」の発明の場合と同様に、安全な形式で添付ファイルの内容を確認できる効果、受信者自らが添付ファイルを受信するか否かを判断できる効果、新種のウィルスに対応できる効果およびこれに伴うウィルス感染防止機能の向上効果、メール本文と添付ファイルとの分離による無用な送受信の回避効果や無駄時間の削減効果およびこれに伴う電子メールの効率的な活用効果、ウィルス感染の可能性のある添付ファイルをクライアント端末装置に運ばないことによる電子メールの安全利用効果が得られ、これらにより前記目的が達成される。
【００３９】
なお、上記の発明を、ＰＯＰサーバでメール本文と添付ファイルとの分離処理があり、ＰＯＰサーバで安全な形式への変換処理を予め行い、添付ファイルをメール本文と合成して受信するという意味で、以下において「分離あり・サーバで予め変換・合成受信」の発明というものとする。
【００４０】
また、上記の「分離あり・サーバで予め変換・合成受信」の発明を構成するためにクライアント端末装置に常時または一時的に搭載され、実行されるソフトウェアとして、以下のような本発明のメール閲覧用プログラム、および本発明の添付ファイル閲覧用プログラムが挙げられる。
【００４１】
すなわち、本発明は、送信者から送信された電子メールを受信するＰＯＰサーバとネットワークで接続され、受信者の閲覧要求に応じてＰＯＰサーバから送信されてくる電子メールを受信して受信者に閲覧させるクライアント端末装置に、電子メールによるウィルス感染を防止するために搭載されるメール閲覧用プログラムであって、ＰＯＰサーバが、上位メールボックスに格納された電子メールのうち添付ファイルを付された電子メールについてメール本文と添付ファイルとを分離する処理を行う分離処理手段と、この分離処理手段による分離処理で添付ファイルを取り除いて得られたメール本文に添付ファイルへのアクセスキーを本文自体として付加しまたは別の添付ファイルとして代替的に添付した状態の分解処理済メールを含む電子メールを格納する下位メールボックスと、分離処理手段による分離処理でメール本文と分離された添付ファイルを保管する添付ファイル保管ボックスと、分離処理手段による分離処理でメール本文と分離された添付ファイルの構成データを安全な形式のデータに変換する処理を行う変換処理手段と、この変換処理手段による変換処理で得られた変換後データにより構成される変換後ファイルを保管する変換後ファイル保管ボックスと、クライアント端末装置から添付ファイル要求信号とともに送信されてくるアクセスキーに対応する添付ファイルを添付ファイル保管ボックスから抽出するとともにこの添付ファイルに対応するメール本文を前記下位メールボックスから抽出してこれらの添付ファイルとメール本文とを合成する処理を行う合成処理手段とを備えている場合に、ＰＯＰサーバとネットワークを介して通信を行うことにより、受信者の閲覧要求に応じて下位メールボックスから抽出されてＰＯＰサーバから送信されてきた分離処理済メールを受信する分離処理済メール受信手段と、この分離処理済メール受信手段により受信した分離処理済メールについてディスプレイ装置の画面上にメール本文の内容を表示する処理を行う本文内容表示処理手段と、分離処理済メール受信手段により受信した分離処理済メールに付加または添付されているアクセスキーを変換後ファイル要求信号とともにＰＯＰサーバに送信する変換後ファイル要求信号送信手段と、変換後ファイル要求信号に応じて変換後ファイル保管ボックスから抽出されてＰＯＰサーバから送信されてきた変換後ファイルを受信する変換後ファイル受信手段と、この変換後ファイル受信手段により受信した変換後ファイルを構成する変換後データを用いてディスプレイ装置の画面上に添付ファイルの内容を安全な形式で表示する処理を行う添付ファイル内容表示処理手段と、この添付ファイル内容表示処理手段により表示された添付ファイルの内容について確認した前記受信者による添付ファイル要求信号を前記アクセスキーとともにＰＯＰサーバに送信する添付ファイル要求信号送信手段と、ＰＯＰサーバから送信されてきた合成処理済メールを受信する合成処理済メール受信手段とを備えたことを特徴とするクライアント端末装置として、コンピュータを機能させるためのものである。
【００４２】
また、本発明は、送信者から送信された電子メールを受信するＰＯＰサーバとネットワークで接続され、受信者の閲覧要求に応じてＰＯＰサーバから送信されてくる電子メールを受信して受信者に閲覧させるクライアント端末装置に、電子メールによるウィルス感染を防止するために搭載される添付ファイル閲覧用プログラムであって、ＰＯＰサーバが、上位メールボックスに格納された電子メールのうち添付ファイルを付された電子メールについてメール本文と添付ファイルとを分離する処理を行う分離処理手段と、この分離処理手段による分離処理で添付ファイルを取り除いて得られたメール本文に添付ファイルへのアクセスキーを別の添付ファイルとして代替的に添付した状態の分解処理済メールを含む電子メールを格納する下位メールボックスと、分離処理手段による分離処理でメール本文と分離された添付ファイルを保管する添付ファイル保管ボックスと、分離処理手段による分離処理でメール本文と分離された添付ファイルの構成データを安全な形式のデータに変換する処理を行う変換処理手段と、この変換処理手段による変換処理で得られた変換後データにより構成される変換後ファイルを保管する変換後ファイル保管ボックスと、クライアント端末装置から添付ファイル要求信号とともに送信されてくるアクセスキーに対応する添付ファイルを添付ファイル保管ボックスから抽出するとともにこの添付ファイルに対応するメール本文を下位メールボックスから抽出してこれらの添付ファイルとメール本文とを合成する処理を行う合成処理手段とを備えている場合に、ＰＯＰサーバとネットワークを介して通信を行うことにより、下位メールボックスから抽出されてＰＯＰサーバから送信されてきた分離処理済メールに添付されているアクセスキーを変換後ファイル要求信号とともにＰＯＰサーバに送信する変換後ファイル要求信号送信手段と、変換後ファイル要求信号に応じて変換後ファイル保管ボックスから抽出されてＰＯＰサーバから送信されてきた変換後ファイルを受信する変換後ファイル受信手段と、この変換後ファイル受信手段により受信した変換後ファイルを構成する変換後データを用いてディスプレイ装置の画面上に添付ファイルの内容を安全な形式で表示する処理を行う添付ファイル内容表示処理手段と、この添付ファイル内容表示処理手段により表示された添付ファイルの内容について確認した受信者による添付ファイル要求信号をアクセスキーとともにＰＯＰサーバに送信する添付ファイル要求信号送信手段と、ＰＯＰサーバから送信されてきた合成処理済メールを受信する合成処理済メール受信手段とを備えたことを特徴とするクライアント端末装置として、コンピュータを機能させるためのものである。
【００４３】
そして、本発明は、電子メールによるウィルス感染を防止するウィルス感染防止システムであって、送信者から送信された電子メールを受信するＰＯＰサーバと、受信者の閲覧要求に応じてＰＯＰサーバから送信されてくる電子メールを受信して受信者に閲覧させるクライアント端末装置とがネットワークで接続され、ＰＯＰサーバは、受信した電子メールを格納する上位メールボックスと、この上位メールボックスに格納された電子メールのうち添付ファイルを付された電子メールについてメール本文と添付ファイルとを分離する処理を行う分離処理手段と、この分離処理手段による分離処理で添付ファイルを取り除いて得られたメール本文に添付ファイルへのアクセスキーを本文自体として付加しまたは別の添付ファイルとして代替的に添付した状態の分解処理済メールを含む電子メールを格納する下位メールボックスと、この下位メールボックスに格納された分離処理済メールを受信者の閲覧要求に応じてクライアント端末装置に送信する分離処理済メール送信手段と、分離処理手段による分離処理でメール本文と分離された添付ファイルを保管する添付ファイル保管ボックスと、クライアント端末装置から変換後ファイル要求信号とともに送信されてくるアクセスキーに対応する添付ファイルを添付ファイル保管ボックスから抽出してこの抽出した添付ファイルの構成データを安全な形式のデータに変換する処理を行う変換処理手段と、この変換処理手段による変換処理で得られた変換後データにより構成される変換後ファイルをクライアント端末装置に送信する変換後ファイル送信手段と、クライアント端末装置から添付ファイル要求信号とともに送信されてくるアクセスキーに対応する添付ファイルを添付ファイル保管ボックスから抽出してクライアント端末装置に送信する添付ファイル送信手段とを備え、クライアント端末装置は、情報を画面表示するディスプレイ装置と、受信者の閲覧要求に応じてＰＯＰサーバから送信されてきた分離処理済メールを受信する分離処理済メール受信手段と、この分離処理済メール受信手段により受信した分離処理済メールについてディスプレイ装置の画面上にメール本文の内容を表示する処理を行う本文内容表示処理手段と、分離処理済メール受信手段により受信した分離処理済メールに付加または添付されているアクセスキーを変換後ファイル要求信号とともにＰＯＰサーバに送信する変換後ファイル要求信号送信手段と、変換後ファイル要求信号に応じてＰＯＰサーバから送信されてきた変換後ファイルを受信する変換後ファイル受信手段と、この変換後ファイル受信手段により受信した変換後ファイルを構成する変換後データを用いてディスプレイ装置の画面上に添付ファイルの内容を安全な形式で表示する処理を行う添付ファイル内容表示処理手段と、この添付ファイル内容表示処理手段により表示された添付ファイルの内容について確認した受信者による添付ファイル要求信号をアクセスキーとともにＰＯＰサーバに送信する添付ファイル要求信号送信手段と、添付ファイル要求信号に応じてＰＯＰサーバから送信されてきた添付ファイルを受信する添付ファイル受信手段とを備えたことを特徴とするものである。
【００４４】
このような本発明のウィルス感染防止システム（例えば、後述する図１６の場合等）においては、前述した「分離あり・サーバで予め変換・分離受信」の発明（例えば、後述する図２の場合等）に対し、ＰＯＰサーバでの変換処理の手順が異なるのみである。すなわち、前述した「分離あり・サーバで予め変換・分離受信」の発明では、ＰＯＰサーバで、添付ファイルの構成データを安全な形式のデータに予め変換し、この変換後データにより構成される変換後ファイルを変換後ファイル保管ボックスに保管しておき、受信者によるアクセスキーを含む変換後ファイル要求信号を受けて、そのアクセスキーに対応する変換後ファイルを変換後ファイル保管ボックスから抽出してクライアント端末装置に送信するのに対し、この発明では、予め変換して保管しておくのではなく、以下のようにして受信者からの変換後ファイル要求信号を受けたときに変換処理を逐次行う。
【００４５】
この発明では、クライアント端末装置から、変換後ファイル要求信号送信手段により、アクセスキーを変換後ファイル要求信号とともにＰＯＰサーバに送信し、ＰＯＰサーバは、この変換後ファイル要求信号およびアクセスキーを受信すると、変換処理手段により、アクセスキーに対応する添付ファイルを添付ファイル保管ボックスから抽出し、この抽出した添付ファイルの構成データを安全な形式のデータに変換する処理を行った後、変換後ファイル送信手段により、変換後データにより構成される変換後ファイルをクライアント端末装置に送信する。
【００４６】
従って、前述した「分離あり・サーバで予め変換・分離受信」の発明の場合と同様に、安全な形式で添付ファイルの内容を確認できる効果、受信者自らが添付ファイルを受信するか否かを判断できる効果、新種のウィルスに対応できる効果およびこれに伴うウィルス感染防止機能の向上効果、メール本文と添付ファイルとの分離による無用な送受信の回避効果や無駄時間の削減効果およびこれに伴う電子メールの効率的な活用効果、ウィルス感染の可能性のある添付ファイルをクライアント端末装置に運ばないことによる電子メールの安全利用効果が得られ、これらにより前記目的が達成される。
【００４７】
なお、上記の発明を、ＰＯＰサーバでメール本文と添付ファイルとの分離処理があり、ＰＯＰサーバで安全な形式への変換処理を逐次行い、添付ファイルを分離されたままの状態で受信するという意味で、以下において「分離あり・サーバで逐次変換・分離受信」の発明というものとする。
【００４８】
また、上記の「分離あり・サーバで逐次変換・分離受信」の発明を構成するためにクライアント端末装置に常時または一時的に搭載され、実行されるソフトウェアとして、以下のような本発明のメール閲覧用プログラム、および本発明の添付ファイル閲覧用プログラムが挙げられる。
【００４９】
すなわち、本発明は、送信者から送信された電子メールを受信するＰＯＰサーバとネットワークで接続され、受信者の閲覧要求に応じてＰＯＰサーバから送信されてくる電子メールを受信して前記受信者に閲覧させるクライアント端末装置に、電子メールによるウィルス感染を防止するために搭載されるメール閲覧用プログラムであって、ＰＯＰサーバが、上位メールボックスに格納された電子メールのうち添付ファイルを付された電子メールについてメール本文と添付ファイルとを分離する処理を行う分離処理手段と、この分離処理手段による分離処理で添付ファイルを取り除いて得られたメール本文に添付ファイルへのアクセスキーを本文自体として付加しまたは別の添付ファイルとして代替的に添付した状態の分解処理済メールを含む電子メールを格納する下位メールボックスと、分離処理手段による分離処理でメール本文と分離された添付ファイルを保管する添付ファイル保管ボックスと、クライアント端末装置から変換後ファイル要求信号とともに送信されてくるアクセスキーに対応する添付ファイルを添付ファイル保管ボックスから抽出してこの抽出した添付ファイルの構成データを安全な形式のデータに変換する処理を行う変換処理手段とを備えている場合に、ＰＯＰサーバとネットワークを介して通信を行うことにより、受信者の閲覧要求に応じて下位メールボックスから抽出されてＰＯＰサーバから送信されてきた分離処理済メールを受信する分離処理済メール受信手段と、この分離処理済メール受信手段により受信した分離処理済メールについてディスプレイ装置の画面上にメール本文の内容を表示する処理を行う本文内容表示処理手段と、分離処理済メール受信手段により受信した分離処理済メールに付加または添付されているアクセスキーを変換後ファイル要求信号とともにＰＯＰサーバに送信する変換後ファイル要求信号送信手段と、変換後ファイル要求信号に応じてＰＯＰサーバから送信されてきた変換後データにより構成される変換後ファイルを受信する変換後ファイル受信手段と、この変換後ファイル受信手段により受信した変換後ファイルを構成する変換後データを用いてディスプレイ装置の画面上に添付ファイルの内容を安全な形式で表示する処理を行う添付ファイル内容表示処理手段と、この添付ファイル内容表示処理手段により表示された添付ファイルの内容について確認した受信者による添付ファイル要求信号をアクセスキーとともにＰＯＰサーバに送信する添付ファイル要求信号送信手段と、添付ファイル要求信号に応じて添付ファイル保管ボックスから抽出されてＰＯＰサーバから送信されてきた添付ファイルを受信する添付ファイル受信手段とを備えたことを特徴とするクライアント端末装置として、コンピュータを機能させるためのものである。
【００５０】
また、本発明は、送信者から送信された電子メールを受信するＰＯＰサーバとネットワークで接続され、受信者の閲覧要求に応じてＰＯＰサーバから送信されてくる電子メールを受信して受信者に閲覧させるクライアント端末装置に、電子メールによるウィルス感染を防止するために搭載される添付ファイル閲覧用プログラムであって、ＰＯＰサーバが、上位メールボックスに格納された電子メールのうち添付ファイルを付された電子メールについてメール本文と添付ファイルとを分離する処理を行う分離処理手段と、この分離処理手段による分離処理で添付ファイルを取り除いて得られたメール本文に添付ファイルへのアクセスキーを別の添付ファイルとして代替的に添付した状態の分解処理済メールを含む電子メールを格納する下位メールボックスと、分離処理手段による分離処理でメール本文と分離された添付ファイルを保管する添付ファイル保管ボックスと、クライアント端末装置から変換後ファイル要求信号とともに送信されてくるアクセスキーに対応する添付ファイルを添付ファイル保管ボックスから抽出してこの抽出した添付ファイルの構成データを安全な形式のデータに変換する処理を行う変換処理手段とを備えている場合に、ＰＯＰサーバとネットワークを介して通信を行うことにより、下位メールボックスから抽出されてＰＯＰサーバから送信されてきた分離処理済メールに添付されているアクセスキーを変換後ファイル要求信号とともにＰＯＰサーバに送信する変換後ファイル要求信号送信手段と、変換後ファイル要求信号に応じてＰＯＰサーバから送信されてきた変換後データにより構成される変換後ファイルを受信する変換後ファイル受信手段と、この変換後ファイル受信手段により受信した変換後ファイルを構成する変換後データを用いてディスプレイ装置の画面上に添付ファイルの内容を安全な形式で表示する処理を行う添付ファイル内容表示処理手段と、この添付ファイル内容表示処理手段により表示された添付ファイルの内容について確認した受信者による添付ファイル要求信号をアクセスキーとともにＰＯＰサーバに送信する添付ファイル要求信号送信手段と、添付ファイル要求信号に応じて添付ファイル保管ボックスから抽出されてＰＯＰサーバから送信されてきた添付ファイルを受信する添付ファイル受信手段とを備えたことを特徴とするクライアント端末装置として、コンピュータを機能させるためのものである。
【００５１】
また、本発明は、電子メールによるウィルス感染を防止するウィルス感染防止システムであって、送信者から送信された電子メールを受信するＰＯＰサーバと、受信者の閲覧要求に応じて前記ＰＯＰサーバから送信されてくる電子メールを受信して受信者に閲覧させるクライアント端末装置とがネットワークで接続され、ＰＯＰサーバは、受信した電子メールを格納する上位メールボックスと、この上位メールボックスに格納された電子メールのうち添付ファイルを付された電子メールについてメール本文と添付ファイルとを分離する処理を行う分離処理手段と、この分離処理手段による分離処理で添付ファイルを取り除いて得られたメール本文に添付ファイルへのアクセスキーを本文自体として付加しまたは別の添付ファイルとして代替的に添付した状態の分離処理済メールを含む電子メールを格納する下位メールボックスと、この下位メールボックスに格納された分離処理済メールを受信者の閲覧要求に応じてクライアント端末装置に送信する分離処理済メール送信手段と、分離処理手段による分離処理でメール本文と分離された添付ファイルを保管する添付ファイル保管ボックスと、クライアント端末装置から変換後ファイル要求信号とともに送信されてくるアクセスキーに対応する添付ファイルを添付ファイル保管ボックスから抽出してこの抽出した添付ファイルの構成データを安全な形式のデータに変換する処理を行う変換処理手段と、この変換処理手段による変換処理で得られた変換後データにより構成される変換後ファイルをクライアント端末装置に送信する変換後ファイル送信手段と、クライアント端末装置から添付ファイル要求信号とともに送信されてくるアクセスキーに対応する添付ファイルを添付ファイル保管ボックスから抽出するとともにこの添付ファイルに対応するメール本文を下位メールボックスから抽出してこれらの添付ファイルとメール本文とを合成する処理を行う合成処理手段と、この合成処理手段による合成処理で得られた合成処理済メールをクライアント端末装置に送信する合成処理済メール送信手段とを備え、クライアント端末装置は、情報を画面表示するディスプレイ装置と、受信者の閲覧要求に応じてＰＯＰサーバから送信されてきた分離処理済メールを受信する分離処理済メール受信手段と、この分離処理済メール受信手段により受信した分離処理済メールについてディスプレイ装置の画面上にメール本文の内容を表示する処理を行う本文内容表示処理手段と、分離処理済メール受信手段により受信した分離処理済メールに付加または添付されているアクセスキーを変換後ファイル要求信号とともにＰＯＰサーバに送信する変換後ファイル要求信号送信手段と、変換後ファイル要求信号に応じてＰＯＰサーバから送信されてきた変換後ファイルを受信する変換後ファイル受信手段と、この変換後ファイル受信手段により受信した変換後ファイルを構成する変換後データを用いてディスプレイ装置の画面上に添付ファイルの内容を安全な形式で表示する処理を行う添付ファイル内容表示処理手段と、この添付ファイル内容表示処理手段により表示された添付ファイルの内容について確認した受信者による添付ファイル要求信号をアクセスキーとともにＰＯＰサーバに送信する添付ファイル要求信号送信手段と、ＰＯＰサーバから送信されてきた合成処理済メールを受信する合成処理済メール受信手段とを備えたことを特徴とするものである。
【００５２】
このような本発明のウィルス感染防止システム（例えば、後述する図１７の場合等）においては、前述した「分離あり・サーバで逐次変換・分離受信」の発明（例えば、後述する図１６の場合等）に対し、添付ファイル内容表示処理手段により、変換後ファイルを構成する変換後データを用いてディスプレイ装置の画面上に添付ファイルの内容を安全な形式で表示するまでの処理内容は同じであり、それ以降の添付ファイルの受信の仕方が異なるのみである。すなわち、前述した「分離あり・サーバで逐次変換・分離受信」の発明では、添付ファイルを受信する際には、メール本文と分離されたままの状態で受信するのに対し、この発明では、以下のようにして対応するメール本文と合成し、再び、一体化して受信する。
【００５３】
この発明では、受信者による添付ファイル内容の確認が行われた後、添付ファイル要求信号送信手段により、受信者による添付ファイル要求信号をアクセスキーとともにＰＯＰサーバに送信する。ＰＯＰサーバは、合成処理手段により、アクセスキーに対応する添付ファイルを添付ファイル保管ボックスから抽出するとともにこの添付ファイルに対応するメール本文を下位メールボックスから抽出してこれらの添付ファイルとメール本文とを合成する処理を行う。そして、ＰＯＰサーバは、合成処理済メール送信手段により、合成処理済メールをクライアント端末装置に送信し、クライアント端末装置は、合成処理済メール受信手段により、合成処理済メールを受信する。なお、このような合成処理済メールによる添付ファイルの受信の仕方は、前述した「分離あり・サーバで予め変換・合成受信」の発明（例えば、後述する図１０の場合等）の場合と同様である。
【００５４】
従って、前述した「分離あり・サーバで逐次変換・分離受信」の発明の場合と同様に、安全な形式で添付ファイルの内容を確認できる効果、受信者自らが添付ファイルを受信するか否かを判断できる効果、新種のウィルスに対応できる効果およびこれに伴うウィルス感染防止機能の向上効果、メール本文と添付ファイルとの分離による無用な送受信の回避効果や無駄時間の削減効果およびこれに伴う電子メールの効率的な活用効果、ウィルス感染の可能性のある添付ファイルをクライアント端末装置に運ばないことによる電子メールの安全利用効果が得られ、これらにより前記目的が達成される。
【００５５】
なお、上記の発明を、ＰＯＰサーバでメール本文と添付ファイルとの分離処理があり、ＰＯＰサーバで安全な形式への変換処理を逐次行い、添付ファイルをメール本文と合成して受信するという意味で、以下において「分離あり・サーバで逐次変換・合成受信」の発明というものとする。
【００５６】
また、上記の「分離あり・サーバで逐次変換・合成受信」の発明を構成するためにクライアント端末装置に常時または一時的に搭載され、実行されるソフトウェアとして、以下のような本発明のメール閲覧用プログラム、および本発明の添付ファイル閲覧用プログラムが挙げられる。
【００５７】
すなわち、本発明は、送信者から送信された電子メールを受信するＰＯＰサーバとネットワークで接続され、受信者の閲覧要求に応じてＰＯＰサーバから送信されてくる電子メールを受信して受信者に閲覧させるクライアント端末装置に、電子メールによるウィルス感染を防止するために搭載されるメール閲覧用プログラムであって、ＰＯＰサーバが、上位メールボックスに格納された電子メールのうち添付ファイルを付された電子メールについてメール本文と添付ファイルとを分離する処理を行う分離処理手段と、この分離処理手段による分離処理で添付ファイルを取り除いて得られたメール本文に添付ファイルへのアクセスキーを本文自体として付加しまたは別の添付ファイルとして代替的に添付した状態の分離処理済メールを含む電子メールを格納する下位メールボックスと、分離処理手段による分離処理でメール本文と分離された添付ファイルを保管する添付ファイル保管ボックスと、クライアント端末装置から変換後ファイル要求信号とともに送信されてくるアクセスキーに対応する添付ファイルを添付ファイル保管ボックスから抽出してこの抽出した添付ファイルの構成データを安全な形式のデータに変換する処理を行う変換処理手段と、クライアント端末装置から添付ファイル要求信号とともに送信されてくるアクセスキーに対応する添付ファイルを添付ファイル保管ボックスから抽出するとともにこの添付ファイルに対応するメール本文を下位メールボックスから抽出してこれらの添付ファイルとメール本文とを合成する処理を行う合成処理手段とを備えている場合に、ＰＯＰサーバとネットワークを介して通信を行うことにより、受信者の閲覧要求に応じて下位メールボックスから抽出されてＰＯＰサーバから送信されてきた分離処理済メールを受信する分離処理済メール受信手段と、この分離処理済メール受信手段により受信した分離処理済メールについてディスプレイ装置の画面上にメール本文の内容を表示する処理を行う本文内容表示処理手段と、分離処理済メール受信手段により受信した分離処理済メールに付加または添付されているアクセスキーを変換後ファイル要求信号とともにＰＯＰサーバに送信する変換後ファイル要求信号送信手段と、変換後ファイル要求信号に応じてＰＯＰサーバから送信されてきた変換後データにより構成される変換後ファイルを受信する変換後ファイル受信手段と、この変換後ファイル受信手段により受信した変換後ファイルを構成する変換後データを用いてディスプレイ装置の画面上に添付ファイルの内容を安全な形式で表示する処理を行う添付ファイル内容表示処理手段と、この添付ファイル内容表示処理手段により表示された添付ファイルの内容について確認した受信者による添付ファイル要求信号をアクセスキーとともにＰＯＰサーバに送信する添付ファイル要求信号送信手段と、ＰＯＰサーバから送信されてきた合成処理済メールを受信する合成処理済メール受信手段とを備えたことを特徴とするクライアント端末装置として、コンピュータを機能させるためのものである。
【００５８】
また、本発明は、送信者から送信された電子メールを受信するＰＯＰサーバとネットワークで接続され、受信者の閲覧要求に応じてＰＯＰサーバから送信されてくる電子メールを受信して受信者に閲覧させるクライアント端末装置に、電子メールによるウィルス感染を防止するために搭載される添付ファイル閲覧用プログラムであって、ＰＯＰサーバが、上位メールボックスに格納された電子メールのうち添付ファイルを付された電子メールについてメール本文と添付ファイルとを分離する処理を行う分離処理手段と、この分離処理手段による分離処理で添付ファイルを取り除いて得られたメール本文に添付ファイルへのアクセスキーを別の添付ファイルとして代替的に添付した状態の分離処理済メールを含む電子メールを格納する下位メールボックスと、分離処理手段による分離処理でメール本文と分離された添付ファイルを保管する添付ファイル保管ボックスと、クライアント端末装置から変換後ファイル要求信号とともに送信されてくるアクセスキーに対応する添付ファイルを添付ファイル保管ボックスから抽出してこの抽出した添付ファイルの構成データを安全な形式のデータに変換する処理を行う変換処理手段と、クライアント端末装置から添付ファイル要求信号とともに送信されてくるアクセスキーに対応する添付ファイルを添付ファイル保管ボックスから抽出するとともにこの添付ファイルに対応するメール本文を下位メールボックスから抽出してこれらの添付ファイルとメール本文とを合成する処理を行う合成処理手段とを備えている場合に、ＰＯＰサーバとネットワークを介して通信を行うことにより、下位メールボックスから抽出されてＰＯＰサーバから送信されてきた分離処理済メールに添付されているアクセスキーを変換後ファイル要求信号とともにＰＯＰサーバに送信する変換後ファイル要求信号送信手段と、変換後ファイル要求信号に応じてＰＯＰサーバから送信されてきた変換後データにより構成される変換後ファイルを受信する変換後ファイル受信手段と、この変換後ファイル受信手段により受信した変換後ファイルを構成する変換後データを用いてディスプレイ装置の画面上に添付ファイルの内容を安全な形式で表示する処理を行う添付ファイル内容表示処理手段と、この添付ファイル内容表示処理手段により表示された添付ファイルの内容について確認した受信者による添付ファイル要求信号をアクセスキーとともにＰＯＰサーバに送信する添付ファイル要求信号送信手段と、ＰＯＰサーバから送信されてきた合成処理済メールを受信する合成処理済メール受信手段とを備えたことを特徴とするクライアント端末装置として、コンピュータを機能させるためのものである。
【００５９】
さらに、本発明は、電子メールによるウィルス感染を防止するウィルス感染防止システムであって、送信者から送信された電子メールを受信するＰＯＰサーバと、受信者の閲覧要求に応じてＰＯＰサーバから送信されてくる前記電子メールを受信して前記受信者に閲覧させるクライアント端末装置とがネットワークで接続され、ＰＯＰサーバは、受信した電子メールを格納する上位メールボックスと、この上位メールボックスに格納された電子メールのうち添付ファイルを付された電子メールについてメール本文と添付ファイルとを分離する処理を行う分離処理手段と、この分離処理手段による分離処理で添付ファイルを取り除いて得られたメール本文に添付ファイルへのアクセスキーを本文自体として付加しまたは別の添付ファイルとして代替的に添付した状態の分離処理済メールを含む電子メールを格納する下位メールボックスと、この下位メールボックスに格納された分離処理済メールを受信者の閲覧要求に応じてクライアント端末装置に送信する分離処理済メール送信手段と、分離処理手段による分離処理でメール本文と分離された添付ファイルを保管する添付ファイル保管ボックスと、クライアント端末装置から添付ファイル要求信号とともに送信されてくるアクセスキーに対応する添付ファイルを添付ファイル保管ボックスから抽出してクライアント端末装置に送信する添付ファイル送信手段とを備え、クライアント端末装置は、情報を画面表示するディスプレイ装置と、受信者の閲覧要求に応じてＰＯＰサーバから送信されてきた分離処理済メールを受信する分離処理済メール受信手段と、この分離処理済メール受信手段により受信した分離処理済メールについてディスプレイ装置の画面上にメール本文の内容を表示する処理を行う本文内容表示処理手段と、分離処理済メール受信手段により受信した分離処理済メールに付加または添付されているアクセスキーを添付ファイル要求信号とともにＰＯＰサーバに送信する添付ファイル要求信号送信手段と、添付ファイル要求信号に応じてＰＯＰサーバから送信されてきた添付ファイルを受信する添付ファイル受信手段と、この添付ファイル受信手段により受信した添付ファイルの構成データを安全な形式のデータに変換する処理を行う変換処理手段と、この変換処理手段による変換処理で得られた変換後データを用いてディスプレイ装置の画面上に添付ファイルの内容を安全な形式で表示する処理を行う添付ファイル内容表示処理手段とを備えたことを特徴とするものである。
【００６０】
ここで、「添付ファイル要求信号送信手段」により送信される「添付ファイル要求信号」は、添付ファイルの内容を既に確認した受信者が確認済みの添付ファイルを受信するための要求を行う信号ではなく、添付ファイルの内容を確認したい受信者が確認作業を行うために添付ファイルを要求するための信号である。従って、確認作業を終了した段階では、添付ファイルは、既にクライアント端末装置で受信済みである。
【００６１】
このような本発明のウィルス感染防止システム（例えば、後述する図１８の場合等）においては、前述した「分離あり・サーバで予め変換・分離受信」の発明（例えば、後述する図２の場合等）、「分離あり・サーバで予め変換・合成受信」の発明（例えば、後述する図１０の場合等）、「分離あり・サーバで逐次変換・分離受信」の発明（例えば、後述する図１６の場合等）、「分離あり・サーバで逐次変換・合成受信」の発明（例えば、後述する図１７の場合等）とは異なり、ＰＯＰサーバではなく、クライアント端末装置で安全な形式のデータへの変換処理を行う。
【００６２】
すなわち、ＰＯＰサーバで、分離処理手段により、上位メールボックスに格納された電子メールのうち添付ファイルを付された電子メールについてメール本文と添付ファイルとを分離する処理を行い、分離されたメール本文にアクセスキーを付加または添付した状態の分離処理済メールを下位メールボックスに格納するとともに、分離された添付ファイルを添付ファイル保管ボックスに保管しておく。
【００６３】
そして、ＰＯＰサーバは、分離処理済メール送信手段により、受信者の閲覧要求に応じてアクセスキーを含む分離処理済メールをクライアント端末装置に送信し、クライアント端末装置は、分離処理済メール受信手段により、この分離処理済メールを受信し、本文内容表示処理手段により、ディスプレイ装置の画面上に分離処理済メールのメール本文の内容を表示する。
【００６４】
続いて、クライアント端末装置は、添付ファイル要求信号送信手段により、アクセスキーを添付ファイル要求信号とともにＰＯＰサーバに送信し、ＰＯＰサーバは、添付ファイル送信手段により、アクセスキーに対応する添付ファイルを添付ファイル保管ボックスから抽出してクライアント端末装置に送信する。
【００６５】
その後、クライアント端末装置は、添付ファイル受信手段により、添付ファイルを受信し、変換処理手段により、添付ファイルの構成データを安全な形式のデータに変換する処理を行い、添付ファイル内容表示処理手段により、変換後データを用いてディスプレイ装置の画面上に添付ファイルの内容を安全な形式で表示する。そして、受信者は、添付ファイル内容の確認を行い、適宜、添付ファイルを開き、または保存する操作を行う。
【００６６】
従って、受信者は、クライアント端末装置のディスプレイ装置の画面上で、添付ファイルの内容を安全な形式に変換された状態で確認することができるので、受信者自らが添付ファイルを受信するか否かを判断することが可能となる。このため、既存のウィルスを対象として行われるウィルス駆除処理により駆除することができない新種のウィルスであっても発見することが可能となり、ウィルス感染防止機能の向上が図られる。
【００６７】
また、メール本文と添付ファイルとが分離されるので、受信者は、例えばメール本文のみを閲覧すれば用が済む場合やメール本文のみを急いで閲覧したい場合等には、添付ファイルを受信しないという選択も可能となり、無用な送受信やそれに伴う時間の無駄を避けることができ、電子メールの効率的な活用が図られ、これらにより前記目的が達成される。
【００６８】
なお、上記の発明を、ＰＯＰサーバでメール本文と添付ファイルとの分離処理があり、クライアント端末装置のブラウザ（閲覧用プログラム）で安全な形式への変換処理を行うという意味で、以下において「分離あり・ブラウザで変換」の発明というものとする。
【００６９】
また、上記の「分離あり・ブラウザで変換」の発明を構成するためにクライアント端末装置に常時または一時的に搭載され、実行されるソフトウェアとして、以下のような本発明のメール閲覧用プログラム、および本発明の添付ファイル閲覧用プログラムが挙げられる。
【００７０】
すなわち、本発明は、送信者から送信された電子メールを受信するＰＯＰサーバとネットワークで接続され、受信者の閲覧要求に応じてＰＯＰサーバから送信されてくる電子メールを受信して受信者に閲覧させるクライアント端末装置に、電子メールによるウィルス感染を防止するために搭載されるメール閲覧用プログラムであって、ＰＯＰサーバが、上位メールボックスに格納された電子メールのうち添付ファイルを付された電子メールについてメール本文と添付ファイルとを分離する処理を行う分離処理手段と、この分離処理手段による分離処理で添付ファイルを取り除いて得られたメール本文に添付ファイルへのアクセスキーを本文自体として付加しまたは別の添付ファイルとして代替的に添付した状態の分離処理済メールを含む電子メールを格納する下位メールボックスと、分離処理手段による分離処理でメール本文と分離された添付ファイルを保管する添付ファイル保管ボックスとを備えている場合に、ＰＯＰサーバとネットワークを介して通信を行うことにより、受信者の閲覧要求に応じて下位メールボックスから抽出されてＰＯＰサーバから送信されてきた分離処理済メールを受信する分離処理済メール受信手段と、この分離処理済メール受信手段により受信した分離処理済メールについてディスプレイ装置の画面上にメール本文の内容を表示する処理を行う本文内容表示処理手段と、分離処理済メール受信手段により受信した分離処理済メールに付加または添付されているアクセスキーを添付ファイル要求信号とともにＰＯＰサーバに送信する添付ファイル要求信号送信手段と、添付ファイル要求信号に応じて添付ファイル保管ボックスから抽出されてＰＯＰサーバから送信されてきた添付ファイルを受信する添付ファイル受信手段と、この添付ファイル受信手段により受信した添付ファイルの構成データを安全な形式のデータに変換する処理を行う変換処理手段と、この変換処理手段による変換処理で得られた変換後データを用いてディスプレイ装置の画面上に添付ファイルの内容を安全な形式で表示する処理を行う添付ファイル内容表示処理手段とを備えたことを特徴とするクライアント端末装置として、コンピュータを機能させるためのものである。
【００７１】
また、本発明は、送信者から送信された電子メールを受信するＰＯＰサーバとネットワークで接続され、受信者の閲覧要求に応じてＰＯＰサーバから送信されてくる電子メールを受信して受信者に閲覧させるクライアント端末装置に、電子メールによるウィルス感染を防止するために搭載される添付ファイル閲覧用プログラムであって、ＰＯＰサーバが、上位メールボックスに格納された電子メールのうち添付ファイルを付された電子メールについてメール本文と添付ファイルとを分離する処理を行う分離処理手段と、この分離処理手段による分離処理で添付ファイルを取り除いて得られたメール本文に添付ファイルへのアクセスキーを別の添付ファイルとして代替的に添付した状態の分離処理済メールを含む電子メールを格納する下位メールボックスと、分離処理手段による分離処理でメール本文と分離された添付ファイルを保管する添付ファイル保管ボックスとを備えている場合に、ＰＯＰサーバとネットワークを介して通信を行うことにより、下位メールボックスから抽出されてＰＯＰサーバから送信されてきた分離処理済メールに添付されているアクセスキーを添付ファイル要求信号とともにＰＯＰサーバに送信する添付ファイル要求信号送信手段と、添付ファイル要求信号に応じて添付ファイル保管ボックスから抽出されてＰＯＰサーバから送信されてきた添付ファイルを受信する添付ファイル受信手段と、この添付ファイル受信手段により受信した添付ファイルの構成データを安全な形式のデータに変換する処理を行う変換処理手段と、この変換処理手段による変換処理で得られた変換後データを用いてディスプレイ装置の画面上に添付ファイルの内容を安全な形式で表示する処理を行う添付ファイル内容表示処理手段とを備えたことを特徴とするクライアント端末装置として、コンピュータを機能させるためのものである。
【００７２】
そして、前述した「分離あり・ブラウザで変換」の発明（例えば、後述する図１８の場合等）とは異なり、ＰＯＰサーバでのメール本文と添付ファイルとの分離処理を行わない発明として、以下のような本発明が挙げられる。
【００７３】
すなわち、本発明は、送信者から送信された電子メールを受信するＰＯＰサーバとネットワークで接続され、受信者の閲覧要求に応じてＰＯＰサーバから送信されてくる電子メールを受信して受信者に閲覧させるクライアント端末装置に、電子メールによるウィルス感染を防止するために搭載されるメール閲覧用プログラムであって、受信者の閲覧要求に応じてメールボックスから抽出されてＰＯＰサーバから送信されてきた電子メールを受信するメール受信手段と、このメール受信手段により受信した電子メールについてディスプレイ装置の画面上にメール本文の内容を表示する処理を行う本文内容表示処理手段と、メール受信手段により受信した電子メールのうち添付ファイルを付された電子メールについて添付ファイル部分のデータを安全な形式のデータに変換する処理を行う変換処理手段と、この変換処理手段による変換処理で得られた変換後データを用いてディスプレイ装置の画面上に添付ファイルの内容を安全な形式で表示する処理を行う添付ファイル内容表示処理手段とを備えたことを特徴とするクライアント端末装置として、コンピュータを機能させるためのものである。
【００７４】
このような本発明のメール閲覧用プログラム（例えば、後述する図１９の場合等）においては、クライアント端末装置で、メール受信手段により、添付ファイルとメール本文とを分離してない状態の電子メールを受信する。続いて、本文内容表示処理手段により、ディスプレイ装置の画面上にメール本文の内容を表示するとともに、変換処理手段により、添付ファイル部分のデータを安全な形式のデータに変換する処理を行った後、添付ファイル内容表示処理手段により、変換後データを用いてディスプレイ装置の画面上に添付ファイルの内容を安全な形式で表示する。そして、受信者は、添付ファイル内容の確認を行い、適宜、添付ファイルを開き、または保存する操作を行う。
【００７５】
従って、受信者は、クライアント端末装置のディスプレイ装置の画面上で、添付ファイルの内容を安全な形式に変換された状態で確認することができるので、受信者自らが添付ファイルを受信するか否かを判断することが可能となる。このため、既存のウィルスを対象として行われるウィルス駆除処理により駆除することができない新種のウィルスであっても発見することが可能となり、ウィルス感染防止機能の向上が図られ、これらにより前記目的が達成される。
【００７６】
なお、上記の発明を、ＰＯＰサーバでメール本文と添付ファイルとの分離処理を行わず、クライアント端末装置のブラウザ（閲覧用プログラム）で安全な形式への変換処理を行うという意味で、以下において「分離なし・ブラウザで変換」の発明というものとする。
【００７７】
また、本発明は、送信者から送信された電子メールを受信するとともに受信者の閲覧要求に応じて電子メールをメール閲覧用プログラムが搭載されたクライアント端末装置に送信するＰＯＰサーバに、電子メールによるウィルス感染を防止するために設けられるウィルス感染防止システムであって、上位メールボックスに格納された電子メールのうち添付ファイルを付された電子メールについて添付ファイル部分のデータを安全な形式のデータに変換する処理を行う変換処理手段と、この変換処理手段による変換処理で得られた変換後データを電子メールのメール本文の後ろの位置にメール閲覧用プログラムによりメール本文と認識される状態で付加する処理を行う変換後データ付加処理手段と、この変換後データ付加処理手段による付加処理で得られた変換後データ付加処理済メールを格納する下位メールボックスと、受信者の閲覧要求に応じて下位メールボックスから変換後データ付加処理済メールを抽出してクライアント端末装置に送信する変換後データ付加処理済メール送信手段とを備えたことを特徴とするものである。
【００７８】
ここで、「メール閲覧用プログラム」には、既存のメール閲覧用プログラムを用いてもよい。
【００７９】
このような本発明のウィルス感染防止システム（例えば、後述する図２０の場合等）においては、ＰＯＰサーバで、変換処理手段により、電子メールの添付ファイル部分のデータを安全な形式のデータに変換した後、変換後データ付加処理手段により、変換後データを電子メールのメール本文の後ろの位置に付加する処理を行い、この変換後データ付加処理済メールを下位メールボックスに格納しておく。そして、変換後データ付加処理済メール送信手段により、受信者の閲覧要求に応じて下位メールボックスから変換後データ付加処理済メールを抽出してクライアント端末装置に送信する。一方、クライアント端末装置では、メール閲覧用プログラムにより、メール本文の表示位置にメール本文とともに添付ファイルの内容が安全な形式で表示され（メール本文の構成要素として表示され）、受信者は、添付ファイル内容の確認を行い、適宜、添付ファイルを開き、または保存する操作を行う。
【００８０】
従って、受信者は、クライアント端末装置のディスプレイ装置の画面上で、添付ファイルの内容を安全な形式に変換された状態で確認することができるので、受信者自らが添付ファイルを受信するか否かを判断することが可能となる。このため、既存のウィルスを対象として行われるウィルス駆除処理により駆除することができない新種のウィルスであっても発見することが可能となり、ウィルス感染防止機能の向上が図られ、これらにより前記目的が達成される。
【００８１】
なお、上記の発明を、ＰＯＰサーバでメール本文と添付ファイルとの分離処理を行わず、ＰＯＰサーバで安全な形式への変換処理を行ってメール本文に付加するという意味で、以下において「分離なし・サーバで変換・本文に付加」の発明というものとする。
【００８２】
さらに、本発明は、送信者から送信された電子メールを受信するとともに受信者の閲覧要求に応じて電子メールをメール閲覧用プログラムが搭載されたクライアント端末装置に送信するＰＯＰサーバに、電子メールによるウィルス感染を防止するために設けられるウィルス感染防止システムであって、上位メールボックスに格納された電子メールのうち添付ファイルを付された電子メールについて添付ファイル部分のデータを安全な形式のデータに変換する処理を行う変換処理手段と、この変換処理手段による変換処理で得られた変換後データにより構成される変換後ファイルを電子メールに別の添付ファイルとして追加的に添付する処理を行う変換後ファイル添付処理手段と、この変換後ファイル添付処理手段による添付処理で得られた変換後ファイル添付処理済メールを格納する下位メールボックスと、受信者の閲覧要求に応じて下位メールボックスから変換後ファイル添付処理済メールを抽出してクライアント端末装置に送信する変換後ファイル添付処理済メール送信手段とを備えたことを特徴とするものである。
【００８３】
ここで、「別の添付ファイルとして追加的に添付する」とは、元の添付ファイルを残したままで、それに追加する形で添付するという意味である。
【００８４】
また、「メール閲覧用プログラム」には、既存のメール閲覧用プログラムを用いてもよい。
【００８５】
このような本発明のウィルス感染防止システム（例えば、後述する図２２の場合等）においては、ＰＯＰサーバで、変換処理手段により、電子メールの添付ファイル部分のデータを安全な形式のデータに変換した後、変換後ファイル添付処理手段により、変換後データにより構成される変換後ファイルを電子メールに別の添付ファイルとして追加的に添付する処理を行い、この変換後ファイル添付処理済メールを下位メールボックスに格納しておく。そして、変換後ファイル添付処理済メール送信手段により、受信者の閲覧要求に応じて下位メールボックスから変換後ファイル添付処理済メールを抽出してクライアント端末装置に送信する。一方、クライアント端末装置では、メール閲覧用プログラムにより、メール本文を表示するとともに、受信者による別の添付ファイルを開く操作に基づき、添付ファイルの内容を安全な形式で表示する。そして、受信者は、この別の添付ファイルによる表示で添付ファイル内容の確認を行い、適宜、元の添付ファイルを開き、または保存する操作を行う。
【００８６】
従って、受信者は、クライアント端末装置のディスプレイ装置の画面上で、添付ファイルの内容を安全な形式に変換された状態で確認することができるので、受信者自らが添付ファイルを受信するか否かを判断することが可能となる。このため、既存のウィルスを対象として行われるウィルス駆除処理により駆除することができない新種のウィルスであっても発見することが可能となり、ウィルス感染防止機能の向上が図られ、これらにより前記目的が達成される。
【００８７】
なお、上記の発明を、ＰＯＰサーバでメール本文と添付ファイルとの分離処理を行わず、ＰＯＰサーバで安全な形式への変換処理を行って別の添付ファイルとして添付するという意味で、以下において「分離なし・サーバで変換・別の添付ファイルとして添付」の発明というものとする。
【００８８】
そして、以上に述べたウィルス感染防止システムにおいて、安全な形式のデータは、テキスト形式のデータであることが望ましい。また、テキスト形式による表示と、他の安全な形式による表示（例えば、バイナリ形式による表示等）とを並列表示してもよい。
【００８９】
なお、以上に述べたメール閲覧用プログラムまたはその一部、および添付ファイル閲覧用プログラムまたはその一部は、例えば、光磁気ディスク（ＭＯ）、コンパクトディスク（ＣＤ）を利用した読出し専用メモリ（ＣＤ−ＲＯＭ）、ＣＤレコーダブル（ＣＤ−Ｒ）、ＣＤリライタブル（ＣＤ−ＲＷ）、デジタル・バーサタイル・ディスク（ＤＶＤ）を利用した読出し専用メモリ（ＤＶＤ−ＲＯＭ）、ＤＶＤを利用したランダム・アクセス・メモリ（ＤＶＤ−ＲＡＭ）、フレキシブルディスク（ＦＤ）、磁気テープ、ハードディスク、読出し専用メモリ（ＲＯＭ）、電気的消去および書換可能な読出し専用メモリ（ＥＥＰＲＯＭ）、フラッシュ・メモリ、ランダム・アクセス・メモリ（ＲＡＭ）等の記録媒体に記録して保存や流通等させることが可能であるとともに、例えば、ＬＡＮ、ＭＡＮ、ＷＡＮ、インターネット、イントラネット、エクストラネット等の有線ネットワーク、あるいは無線通信ネットワーク、さらにはこれらの組合せ等の伝送媒体を用いて伝送することが可能であり、また、搬送波に載せて搬送することも可能である。さらに、以上に述べた各プログラムは、他のプログラムの一部分であってもよく、あるいは別個のプログラムと共に記録媒体に記録されていてもよい。
【発明の効果】
【００９０】
以上に述べたように本発明によれば、添付ファイルの構成データを安全な形式のデータに変換し、クライアント端末装置の画面上で、受信者に対し、添付ファイルの内容を安全な形式で呈示できるので、受信者が自ら添付ファイルの内容を安全な状態で確認することができ、新種のウィルスに対する感染防止機能も発揮することができるという効果がある。
【発明を実施するための最良の形態】
【００９１】
以下に本発明の各実施形態について図面を参照して説明する。
【００９２】
［第１実施形態］
図１には、本発明の第１実施形態のウィルス感染防止システム１０を含む電子メールの配信の仕組みの説明図が示されている。本第１実施形態は、前述した「分離あり・サーバで予め変換・分離受信」の発明に関する実施形態である。図２には、ウィルス感染防止システム１０の全体構成が、処理の流れおよびデータや信号の流れとともに示されている。図３には、ウィルス感染防止システム１０による処理の流れがフローチャートで示されている。図４には、電子メールの構成が示されている。図５〜図７には、ウィルス感染防止システム１０による処理に伴う画面例が示されている。
【００９３】
図１において、インターネット１には、電子メールの送信者の操作するコンピュータ２と、送信者側のＳＭＴＰサーバ３とが接続されるとともに、ルータ４およびファイアウォール５を介してイントラネット６が接続されている。また、イントラネット６には、ルータ７を介して電子メールの受信者の操作するクライアント端末装置２０が接続されている。さらに、ファイアウォール５には、第１のＰＯＰサーバ４０が接続され、イントラネット６には、第２のＰＯＰサーバ５０が接続されている。そして、クライアント端末装置２０と第２のＰＯＰサーバ５０とにより、クライアント端末装置２０が電子メールによりウィルスに感染することを防止するためのウィルス感染防止システム１０が構成されている。
【００９４】
送信者によりコンピュータ２から電子メールが送信されると、この電子メールはＳＭＴＰサーバ３で受信され、さらにＳＭＴＰサーバ３から第１のＰＯＰサーバ４０に送信され、第１のＰＯＰサーバ４０の処理手段４１により受信され、非武装メールボックス４２に格納される。第１のＰＯＰサーバ４０は、非武装ゾーンに置かれ、非武装メールボックス４２に格納された電子メールは、イントラネット６の外部からも受信できるようになっている。
【００９５】
第１のＰＯＰサーバ４０の非武装メールボックス４２に格納された電子メールは、第２のＰＯＰサーバ５０に取り込まれ、受信者は、イントラネット６の内部に接続されたクライアント端末装置２０で、第２のＰＯＰサーバ５０から自分宛の電子メールを受信できるようになっている。また、イントラネット６の内部の送信者からの電子メールは、第２のＰＯＰサーバ５０に送信され、受信者は、第２のＰＯＰサーバ５０から自分宛の電子メールを受信してイントラネット６の内部に接続されたクライアント端末装置２０で閲覧できるようになっている。
【００９６】
図２において、クライアント端末装置２０は、コンピュータにより構成され、電子メールの受信およびウィルス感染防止に関する各種処理を行う処理手段２０Ａと、各種情報の入力操作を行うための例えばキーボードやマウス等の入力手段３０と、各種情報を画面表示するための例えば液晶ディスプレイやＣＲＴディスプレイ等のディスプレイ装置３１と、受信した電子メールに付されている添付ファイルを記憶保存する添付ファイル記憶手段３２とを備えている。
【００９７】
処理手段２０Ａは、分離処理済メール受信手段２１と、本文内容表示処理手段２２と、変換後ファイル要求信号送信手段２３と、変換後ファイル受信手段２４と、添付ファイル内容表示処理手段２５と、添付ファイル要求信号送信手段２６と、添付ファイル受信手段２７とを含んで構成されている。
【００９８】
分離処理済メール受信手段２１は、受信者による自分宛の電子メールの閲覧要求の操作（例えば、図示されない「送受信」ボタンを押す操作等）を受け付け、ＰＯＰサーバ５０にこの閲覧要求信号を送信するとともに、受信者の閲覧要求に応じてＰＯＰサーバ５０から送信されてきた分離処理済メール（アクセスキーを含む。）を受信する処理を行うものである。
【００９９】
本文内容表示処理手段２２は、分離処理済メール受信手段２１により受信した分離処理済メールについて、ディスプレイ装置３１の画面上に、メール本文の内容を表示する処理を行うものである。
【０１００】
変換後ファイル要求信号送信手段２３は、添付ファイルの内容を確認しようとする受信者による変換後ファイルの要求の操作（本実施形態では、一例として図５の「表示」ボタン７９を押す操作とする。）を受け付け、分離処理済メール受信手段２１により受信した分離処理済メールに付加されているアクセスキーを、変換後ファイル要求信号とともにＰＯＰサーバ５０に送信する処理を行うものである。
【０１０１】
変換後ファイル受信手段２４は、変換後ファイル要求信号に応じてＰＯＰサーバ５０から送信されてきた変換後ファイルを受信する処理を行うものである。
【０１０２】
添付ファイル内容表示処理手段２５は、変換後ファイル受信手段２４により受信した変換後ファイルを構成する変換後データを用いて、ディスプレイ装置３１の画面上に、添付ファイルの内容を安全な形式で表示する処理を行うものである。
【０１０３】
添付ファイル要求信号送信手段２６は、添付ファイル内容表示処理手段２５により表示された添付ファイルの内容について確認した受信者による添付ファイル要求信号の操作（本実施形態では、一例として図５の「受信」ボタン８０を押す操作とする。）を受け付け、この添付ファイル要求信号をアクセスキーとともにＰＯＰサーバ５０に送信する処理を行うものである。
【０１０４】
添付ファイル受信手段２７は、添付ファイル要求信号に応じてＰＯＰサーバ５０から送信されてきた添付ファイルを受信するとともに、受信した添付ファイルを受信者が開く操作や保存する操作（本実施形態では、一例として図６の「開く」選択部９１や「保存する」選択部９２にチェックを入れて「ＯＫ」ボタン９３を押す操作とする。）を受け付ける処理を行うものである。
【０１０５】
第２のＰＯＰサーバ５０は、コンピュータにより構成され、電子メールの受信およびウィルス感染防止に関する各種処理を行う処理手段５０Ａと、この処理手段５０Ａによる処理に必要な各種情報を記憶する上位メールボックス６０、下位メールボックス６１、添付ファイル保管ボックス６２、および変換後ファイル保管ボックス６３とを備えている。
【０１０６】
処理手段５０Ａは、取込処理手段５１と、ウィルス駆除処理手段５２と、分離処理手段５３と、分離処理済メール送信手段５４と、変換処理手段５５と、変換後ファイル送信手段５６と、添付ファイル送信手段５７とを含んで構成されている。
【０１０７】
取込処理手段５１は、第１のＰＯＰサーバ４０の非武装メールボックス４２に格納された電子メールを取り込み、上位メールボックス６０に格納する処理を行うものである。
【０１０８】
ウィルス駆除処理手段５２は、上位メールボックス６０に格納した電子メールおよびその添付ファイルについて、パターンファイルとの照合によりウィルスを検出し、ウィルスが発見された場合にはこれを駆除する処理を行うものである。
【０１０９】
分離処理手段５３は、上位メールボックス６０に格納された電子メール（ウィルス駆除処理手段５２による処理を済ませたもの）のうち、添付ファイルを付された電子メールについて、メール本文と添付ファイルとを分離する処理を行い、分離されたメール本文に添付ファイルへのアクセスキーを付加して下位メールボックス６１に格納するとともに、分離された添付ファイルを添付ファイル保管ボックス６２に保管する処理を行うものである。また、分離処理手段５３は、分離されたメール本文（例えばメールの表題）と、これに付加したアクセスキー（例えば英数字の組合せ）と、分離された添付ファイル（例えばファイル名）とを関連付けるため、これらの対応関係をＰＯＰサーバ５０に設けられた変換テーブル（不図示）に記憶させる。
【０１１０】
分離処理済メール送信手段５４は、下位メールボックス６１に格納された分離処理済メール（メール本文にアクセスキーを付加した状態の電子メール）を、受信者の閲覧要求に応じてクライアント端末装置２０に送信する処理を行うものである。
【０１１１】
変換処理手段５５は、分離処理手段５３による分離処理でメール本文と分離された添付ファイルの構成データを、安全な形式（本実施形態では、一例としてテキスト形式とする。）のデータに変換し、得られた変換後データにより構成される変換後ファイルを変換後ファイル保管ボックス６３に保管する処理を行うものである。この変換処理手段５５は、添付ファイル保管ボックス６２に一旦保管された添付ファイルについて変換する構成としてもよく、あるいは分離処理手段５３による分離処理で得られた添付ファイルを直接に変換する構成としてもよい。また、変換処理手段５５は、変換後ファイル（例えばファイル名）とアクセスキー（例えば英数字の組合せ）、または変換後ファイル（例えばファイル名）と元の添付ファイル（例えばファイル名）とを関連付けるため、これらの対応関係を変換テーブル（不図示）に記憶させる。但し、変換前後のファイルを同じファイル名で管理する場合には省略してよい。
【０１１２】
変換後ファイル送信手段５６は、クライアント端末装置２０から変換後ファイル要求信号とともに送信されてくるアクセスキーに対応する変換後ファイルを変換後ファイル保管ボックス６３から抽出し、抽出した変換後ファイルをクライアント端末装置２０に送信する処理を行うものである。この変換後ファイル送信手段５６による変換後ファイルの抽出の際のアクセスキーと変換後ファイルとの対応関係の把握は、変換テーブル（不図示）を参照して行われる。
【０１１３】
添付ファイル送信手段５７は、クライアント端末装置２０から添付ファイル要求信号とともに送信されてくるアクセスキーに対応する添付ファイルを添付ファイル保管ボックス６２から抽出し、抽出した添付ファイルをクライアント端末装置２０に送信する処理を行うものである。この添付ファイル送信手段５７による添付ファイルの抽出の際のアクセスキーと添付ファイルとの対応関係の把握は、変換テーブル（不図示）を参照して行われる。
【０１１４】
上位メールボックス６０は、第１のＰＯＰサーバ４０の非武装メールボックス４２から取り込んだ電子メールを格納するものである。
【０１１５】
下位メールボックス６１は、分離処理手段５３による分離処理で添付ファイルを取り除いて得られたメール本文にアクセスキーを付加した状態の分離処理済メール、および添付ファイルが元々付されていない電子メールを格納するものである。
【０１１６】
添付ファイル保管ボックス６２は、分離処理手段５３による分離処理でメール本文と分離された添付ファイルを保管するものである。
【０１１７】
変換後ファイル保管ボックス６３は、変換処理手段５５による変換処理で得られた変換後データにより構成される変換後ファイルを保管するものである。
【０１１８】
以上において、クライアント端末装置２０の処理手段２０Ａに含まれる各手段２１〜２７は、クライアント端末装置２０を構成するコンピュータ本体（パーソナル・コンピュータのみならず、その上位機種のものも含む。）の内部に設けられた中央演算処理装置（ＣＰＵ）、およびこのＣＰＵの動作手順を規定するメール閲覧用プログラム（メーラーと称されるブラウザ）により実現される。
【０１１９】
また、第２のＰＯＰサーバ５０の処理手段５０Ａに含まれる各手段５１〜５７は、第２のＰＯＰサーバ５０を構成するコンピュータ本体（パーソナル・コンピュータのみならず、その上位機種のものも含む。）の内部に設けられた中央演算処理装置（ＣＰＵ）、およびこのＣＰＵの動作手順を規定する一つまたは複数のプログラムにより実現される。
【０１２０】
さらに、クライアント端末装置２０の添付ファイル記憶手段３２、第２のＰＯＰサーバ５０の上位メールボックス６０、下位メールボックス６１、添付ファイル保管ボックス６２、変換後ファイル保管ボックス６３、および変換テーブル（不図示）は、例えばハードディスク等により好適に実現されるが、記憶容量やアクセス速度等に問題が生じない範囲であれば、ＥＥＰＲＯＭ、フラッシュ・メモリ、ＲＡＭ、ＭＯ、ＣＤ−Ｒ、ＣＤ−ＲＷ、ＤＶＤ−Ｒ、ＤＶＤ−ＲＷ、ＤＶＤ−ＲＡＭ、ＦＤ、磁気テープ、あるいはこれらの組合せ等を採用してもよい。
【０１２１】
そして、第２のＰＯＰサーバ５０は、一台のコンピュータあるいは一つのＣＰＵにより実現されるものに限定されず、複数のコンピュータ等で分散処理（各手段５１〜５７の機能毎の分散、および処理速度向上のための並列処理による分散を含む。）を行うことにより実現されるものであってもよい。
【０１２２】
このような第１実施形態においては、以下のようにしてウィルス感染防止システム１０によりウィルス感染の防止対策を施しながら電子メールの受信が行われる。
【０１２３】
図３において、第２のＰＯＰサーバ５０を起動するとともに（ステップＳ１）、クライアント端末装置２０を起動してメール閲覧用プログラムを立ち上げる（ステップＳ２）。先ず、ＰＯＰサーバ５０で、取込処理手段５１により、第１のＰＯＰサーバ４０の非武装メールボックス４２に格納されている電子メールを取り込み、上位メールボックス６０に格納する（ステップＳ３）。
【０１２４】
次に、ＰＯＰサーバ５０で、ウィルス駆除処理手段５２により、パターンファイルとの照合を行ってウィルスの検出および駆除処理を行う（ステップＳ４）。これにより既存のウィルスが駆除される。
【０１２５】
続いて、ＰＯＰサーバ５０で、ウィルス駆除処理後に、分離処理手段５３により、上位メールボックス６０に格納された電子メールのうち添付ファイルを付された電子メールについて、メール本文と添付ファイルとを分離する処理を行った後、分離されたメール本文に添付ファイルへのアクセスキーを付加して下位メールボックス６１に格納するとともに、分離された添付ファイルを添付ファイル保管ボックス６２に保管する（ステップＳ５）。また、添付ファイルとアクセスキーとの対応関係を変換テーブルに記憶させる。
【０１２６】
ここで、分離処理手段５３による処理内容について説明する。図４には、電子メールの一般的な構成（ＲＦＣ８２２規格に従ったもの）が示されている。電子メールには、ヘッダー情報の部分Ｍ１と、メール区分の部分Ｍ２と、メール本文の部分Ｍ３と、添付ファイルの情報の部分Ｍ４と、添付ファイルの内容の部分Ｍ５とが含まれている。このうち、添付ファイルの情報の部分Ｍ４および添付ファイルの内容の部分Ｍ５からなる図中一点鎖線で囲まれた添付ファイルの部分Ｆを、他の部分Ｍ１〜Ｍ３から切り離す。また、添付ファイルの部分Ｆを切り離した後におけるメール本文の部分Ｍ３の後ろの位置（図中点線で囲まれた部分）を、アクセスキーを付加するアクセスキー付加部分Ａとする。このアクセスキー付加部分Ａは、メール本文の構成要素として、図５の本文表示部７５にメール本文の部分Ｍ３とともに表示してもよく、あるいはメール閲覧用プログラムにより本文表示部７５に表示されないようにしてもよい。なお、メール本文の部分Ｍ３は、図示の状態ではアスキーコードであるため意味を読み取ることができないが、英文メールであれば読み取ることができる状態となる。
【０１２７】
それから、ＰＯＰサーバ５０で、変換処理手段５５により、分離処理手段５３による分離処理でメール本文と分離された添付ファイル（添付ファイル保管ボックス６２に保管した添付ファイルを読み込んでもよい。）の構成データを、安全な形式（テキスト形式等）のデータに変換し、得られた変換後データにより構成される変換後ファイルを変換後ファイル保管ボックス６３に保管する（図３のステップＳ６）。
【０１２８】
一方、クライアント端末装置２０では、受信者が、自分宛の電子メールを受信するために、入力手段３０を操作してメール閲覧用プログラムの「送受信」ボタン（不図示）を押すと、分離処理済メール受信手段２１により、この操作が受け付けられ、受信者の閲覧要求がＰＯＰサーバ５０に送信される（ステップＳ７）。なお、ここで送信される受信者の閲覧要求には、添付ファイルが元々付されていない電子メールを受信するための要求も含まれる。
【０１２９】
ＰＯＰサーバ５０では、受信者の閲覧要求を受信すると、分離処理済メール送信手段５４により、下位メールボックス６１に格納された分離処理済メール（メール本文にアクセスキーを付加した状態の電子メール）を含む電子メールの中から、閲覧要求をしてきた受信者に宛てられた電子メールを抽出し、これをクライアント端末装置２０に送信する（ステップＳ８）。なお、ここで送信される電子メールには、分離処理済メールのみならず、添付ファイルが元々付されていない電子メールも含まれる。
【０１３０】
クライアント端末装置２０では、分離処理済メール受信手段２１により、受信者の閲覧要求に応じてＰＯＰサーバ５０から送信されてきた分離処理済メール（アクセスキーが付加された状態のもの）を含む電子メールを受信する（ステップＳ９）。すると、ディスプレイ装置３１の画面上には、図５に示すように、受信した電子メールの表題が表示される。
【０１３１】
図５において、メール閲覧画面７０には、受信した電子メールの表題（件名）を一覧表示する表題一覧表示部７１と、表題一覧表示部７１で選択した電子メールについての送信者、宛先、件名の各表示部７２，７３，７４と、表題一覧表示部７１で選択した電子メールについてのメール本文の内容を表示する本文表示部７５とが設けられている。表題一覧表示部７１の各表題の横のクリップマーク７１Ａは、アクセスキーが付加されている分離処理済メール（つまり、添付ファイルが付されていた電子メール）について表示される。      
【０１３２】
また、メール閲覧画面７０には、表題一覧表示部７１で選択した電子メールに付された添付ファイルを一覧表示する添付ファイル一覧表示部７６と、添付ファイル一覧表示部７６で選択した添付ファイルの情報を表示する添付ファイル情報表示部７７と、添付ファイル一覧表示部７６で選択した添付ファイルの内容を安全な形式（ここでは、一例としてテキスト形式）で表示する添付ファイル内容表示部７８と、各表示部７７，７８への表示要求を行うための「表示」ボタン７９と、添付ファイル一覧表示部７６で選択されて各表示部７７，７８に表示されている添付ファイルを受信、削除するための「受信」ボタン８０、「削除」ボタン８１とが設けられている。
【０１３３】
図５において、受信者は、表題一覧表示部７１で、閲覧する電子メールを選択する。ここでは、クリップマーク７１Ａの付いた分離処理済メール（件名：「商品発表会のお知らせ」）を選択するものとする。すると、各表示部７２〜７４には、選択した分離処理済メールについての送信者、宛先、件名が表示されるとともに、本文内容表示処理手段２２により、本文表示部７５にメール本文の内容が表示される（ステップＳ１０）。これにより、受信者は、メール本文の内容を確認できる。
【０１３４】
続いて、受信者は、添付ファイル一覧表示部７６で、内容を確認したい添付ファイルを選択し、入力手段３０を操作して「表示」ボタン７９を押す。ここでは、「四半期売上データ.xls」という添付ファイルを選択するものとする。なお、添付ファイル一覧表示部７６に表示する情報は、アクセスキーとともに分離処理済メールに付加されてきたものである。但し、アクセスキーを用いてＰＯＰサーバ５０から取得して表示してもよい。
【０１３５】
すると、変換後ファイル要求信号送信手段２３により、「表示」ボタン７９の操作が受け付けられ、添付ファイル一覧表示部７６で選択した「四半期売上データ.xls」という添付ファイルに対応するアクセスキー（ここでは、「ＡＣＳ２０１０５６」とする。）が、変換後ファイル要求信号とともにＰＯＰサーバ５０に送信される（ステップＳ１１）。なお、本実施形態では、一つの添付ファイルに対し、一つのアクセスキーが与えられるので、図示の場合には、選択した電子メールに添付ファイルが４つあることから、４つのアクセスキーが与えられている。但し、最終的にＰＯＰサーバ５０側で添付ファイルを特定することができれば、アクセスキーは、一つの電子メールに付されている全ての添付ファイルについて共通のものとしてもよく、この場合には、アクセスキーと、一つの電子メールに付されている複数の添付ファイルの中から目的の添付ファイルを特定するための情報とを組合せて用いればよい。
【０１３６】
ＰＯＰサーバ５０では、変換後ファイル要求信号およびアクセスキーを受信すると、変換後ファイル送信手段５６により、変換テーブル（不図示）を参照してアクセスキーに対応する変換後ファイルを把握し、把握した変換後ファイルを変換後ファイル保管ボックス６３から抽出し、抽出した変換後ファイルをクライアント端末装置２０に送信する（ステップＳ１２）。
【０１３７】
クライアント端末装置２０では、変換後ファイル受信手段２４により、変換後ファイル要求信号に応じてＰＯＰサーバ５０から送信されてきた変換後ファイルを受信した後（ステップＳ１３）、添付ファイル内容表示処理手段２５により、受信した変換後ファイルを構成する変換後データを用いて、添付ファイル内容表示部７８に、選択した「四半期売上データ.xls」という添付ファイルの内容を安全な形式（ここでは、一例としてテキスト形式）で表示する（ステップＳ１４）。また、これと同時に、ＰＯＰサーバ５０から変換後ファイルとともに送信されてきた添付ファイルの情報を、添付ファイル情報表示部７７に表示する。これにより、受信者は、添付ファイルの内容を確認することができる。
【０１３８】
なお、上記の如く、各表示部７７，７８に表示する情報は、受信者の「表示」ボタン７９を押す操作により、ＰＯＰサーバ５０から取得される。但し、添付ファイル情報表示部７７に表示する情報は、添付ファイル一覧表示部７６に表示する情報の場合と同様に、アクセスキーとともに分離処理済メールに付加されて分離処理済メール送信手段５４により送信されてきたものでもよい。また、「表示」ボタン７９を設けずに、各表示部７６〜７８への表示処理を、受信者の操作に基づくことなく自動的に行われるようにしてもよい。但し、メール本文のみを閲覧すれば用が済む場合や、見る必要のないイメージデータを受信したくない場合等もあるので、無用な送受信の回避等の観点からは、「表示」ボタン７９を設け、受信者の操作に基づき変換後ファイルを受信するようすることが好ましい。
【０１３９】
添付ファイル情報表示部７７には、相手先アドレス（送信者）と、ファイル名と、ファイルタイプと、危険度と、アクセスキーとが表示される。危険度の表示は、例えば、マクロ無しのマイクロソフト社のＷｏｒｄファイルやＥｘｃｅｌファイル（各商標）、イメージデータ等の場合には「低」とし、マクロを有するＷｏｒｄファイルやＥｘｃｅｌファイル（各商標）等の場合には「中」とし、「.exe」、「.com」、「.sys」、「.vbs」等の実行型拡張子を有する実行ファイル等の場合には「高」とする等である。また、危険度の表示に色彩を加え、危険度「低」、「中」、「高」を、それぞれ緑、黄、赤とする等により異なる色彩で表示してもよい。
【０１４０】
添付ファイル内容表示部７８の表示は、例えば、図示の如く、Ｅｘｃｅｌファイルの場合には、意味内容を把握できる状態の表示７８Ａとなるので、受信者は、一応、ウィルスに感染していないと判断することができる。しかし、Ｅｘｃｅｌファイルであっても、マクロを有する場合には、意味内容を把握できない状態の表示７８Ｂとなる部分も含まれるので、この場合には、例えば、受信者（ここでは、大和太郎）は、送信者（ここでは、大和花子）に対し、Ｅｘｃｅｌファイルにマクロを付したか否かを問い合わせる等の確認をしてから、このファイルを受信するか否かの選択判断を行うことができる。
【０１４１】
そして、受信者は、添付ファイル情報表示部７７および添付ファイル内容表示部７８の表示内容を確認した後、添付ファイルを受信すると判断した場合には、入力手段３０を操作して「受信」ボタン８０を押す。すると、添付ファイル要求信号送信手段２６により、受信者による「受信」ボタン８０の操作が受け付けられ、添付ファイル要求信号がアクセスキーとともにＰＯＰサーバ５０に送信される（ステップＳ１５）。
【０１４２】
ＰＯＰサーバ５０では、添付ファイル要求信号およびアクセスキーを受信すると、添付ファイル送信手段５７により、変換テーブル（不図示）を参照してアクセスキーと添付ファイルとの対応関係を把握し、把握した添付ファイルを添付ファイル保管ボックス６２から抽出し、抽出した添付ファイルをクライアント端末装置２０に送信する（ステップＳ１６）。
【０１４３】
クライアント端末装置２０では、添付ファイル受信手段２７により、添付ファイル要求信号に応じてＰＯＰサーバ５０から送信されてきた添付ファイルを受信すると（ステップＳ１７）、図６に示す如く、ディスプレイ装置３１の画面上に、受信した添付ファイルを開くか保存するかを選択する添付ファイル開封・保存選択画面９０が表示される。
【０１４４】
図６において、添付ファイル開封・保存選択画面９０には、受信した添付ファイルを開くための「開く」選択部９１と、保存するための「保存」選択部９２と、各選択部９１，９２での選択結果を実行するための「ＯＫ」ボタン９３と、何もしない「キャンセル」ボタン９４とが設けられている。
【０１４５】
ここで、受信者は、「開く」選択部９１にチェックを入れて「ＯＫ」ボタン９３を押すことにより、添付ファイルを開くか、または実行し、あるいは「保存」選択部９２にチェックを入れて「ＯＫ」ボタン９３を押すことにより、添付ファイルを添付ファイル記憶手段３２に記憶保存させる（ステップＳ１８）。この際、添付ファイル記憶手段３２の場所（保存先のフォルダ）は、予め定めておいてもよく、その都度指定してもよい。
【０１４６】
さらに、別の添付ファイルについても、ステップＳ１１〜Ｓ１８の処理を繰り返す。例えば、図７に示すように、添付ファイル一覧表示部７６で「ＬＯＶＥ  ＬＥＴＴＥＲ.exe」という添付ファイルを選択し、「表示」ボタン７９を押すと、添付ファイル内容表示部７８の表示は、図示の如く意味を把握することのできない状態の表示となり、添付ファイル情報表示部７７には、危険度「高」が表示されるので、受信者は、これらの表示を見て、添付ファイルはウィルスであると判断することができる。また、ウィルスであると判断した場合には、受信者は、「削除」ボタン８１を押すことにより、削除要求信号およびアクセスキーをＰＯＰサーバ５０に送信し、ＰＯＰサーバ５０は、変換テーブルを参照してアクセスキーに対応する添付ファイルを把握し、把握した添付ファイルを添付ファイル保管ボックス６２から削除する。
【０１４７】
以上で、電子メールの受信およびウィルス感染防止対策の一連の処理を終了する（ステップＳ１９，Ｓ２０）。
【０１４８】
このような第１実施形態によれば、次のような効果がある。すなわち、ウィルス感染防止システム１０は、変換処理手段５５および添付ファイル内容表示処理手段２５を備えているので、受信者は、クライアント端末装置２０のディスプレイ装置３１の画面上で、添付ファイルの内容を安全な形式に変換された状態で確認することができ、受信者自らが添付ファイルを受信するか否かを判断することができる。このため、既存のウィルスを対象として行われるウィルス駆除処理により駆除することができない新種のウィルスであっても発見することができ、ウィルス感染防止機能の向上を図ることができる。
【０１４９】
また、ウィルス感染防止システム１０は、分離処理手段５３を備えているので、メール本文と添付ファイルとを分離できるため、受信者は、例えばメール本文のみを閲覧すれば用が済む場合やメール本文のみを急いで閲覧したい場合等には、添付ファイルを受信しないという選択もできる。このため、無用な送受信やそれに伴う時間の無駄を避けることができ、電子メールの効率的な活用を図ることができるうえ、ウィルス感染の可能性のある添付ファイルをクライアント端末装置２０に運んでこないという選択が可能となるため、電子メールの、より安全な利用を実現できる。
【０１５０】
［第２実施形態］
図８および図９には、本発明の第２実施形態のウィルス感染防止システム２００による処理に伴う画面例が示されている。本第２実施形態は、前述した「分離あり・サーバで予め変換・分離受信」の発明に関する実施形態である。
【０１５１】
前記第１実施形態では、本発明を実現するための専用のメール閲覧用プログラムを用いていたが、本第２実施形態では、既存のメール閲覧用プログラム（例えば、マイクロソフト社のマイクロソフトアウトルックやアウトルックエクスプレス（各登録商標）等）を利用し、かつ、本発明を実現するための専用の添付ファイル閲覧用プログラムを用いる点が異なる。
【０１５２】
ウィルス感染防止システム２００の構成および処理の流れは、前記第１実施形態のウィルス感染防止システム１０についての図２に示した構成および図３に示した処理の流れと略同様であるため、同一部分には同一符号を付して詳しい説明は省略し、以下には異なる部分のみを説明する。
【０１５３】
前記第１実施形態では、図２の分離処理手段５３は、メール本文と添付ファイルとを分離する処理を行い、分離されたメール本文に添付ファイルへのアクセスキーを付加し（添付ファイルとして添付するのではなく、メール本文そのものに追加する。）、これを分離処理済メールとして下位メールボックス６１に格納する構成とされていたが、本第２実施形態では、分離されたメール本文にアクセスキーを付加するのではなく、元々添付されていた添付ファイルの代わりに、アクセスキーを別の添付ファイルとしてメール本文に添付し、これを分離処理済メールとして下位メールボックス６１に格納する構成とされている。この際、分離処理済メールに添付された別の添付ファイルには、アクセスキーの他、添付ファイル閲覧用プログラムを起動するためのプログラム、または添付ファイル閲覧用プログラムそのものが含まれている。
【０１５４】
図８には、既存のメール閲覧用プログラムの受信トレイ画面２７０が示されている。図８において、受信トレイ画面２７０には、「送受信」ボタン２７１と、表題一覧表示部２７２と、本文表示部２７３と、クリップマークで示された「添付ファイル一覧表示」ボタン２７４とが設けられている。また、「添付ファイル一覧表示」ボタン２７４を押すと、添付ファイル一覧表示部２７５が表示されるようになっている。
【０１５５】
本第２実施形態では、図３のステップＳ７で、図２の分離処理済メール受信手段２１により行われる受信者の閲覧要求は、「送受信」ボタン２７１を押すことにより実行される。そして、クライアント端末装置２０で受信した分離処理済メールには、アクセスキーが元々の添付ファイルとは別の添付ファイルとして添付されているので、受信者が「添付ファイル一覧表示」ボタン２７４を押すと、添付ファイル一覧表示部２７５には、元々の添付ファイルへのアクセスキーを含む別の添付ファイルが表示される。図示の例では、アクセスキーを含む別の添付ファイルは、「.exe」の実行ファイルとなっているが、これに限定されるものではない。なお、これらの別の添付ファイルのファイル名の中のカッコ内には、アクセスキーが示されている。
【０１５６】
また、図３のステップＳ１１で、図２の変換後ファイル要求信号送信手段２３により行われる変換後ファイル要求信号およびアクセスキーの送信は、添付ファイル一覧表示部２７５に表示されたアクセスキーを含む別の添付ファイルをクリックすることにより実行される。例えば、添付ファイル一覧表示部２７５で、「四半期売上データ（ＡＣＳ２０１０５６）.exe」という添付ファイルをクリックすると、このファイルが実行され、変換後ファイル要求信号送信手段２３により、変換後ファイル要求信号およびアクセスキー（ＡＣＳ２０１０５６）がＰＯＰサーバ５０に送信されるとともに、添付ファイル閲覧用プログラムが起動される。なお、添付ファイル閲覧用プログラムの起動は、クライアント端末装置２０に既に搭載されているプログラムを起動するようにしてもよく、あるいは実行ファイルである添付ファイル自身が添付ファイル閲覧用プログラムとして立ち上がってもよい。
【０１５７】
添付ファイル閲覧用プログラムが起動されると、添付ファイル一覧表示部２７５でクリックした添付ファイルについての図９に示すような添付ファイル内容確認画面２８０がディスプレイ装置３１の画面上に表示される。図９において、添付ファイル内容確認画面２８０には、アクセスキー表示部２８１と、相手先アドレス・ファイル名・ファイルタイプ・危険度を表示する添付ファイル情報表示部２８２と、安全な形式（ここでは、一例としてテキスト形式とする。）による添付ファイル内容表示部２８３と、「受信」ボタン２８４と、「削除」ボタン２８５とが設けられている。各表示部２８２，２８３の表示は、変換後ファイル要求信号に応じてＰＯＰサーバ５０から送信されてきた変換後ファイルおよびその情報を用いて行われる。
【０１５８】
本第２実施形態では、図３のステップＳ１５で、図２の添付ファイル要求信号送信手段２６により行われる添付ファイル要求信号およびアクセスキーの送信は、「受信」ボタン２８４を押すことにより実行される。また、「削除」ボタン２８５を押すと、添付ファイル内容確認画面２８０で表示されている添付ファイル（添付ファイル一覧表示部２７５でクリックした添付ファイル）の削除要求信号およびアクセスキーがＰＯＰサーバ５０に送信され、アクセスキーに対応する添付ファイルが添付ファイル保管ボックス６２から削除される。
【０１５９】
このような第２実施形態によれば、前記第１実施形態の場合と同様に、安全な形式で添付ファイルの内容を確認できる効果、受信者自らが添付ファイルを受信するか否かを判断できる効果、新種のウィルスに対応できる効果およびこれに伴うウィルス感染防止機能の向上効果、メール本文と添付ファイルとの分離による無用な送受信の回避効果や無駄時間の削減効果およびこれに伴う電子メールの効率的な活用効果、ウィルス感染の可能性のある添付ファイルをクライアント端末装置２０に運ばないことによる電子メールの安全利用効果を得ることができる。
【０１６０】
［第３実施形態］
図１０には、本発明の第３実施形態のウィルス感染防止システム３００の全体構成が、処理の流れおよびデータや信号の流れとともに示されている。本第３実施形態は、前述した「分離あり・サーバで予め変換・合成受信」の発明に関する実施形態である。図１１には、ウィルス感染防止システム３００による処理の流れがフローチャートで示されている。図１２〜図１５には、ウィルス感染防止システム３００による処理に伴う画面例が示されている。
【０１６１】
ウィルス感染防止システム３００の構成および処理の流れは、前記第１、第２実施形態のウィルス感染防止システム１０，２００についての図２に示した構成および図３に示した処理の流れと略同様であり、添付ファイルの受信の仕方が異なるだけであるため、同一部分には同一符号を付して詳しい説明は省略し、以下には異なる部分のみを説明する。
【０１６２】
本第３実施形態の分離処理手段５３は、前記第１実施形態の場合と同様に、メール本文と添付ファイルとを分離する処理を行い、分離されたメール本文に添付ファイルへのアクセスキーを付加し（添付ファイルとして添付するのではなく、メール本文そのものに追加する。）、これを分離処理済メールとして下位メールボックス６１に格納する構成としてもよく、あるいは前記第２実施形態の場合と同様に、分離されたメール本文にアクセスキーを付加するのではなく、元々添付されていた添付ファイルの代わりに、アクセスキーを別の添付ファイルとしてメール本文に添付し、これを分離処理済メールとして下位メールボックス６１に格納する構成としてもよい。ここでは、後者の如く、前記第２実施形態の場合と同様な構成とするものとして説明を行う。
【０１６３】
前記第１実施形態の第２のＰＯＰサーバ５０の処理手段５０Ａには、添付ファイル送信手段５７が設けられ（図２参照）、この添付ファイル送信手段５７は、クライアント端末装置２０から添付ファイル要求信号とともに送信されてくるアクセスキーに対応する添付ファイルを添付ファイル保管ボックス６２から抽出し、抽出した添付ファイルをクライアント端末装置２０に送信する処理を行うものであった。これに対し、本第３実施形態の第２のＰＯＰサーバ３５０の処理手段３５０Ａには、図１０に示すように、合成処理手段３５７と、合成処理済メール送信手段３５８とが設けられている。
【０１６４】
合成処理手段３５７は、クライアント端末装置３２０から添付ファイル要求信号とともに送信されてくるアクセスキーに対応する添付ファイルを添付ファイル保管ボックス６２から抽出するとともに、この添付ファイルに対応するメール本文を下位メールボックス６１から抽出し、これらの添付ファイルとメール本文とを合成し、これを合成処理済メールとして下位メールボックス６１に格納する処理を行うものである。この合成処理手段３５７による添付ファイルの抽出の際のアクセスキーと添付ファイルとの対応関係、およびメール本文の抽出の際のアクセスキーとメール本文との対応関係または添付ファイルとメール本文との対応関係の把握は、変換テーブル（不図示）を参照して行われる。
【０１６５】
合成処理済メール送信手段３５８は、合成処理手段３５７による合成処理で得られた合成処理済メール（本実施形態では、下位メールボックス６１に格納された合成処理済メール）を、クライアント端末装置３２０に送信する処理を行うものである。この合成処理済メールの送信は、本第３実施形態では、クライアント端末装置３２０から送信されてくる受信者の閲覧要求（電子メールの再受信の要求）に応じて行われる。なお、このような受信者の閲覧要求無しに、自動的に合成処理手段３５７による合成処理で得られた合成処理済メールを、合成処理済メール送信手段３５８によりクライアント端末装置３２０に送信するようにしてもよい。
【０１６６】
また、前記第１実施形態のクライアント端末装置２０の処理手段２０Ａには、添付ファイル受信手段２７が設けられ（図２参照）、この添付ファイル受信手段２７は、添付ファイル要求信号に応じてＰＯＰサーバ５０から送信されてきた添付ファイルを受信するとともに、受信した添付ファイルを受信者が開く操作や保存する操作を受け付ける処理を行うものであった。これに対し、本第３実施形態のクライアント端末装置３２０の処理手段３２０Ａには、図１０に示すように、合成処理済メール受信手段３２７が設けられている。
【０１６７】
合成処理済メール受信手段３２７は、受信者の閲覧要求に応じてＰＯＰサーバ３５０から送信されてきた合成処理済メールを受信する処理を行うものである。
【０１６８】
このような第３実施形態においては、以下のようにしてウィルス感染防止システム３００によりウィルス感染の防止対策を施しながら電子メールの受信が行われる。
【０１６９】
図１１において、第２のＰＯＰサーバ３５０を起動するとともに（ステップＳ３０１）、クライアント端末装置３２０を起動してメール閲覧用プログラムを立ち上げる（ステップＳ３０２）。先ず、前記第１実施形態の場合（図３参照）と同様に、ＰＯＰサーバ３５０で、取込処理手段５１による処理（ステップＳ３０３）およびウィルス駆除処理手段５２による処理を行う（ステップＳ３０４）。
【０１７０】
続いて、ＰＯＰサーバ３５０で、ウィルス駆除処理後に、分離処理手段５３により、上位メールボックス６０に格納された電子メールのうち添付ファイルを付された電子メールについて、メール本文と添付ファイルとを分離する処理を行った後、元々添付されていた添付ファイルの代わりに、その添付ファイルへのアクセスキーを別の添付ファイルとしてメール本文に添付し、これを分離処理済メールとして下位メールボックス６１に格納するとともに、分離された添付ファイル（元々添付されていた添付ファイル）を添付ファイル保管ボックス６２に保管する（ステップＳ３０５）。また、添付ファイルとアクセスキーとの対応関係を変換テーブルに記憶させる。
【０１７１】
それから、ＰＯＰサーバ３５０で、前記第１実施形態の場合（図３参照）と同様に、変換処理手段５５による処理を行う（ステップＳ３０６）。
【０１７２】
一方、クライアント端末装置３２０では、受信者が、自分宛の電子メールを受信するために、入力手段３０を操作し、ディスプレイ装置３１の画面上に、図１２に示すような受信トレイ画面３７０を表示させる。この画面３７０は、既存のメール閲覧用プログラム（例えば、マイクロソフト社のマイクロソフトアウトルックやアウトルックエクスプレス（各登録商標）等）により表示されるものである。
【０１７３】
図１２において、受信トレイ画面３７０は、前記第２実施形態の受信トレイ画面２７０（図８参照）と同様のものであり、「送受信」ボタン３７１と、表題一覧表示部３７２と、本文表示部３７３と、クリップマークで示された「添付ファイル一覧表示」ボタン３７４とが設けられている。また、「添付ファイル一覧表示」ボタン３７４を押すと、添付ファイル一覧表示部３７５が表示されるようになっている。
【０１７４】
この受信トレイ画面３７０で、受信者が「送受信」ボタン３７１を押すと、分離処理済メール受信手段２１により、この操作が受け付けられ、受信者の閲覧要求がＰＯＰサーバ３５０に送信される（ステップＳ３０７）。
【０１７５】
ＰＯＰサーバ３５０では、受信者の閲覧要求を受信すると、分離処理済メール送信手段５４により、下位メールボックス６１に格納された分離処理済メール（メール本文にアクセスキーを元々の添付ファイルとは別の添付ファイルとして代替的に付加した状態の電子メール）を含む電子メールの中から、閲覧要求をしてきた受信者に宛てられた電子メールを抽出し、これをクライアント端末装置３２０に送信する（ステップＳ３０８）。なお、ここで送信される電子メールには、分離処理済メールのみならず、添付ファイルが元々付されていない電子メールも含まれ、また、下位メールボックス６１に合成処理済メールがある場合には、合成処理済メール（以下で説明する件とは別件の電子メールについて、後述するステップＳ３１６の処理が既に行われたもの）も含まれる。
【０１７６】
クライアント端末装置３２０では、分離処理済メール受信手段２１により、受信者の閲覧要求に応じてＰＯＰサーバ３５０から送信されてきた分離処理済メール（メール本文にアクセスキーを元々の添付ファイルとは別の添付ファイルとして代替的に付加した状態の電子メール）を含む電子メールを受信する（ステップＳ３０９）。すると、図１２の表題一覧表示部３７２には、受信した電子メールの表題（件名）が表示される。
【０１７７】
図１２において、受信者は、表題一覧表示部３７２で、閲覧する電子メールを選択する。ここでは、クリップマーク３７２Ａの付いた分離処理済メール（件名：「商品発表会のお知らせ」）を選択するものとする。すると、本文内容表示処理手段２２により、本文表示部３７３にメール本文の内容が表示される（ステップＳ３１０）。これにより、受信者は、メール本文の内容を確認できる。
【０１７８】
続いて、受信者が「添付ファイル一覧表示」ボタン３７４を押すと、添付ファイル一覧表示部３７５に、例えば「未確認ファイルが４件あります.exe」という添付ファイルが表示される。なお、「４件」という件数の表示は、電子メールに添付された添付ファイルの個数に応じて変化する。この「未確認ファイルが４件あります.exe」という添付ファイルは、分離処理手段５３により生成されて分離処理済メールに添付されたものであり、この添付ファイルには、電子メール（件名：「商品発表会のお知らせ」）に添付されていた４件の添付ファイルについてそれぞれ付与された４つのアクセスキーの他、添付ファイル閲覧用プログラムを起動するためのプログラム、または添付ファイル閲覧用プログラムそのものが含まれている。
【０１７９】
添付ファイル一覧表示部３７５で、受信者が、入力手段３０を操作して「未確認ファイルが４件あります.exe」をクリックすると、変換後ファイル要求信号送信手段２３により、このクリック操作が受け付けられ、４件の添付ファイルに対応する４つのアクセスキーが、変換後ファイル要求信号とともにＰＯＰサーバ３５０に送信される（ステップＳ３１１）。また、これと併せ、添付ファイル閲覧用プログラムが起動され、図１３に示すような添付ファイル内容確認画面３８０が、ディスプレイ装置３１の画面上に表示される。
【０１８０】
図１３において、添付ファイル内容確認画面３８０には、相手先アドレス表示部３８１と、添付ファイル情報表示部３８２と、添付ファイル内容表示部３８３と、「ＯＫ」ボタン３８４と、「キャンセル」ボタン３８５とが設けられている。添付ファイル情報表示部３８２には、各添付ファイルのファイル名、ファイルタイプ、危険度を表示する各表示欄３８２Ａ，３８２Ｂ，３８２Ｃと、各添付ファイルを受信、削除、保留することを選択する各選択欄３８２Ｄ，３８２Ｅ，３８２Ｆとが設けられている。
【０１８１】
ＰＯＰサーバ３５０では、変換後ファイル要求信号およびアクセスキー（ここでは、４つのアクセスキー）を受信すると、変換後ファイル送信手段５６により、変換テーブル（不図示）を参照して各アクセスキーに対応する各変換後ファイルを把握し、把握した各変換後ファイルを変換後ファイル保管ボックス６３から抽出し、抽出した各変換後ファイルをクライアント端末装置３２０に送信する（ステップＳ３１２）。
【０１８２】
クライアント端末装置３２０では、変換後ファイル受信手段２４により、変換後ファイル要求信号に応じてＰＯＰサーバ３５０から送信されてきた各変換後ファイルを受信した後（ステップＳ３１３）、添付ファイル情報表示部３８２に、各添付ファイルの情報を表示する。この添付ファイル情報表示部３８２に表示する情報は、変換後ファイルとともにＰＯＰサーバ３５０から送信されてきたものである。なお、「未確認ファイルが４件あります.exe」という添付ファイルの中に、添付ファイル情報表示部３８２に表示する情報を含ませておいてもよい。
【０１８３】
続いて、受信者は、添付ファイル情報表示部３８２でカーソル３８２Ｇを移動させ、各添付ファイル（ここでは、４つの添付ファイル）の中から、内容を確認したい添付ファイルを選択する。すると、添付ファイル内容表示処理手段２５により、受信した変換後ファイルを構成する変換後データを用いて、添付ファイル内容表示部３８３に添付ファイルの内容が安全な形式（ここでは、一例としてテキスト形式）で表示される（ステップＳ３１４）。これにより、受信者は、添付ファイルの内容を確認することができる。ここでは、「四半期売上データ」という名称の添付ファイルについて内容表示および確認を行うものとする。
【０１８４】
そして、受信者は、添付ファイル情報表示部３８２および添付ファイル内容表示部３８３の表示内容を確認した後、その添付ファイル（ここでは、「四半期売上データ.xls」）を受信すると判断した場合には、その添付ファイルについての受信選択欄３８２Ｄにチェックを入れ、削除すると判断した場合には、削除選択欄３８２Ｅにチェックを入れ、保留すると判断した場合には、保留選択欄３８２Ｆにチェックを入れる。そして、以上の操作を全ての添付ファイルについて行う。ここでは、「商品説明資料.doc」および「発表商品の写真.jpg」については安全であると判断して受信し、「ＬＯＶＥ  ＬＥＴＴＥＲ.exe」については危険であると判断して削除し、「四半期売上データ.xls」については直ぐに判断が付かないので保留するものとする。
【０１８５】
この状態で、受信者が「ＯＫ」ボタン３８４を押すと、添付ファイル要求信号送信手段２６により、この操作が受け付けられ、添付ファイル要求信号がアクセスキーとともにＰＯＰサーバ３５０に送信される（ステップＳ３１５）。ここでは、「商品説明資料.doc」および「発表商品の写真.jpg」に対応する２つのアクセスキーが添付ファイル要求信号とともに送信され、また、「ＬＯＶＥ  ＬＥＴＴＥＲ.exe」に対応するアクセスキーが削除要求信号とともに送信され、「四半期売上データ.xls」に対応するアクセスキーが保留信号とともに送信される。そして、ディスプレイ装置３１の画面上から図１３の添付ファイル内容確認画面３８０が消え、再び、図１２の受信トレイ画面３７０の表示に戻る。なお、「キャンセル」ボタン３８５を押すと、添付ファイル要求信号、削除要求信号、保留信号の送信は行われない。
【０１８６】
ＰＯＰサーバ３５０では、添付ファイル要求信号およびアクセスキーを受信すると、合成処理手段３５７により、変換テーブル（不図示）を参照してアクセスキーに対応する添付ファイルを添付ファイル保管ボックス６２から抽出するとともに、この添付ファイルに対応するメール本文を下位メールボックス６１から抽出し、これらの添付ファイルとメール本文とを合成し、これを合成処理済メールとして下位メールボックス６１に格納する。ここでは、「商品説明資料.doc」および「発表商品の写真.jpg」が、再び、メール本文に添付される。
【０１８７】
また、ＰＯＰサーバ３５０は、削除要求信号およびアクセスキーを受信すると、変換テーブル（不図示）を参照してアクセスキーに対応する添付ファイルを把握し、把握した添付ファイル（ここでは、「ＬＯＶＥ  ＬＥＴＴＥＲ.exe」）を添付ファイル保管ボックス６２から削除する。さらに、ＰＯＰサーバ３５０は、保留信号およびアクセスキーを受信すると、そのアクセスキー（ここでは、「四半期売上データ.xls」に対応するアクセスキー）を含む新たな添付ファイル（ここでは、「未確認ファイルが１件あります.exe」）を生成し、これを「商品説明資料.doc」および「発表商品の写真.jpg」と合わせてメール本文に添付し、下位メールボックス６１に格納する。従って、保留された添付ファイルがある場合には、合成処理済メールにはアクセスキーが含まれる状態となる。
【０１８８】
その後、クライアント端末装置３２０では、図１４に示すように、受信トレイ画面３７０で、受信者が「送受信」ボタン３７１を押すと、合成処理済メール受信手段３２７により、この操作が受け付けられ、受信者の閲覧要求がＰＯＰサーバ３５０に送信される（ステップＳ３１７）。
【０１８９】
ＰＯＰサーバ３５０では、受信者の閲覧要求を受信すると、合成処理済メール送信手段３５８により、下位メールボックス６１に格納された合成処理済メールを含む電子メールの中から、閲覧要求をしてきた受信者に宛てられた電子メールを抽出し、これをクライアント端末装置３２０に送信する（ステップＳ３１８）。なお、ここで送信される電子メールには、合成処理済メールのみならず、添付ファイルが元々付されていない電子メールも含まれ、また、下位メールボックス６１に分離処理済メールがある場合には、分離処理済メール（ここで説明している件とは別件の電子メールについて、前述したステップＳ３０５の処理が既に行われたもの）も含まれる。
【０１９０】
クライアント端末装置３２０では、合成処理済メール受信手段３２７により、受信者の閲覧要求に応じてＰＯＰサーバ３５０から送信されてきた合成処理済メールを含む電子メールを受信する（ステップＳ３１９）。すると、図１４に示す如く、表題一覧表示部３７２には、受信した電子メールの表題（件名）が表示される。ここでは、「商品発表会のお知らせ」という件名の合成処理済メールが、新着の電子メールとして表示される。なお、前回の受信者の閲覧要求に応じてＰＯＰサーバ３５０から送信されてきた同名の分離処理済メール（クリップマーク３７２Ａの付いたもの）は、受信者が適宜削除すればよい。
【０１９１】
図１４において、受信者は、表題一覧表示部３７２で、閲覧する電子メールを選択する。ここでは、クリップマーク３７２Ｂの付いた合成処理済メール（件名：「商品発表会のお知らせ」）を選択するものとする。すると、本文内容表示処理手段２２により、再び、本文表示部３７３にメール本文の内容が表示される。
【０１９２】
続いて、受信者が「添付ファイル一覧表示」ボタン３７４を押すと、添付ファイル一覧表示部３７５に、確認済みの添付ファイルである「商品説明資料.doc」および「発表商品の写真.jpg」、並びに例えば「未確認ファイルが１件あります.exe」という添付ファイル（保留された添付ファイルに対応するもの）が表示される。
【０１９３】
ここで、受信者が、受信した確認済みの添付ファイル（ここでは、「商品説明資料.doc」または「発表商品の写真.jpg」）をクリックすると、そのファイルを開くか保存するかを選択する添付ファイル開封・保存選択画面（図６の画面９０と類似の画面）が表示されるので、受信者は、その画面で選択操作を行い、添付ファイルを開くか、または実行し、あるいは添付ファイル記憶手段３２に記憶保存させる（ステップＳ３２０）。
【０１９４】
一方、「未確認ファイルが１件あります.exe」をクリックすると、ステップＳ３１１の処理に戻り、変換後ファイル要求信号送信手段２３により、このクリック操作が受け付けられ、保留された添付ファイルに対応するアクセスキーが、変換後ファイル要求信号とともにＰＯＰサーバ３５０に送信される。また、これと併せ、添付ファイル閲覧用プログラムが起動され、図１５に示す如く、添付ファイル内容確認画面３８０がディスプレイ装置３１の画面上に表示される。
【０１９５】
その後、ステップＳ３１２以降の処理が行われ、図１５の添付ファイル内容確認画面３８０の添付ファイル情報表示部３８２には、前回保留した添付ファイルである「四半期売上データ.xls」についてのファイル名・ファイルタイプ・危険度等の情報が表示され、添付ファイル内容表示部３８３には、この添付ファイルの内容が安全な形式（ここでは、一例としてテキスト形式）で表示される。そして、以降、保留の添付ファイルが無くなるまで同じ処理を繰り返し、電子メールの受信およびウィルス感染防止対策の一連の処理を終了する（ステップＳ３２１，Ｓ３２２）。
【０１９６】
このような第３実施形態によれば、前記第１、第２実施形態の場合と同様に、安全な形式で添付ファイルの内容を確認できる効果、受信者自らが添付ファイルを受信するか否かを判断できる効果、新種のウィルスに対応できる効果およびこれに伴うウィルス感染防止機能の向上効果、メール本文と添付ファイルとの分離による無用な送受信の回避効果や無駄時間の削減効果およびこれに伴う電子メールの効率的な活用効果、ウィルス感染の可能性のある添付ファイルをクライアント端末装置３２０に運ばないことによる電子メールの安全利用効果を得ることができる。
【０１９７】
なお、本第３実施形態では、クライアント端末装置３２０で行う処理を、既存のメール閲覧用プログラムと、本発明を実行するための専用の添付ファイル閲覧用プログラムとを組み合わせて行っていたが、前記第１実施形態の場合（図５、図６参照）の如く、本発明を実行するための専用のメール閲覧用プログラムを用いて行ってもよい。
【０１９８】
［第４実施形態］
図１６には、本発明の第４実施形態のウィルス感染防止システム４００の全体構成が、処理の流れおよびデータや信号の流れとともに示されている。本第４実施形態は、前述した「分離あり・サーバで逐次変換・分離受信」の発明に関する実施形態である。
【０１９９】
ウィルス感染防止システム４００の構成および処理の流れは、前記第１実施形態のウィルス感染防止システム１０についての図２に示した構成および図３に示した処理の流れと略同様であり、ＰＯＰサーバでの変換処理の手順が異なるだけであるため、同一部分には同一符号を付して詳しい説明は省略し、以下には異なる部分のみを説明する。
【０２００】
前記第１実施形態では、ＰＯＰサーバ５０の処理手段５０Ａは、変換処理手段５５により、添付ファイルの構成データを安全な形式のデータに予め変換し、この変換後データにより構成される変換後ファイルを変換後ファイル保管ボックス６３に保管しておき、受信者によるアクセスキーを含む変換後ファイル要求信号を受けて、そのアクセスキーに対応する変換後ファイルを変換後ファイル保管ボックス６３から抽出してクライアント端末装置２０に送信する構成とされていた。
【０２０１】
これに対し、本第４実施形態のＰＯＰサーバ４５０の処理手段４５０Ａは、添付ファイルの構成データを安全な形式のデータに予め変換して保管しておくのではなく、受信者からの変換後ファイル要求信号を受けたときに変換処理を逐次行う構成とされ、変換処理手段４５５と、変換後ファイル送信手段４５６とを備えている。
【０２０２】
変換処理手段４５５は、クライアント端末装置２０から変換後ファイル要求信号とともに送信されてくるアクセスキーに対応する添付ファイルを添付ファイル保管ボックス６２から抽出し、この抽出した添付ファイルの構成データを安全な形式（例えば、テキスト形式等）のデータに変換する処理を行うものである。この際、アクセスキーと添付ファイルとの対応関係は、図示されない変換テーブルを用いて把握される。
【０２０３】
変換後ファイル送信手段４５６は、変換処理手段４５５による変換処理で得られた変換後データにより構成される変換後ファイルを、クライアント端末装置２０に送信する処理を行うものである。
【０２０４】
従って、本第４実施形態のＰＯＰサーバ４５０には、前記第１実施形態の変換後ファイル保管ボックス６３（図２参照）に相当するものは設けられていない。
【０２０５】
このような第４実施形態においては、以下のようにして添付ファイルについての安全な形式への変換処理が行われる。
【０２０６】
すなわち、クライアント端末装置２０から、変換後ファイル要求信号送信手段２３により、アクセスキーが変換後ファイル要求信号とともにＰＯＰサーバ４５０に送信される。ＰＯＰサーバ４５０では、変換後ファイル要求信号およびアクセスキーを受信すると、変換処理手段４５５により、変換テーブル（不図示）を参照してアクセスキーに対応する添付ファイルを把握し、把握した添付ファイルを添付ファイル保管ボックス６２から抽出し、この抽出した添付ファイルの構成データを安全な形式のデータに変換する。
【０２０７】
続いて、変換後ファイル送信手段４５６により、変換処理手段４５５による変換処理で得られた変換後データにより構成される変換後ファイルを、クライアント端末装置２０に送信する。クライアント端末装置２０では、変換後ファイル受信手段２４により、ＰＯＰサーバ４５０から送信されてきた変換後ファイルを受信する。
【０２０８】
このような第４実施形態によれば、前記第１〜第３実施形態の場合と同様に、安全な形式で添付ファイルの内容を確認できる効果、受信者自らが添付ファイルを受信するか否かを判断できる効果、新種のウィルスに対応できる効果およびこれに伴うウィルス感染防止機能の向上効果、メール本文と添付ファイルとの分離による無用な送受信の回避効果や無駄時間の削減効果およびこれに伴う電子メールの効率的な活用効果、ウィルス感染の可能性のある添付ファイルをクライアント端末装置２０に運ばないことによる電子メールの安全利用効果を得ることができる。
【０２０９】
なお、本第４実施形態のクライアント端末装置２０で行う処理は、前記第１実施形態の場合（図５、図６参照）の如く、本発明を実行するための専用のメール閲覧用プログラムを用いて行ってもよく、あるいは前記第２実施形態の場合（図８、図９参照）や前記第３実施形態の場合（図１２〜図１５参照）の如く、既存のメール閲覧用プログラムと、本発明を実行するための専用の添付ファイル閲覧用プログラムとを組み合わせて行ってもよい。
【０２１０】
［第５実施形態］
図１７には、本発明の第５実施形態のウィルス感染防止システム５００の全体構成が、処理の流れおよびデータや信号の流れとともに示されている。本第５実施形態は、前述した「分離あり・サーバで逐次変換・合成受信」の発明に関する実施形態である。
【０２１１】
ウィルス感染防止システム５００の構成および処理の流れは、前記第３実施形態のウィルス感染防止システム３００についての図１０に示した構成および図１１に示した処理の流れと略同様であり、ＰＯＰサーバでの変換処理の手順が異なるだけであるため、同一部分には同一符号を付して詳しい説明は省略し、以下には異なる部分のみを説明する。また、変換処理の手順については、前記第４実施形態の場合（図１６参照）と同様である。
【０２１２】
前記第３実施形態では、ＰＯＰサーバ３５０の処理手段３５０Ａは、変換処理手段５５により、添付ファイルの構成データを安全な形式のデータに予め変換し、この変換後データにより構成される変換後ファイルを変換後ファイル保管ボックス６３に保管しておき、受信者によるアクセスキーを含む変換後ファイル要求信号を受けて、そのアクセスキーに対応する変換後ファイルを変換後ファイル保管ボックス６３から抽出してクライアント端末装置３２０に送信する構成とされていた。
【０２１３】
これに対し、本第５実施形態のＰＯＰサーバ５５０の処理手段５５０Ａは、添付ファイルの構成データを安全な形式のデータに予め変換して保管しておくのではなく、受信者からの変換後ファイル要求信号を受けたときに変換処理を逐次行う構成とされ、変換処理手段５５５と、変換後ファイル送信手段５５６とを備えている。
【０２１４】
変換処理手段５５５および変換後ファイル送信手段５５６は、前記第４実施形態の変換処理手段４５５および変換後ファイル送信手段４５６（図１６参照）とそれぞれ同様の構成および機能を有するものである。また、前記第４実施形態の場合と同様に、ＰＯＰサーバ５５０には、前記第１実施形態の変換後ファイル保管ボックス６３（図２参照）に相当するものは設けられていない。
【０２１５】
このような第５実施形態によれば、前記第１〜第４実施形態の場合と同様に、安全な形式で添付ファイルの内容を確認できる効果、受信者自らが添付ファイルを受信するか否かを判断できる効果、新種のウィルスに対応できる効果およびこれに伴うウィルス感染防止機能の向上効果、メール本文と添付ファイルとの分離による無用な送受信の回避効果や無駄時間の削減効果およびこれに伴う電子メールの効率的な活用効果、ウィルス感染の可能性のある添付ファイルをクライアント端末装置３２０に運ばないことによる電子メールの安全利用効果を得ることができる。
【０２１６】
なお、本第５実施形態のクライアント端末装置３２０で行う処理は、前記第１実施形態の場合（図５、図６参照）の如く、本発明を実行するための専用のメール閲覧用プログラムを用いて行ってもよく、あるいは前記第２実施形態の場合（図８、図９参照）や前記第３実施形態の場合（図１２〜図１５参照）の如く、既存のメール閲覧用プログラムと、本発明を実行するための専用の添付ファイル閲覧用プログラムとを組み合わせて行ってもよい。
【０２１７】
［第６実施形態］
図１８には、本発明の第６実施形態のウィルス感染防止システム６００の全体構成が、処理の流れおよびデータや信号の流れとともに示されている。本第６実施形態は、前述した「分離あり・ブラウザで変換」の発明に関する実施形態である。
【０２１８】
ウィルス感染防止システム６００は、前記第１〜第５実施形態の場合とは異なり、ＰＯＰサーバ６５０ではなく、クライアント端末装置６２０で安全な形式のデータへの変換処理を行う。なお、前記第１〜第５実施形態と同一部分には同一符号を付して詳しい説明は省略し、以下には異なる部分のみを説明する。
【０２１９】
前記第１実施形態では、ＰＯＰサーバ５０に、変換処理手段５５、変換後ファイル送信手段５６、変換後ファイル保管ボックス６３が設けられていたが、本第６実施形態のＰＯＰサーバ６５０には、これらに相当するものは設けられていない。
【０２２０】
クライアント端末装置６２０の処理手段６２０Ａは、前記第１実施形態の場合と同様な構成および機能を有する分離処理済メール受信手段２１および本文内容表示処理手段２２と、添付ファイル要求信号送信手段６２３と、添付ファイル受信手段６２４と、変換処理手段６２５と、添付ファイル内容表示処理手段６２６と、開封・保存受付処理手段６２７とを備えている。
【０２２１】
添付ファイル要求信号送信手段６２３は、添付ファイルの内容を確認しようとする受信者の操作に応じ、分離処理済メール受信手段２１により受信した分離処理済メールに付加または添付されているアクセスキーを、添付ファイル要求信号とともにＰＯＰサーバ６５０に送信する処理を行うものである。
【０２２２】
添付ファイル受信手段６２４は、添付ファイル要求信号に応じてＰＯＰサーバ６５０から送信されてきた添付ファイルを受信する処理を行うものである。
【０２２３】
変換処理手段６２５は、添付ファイル受信手段６２４により受信した添付ファイルの構成データを、安全な形式（例えば、テキスト形式等）のデータに変換する処理を行うものである。
【０２２４】
添付ファイル内容表示処理手段６２６は、変換処理手段６２５による変換処理で得られた変換後データを用いて、ディスプレイ装置３１の画面上に、添付ファイルの内容を安全な形式で表示する処理を行うものである。
【０２２５】
開封・保存受付処理手段６２７は、添付ファイル内容表示処理手段６２６により添付ファイル内容を確認した受信者が、その添付ファイルを開くか、または実行し、あるいは添付ファイル記憶手段３２に記憶保存させる操作を受け付ける処理を行うものである。
【０２２６】
このような第６実施形態においては、以下のようにしてウィルス感染防止システム６００によりウィルス感染の防止対策を施しながら電子メールの受信が行われる。
【０２２７】
ＰＯＰサーバ６５０で、取込処理手段５１およびウィルス駆除処理手段５２による処理を行った後、分離処理手段５３により、上位メールボックス６０に格納された電子メールのうち、添付ファイルを付された電子メールについて、メール本文と添付ファイルとを分離する処理を行い、分離されたメール本文にアクセスキーを付加または添付した状態（アクセスキーを本文自体として付加した状態、または元々付されていた添付ファイルに代えて、アクセスキーを含む別の添付ファイルを添付した状態）の分離処理済メールを下位メールボックス６１に格納するとともに、分離された添付ファイルを添付ファイル保管ボックス６２に保管しておく。
【０２２８】
そして、ＰＯＰサーバ６５０は、分離処理済メール送信手段５４により、受信者の閲覧要求に応じて、アクセスキーを含む分離処理済メールをクライアント端末装置６２０に送信する。クライアント端末装置６２０は、分離処理済メール受信手段２１により、この分離処理済メールを受信し、本文内容表示処理手段２２により、ディスプレイ装置３１の画面上に分離処理済メールのメール本文の内容を表示する。
【０２２９】
続いて、クライアント端末装置６２０は、添付ファイル要求信号送信手段６２３により、アクセスキーを添付ファイル要求信号とともにＰＯＰサーバ６５０に送信する。ＰＯＰサーバ６５０は、添付ファイル送信手段５７により、図示されない変換テーブルを参照してアクセスキーに対応する添付ファイルを把握し、把握した添付ファイルを添付ファイル保管ボックス６２から抽出してクライアント端末装置６２０に送信する。
【０２３０】
その後、クライアント端末装置６２０は、添付ファイル受信手段６２４により、添付ファイルを受信し、変換処理手段６２５により、添付ファイルの構成データを安全な形式のデータに変換する処理を行い、添付ファイル内容表示処理手段６２６により、変換後データを用いてディスプレイ装置３１の画面上に添付ファイルの内容を安全な形式で表示する。そして、受信者が、添付ファイル内容の確認を行った後、適宜、入力手段３０を用いて添付ファイルを開き、または保存する操作を行うと、これらの操作は、開封・保存受付処理手段６２７により受け付けられ、添付ファイルが開かれ、または実行され、あるいは添付ファイル記憶手段３２に保存される。
【０２３１】
このような第６実施形態によれば、次のような効果がある。すなわち、ウィルス感染防止システム６００は、変換処理手段６２５を備えているので、受信者は、クライアント端末装置６２０のディスプレイ装置３１の画面上で、添付ファイルの内容を安全な形式に変換された状態で確認することができ、受信者自らが添付ファイルを受信するか否かを判断することができる。このため、既存のウィルスを対象として行われるウィルス駆除処理により駆除することができない新種のウィルスであっても発見することができ、ウィルス感染防止機能の向上を図ることができる。
【０２３２】
また、ウィルス感染防止システム６００は、分離処理手段５３を備えているので、メール本文と添付ファイルとを分離できるため、受信者は、例えばメール本文のみを閲覧すれば用が済む場合やメール本文のみを急いで閲覧したい場合等には、添付ファイルを受信しないという選択もできる。このため、無用な送受信やそれに伴う時間の無駄を避けることができ、電子メールの効率的な活用を図ることができる。
【０２３３】
なお、本第６実施形態のクライアント端末装置６２０で行う処理は、前記第１実施形態の場合（図５、図６参照）の如く、本発明を実行するための専用のメール閲覧用プログラムを用いて行ってもよく、あるいは前記第２実施形態の場合（図８、図９参照）や前記第３実施形態の場合（図１２〜図１５参照）の如く、既存のメール閲覧用プログラムと、本発明を実行するための専用の添付ファイル閲覧用プログラムとを組み合わせて行ってもよい。
【０２３４】
［第７実施形態］
図１９には、本発明の第７実施形態のウィルス感染防止システム７００の全体構成が、処理の流れおよびデータや信号の流れとともに示されている。本第７実施形態は、前述した「分離なし・ブラウザで変換」の発明に関する実施形態である。
【０２３５】
本第７実施形態のウィルス感染防止システム７００は、前記第１〜第６実施形態の場合とは異なり、ＰＯＰサーバでのメール本文と添付ファイルとの分離処理は行わない。なお、前記第１〜第６実施形態と同一部分には同一符号を付して詳しい説明は省略し、以下には異なる部分のみを説明する。
【０２３６】
クライアント端末装置７２０の処理手段７２０Ａは、メール受信手段７２１と、本文内容表示処理手段７２２と、変換処理手段７２３と、添付ファイル内容表示処理手段７２４と、開封・保存受付処理手段７２５とを備えている。
【０２３７】
メール受信手段７２１は、受信者の閲覧要求に応じてメールボックス７６０から抽出されてＰＯＰサーバ７５０から送信されてきた電子メールを受信する処理を行うものである。
【０２３８】
本文内容表示処理手段７２２は、メール受信手段７２１により受信した電子メールについて、ディスプレイ装置３１の画面上に、メール本文の内容を表示する処理を行うものである。
【０２３９】
変換処理手段７２３は、メール受信手段７２１により受信した電子メールのうち、添付ファイルを付された電子メールについて、添付ファイル部分（図４の添付ファイルの内容の部分Ｍ５）のデータを安全な形式（例えば、テキスト形式等）のデータに変換する処理を行うものである。
【０２４０】
添付ファイル内容表示処理手段７２４は、変換処理手段７２３による変換処理で得られた変換後データを用いて、ディスプレイ装置３１の画面上に、添付ファイルの内容を安全な形式で表示する処理を行うものである。
【０２４１】
開封・保存受付処理手段７２５は、添付ファイル内容表示処理手段７２４により添付ファイル内容を確認した受信者が、その添付ファイルを開くか、または実行し、あるいは添付ファイル記憶手段３２に記憶保存させる操作を受け付ける処理を行うものである。
【０２４２】
そして、クライアント端末装置７２０の処理手段７２０Ａに含まれる各手段７２１〜７２５は、クライアント端末装置７２０を構成するコンピュータ本体（パーソナル・コンピュータのみならず、その上位機種のものも含む。）の内部に設けられた中央演算処理装置（ＣＰＵ）、およびこのＣＰＵの動作手順を規定するメール閲覧用プログラムにより実現される。このメール閲覧用プログラムは、本発明を実行するための専用のメール閲覧用プログラムである。
【０２４３】
ＰＯＰサーバ７５０は、処理手段７５０Ａと、受信した電子メールを格納するメールボックス７６０とを備えている。処理手段７５０Ａは、前記第１〜第６実施形態の場合と同様な構成および機能を有する取込処理手段５１およびウィルス駆除処理手段５２と、メールボックス７６０に格納された電子メールを受信者の閲覧要求に応じてクライアント端末装置７２０に送信するメール送信手段７５４とを含んで構成されている。
【０２４４】
このような第７実施形態においては、以下のようにしてウィルス感染防止システム７００によりウィルス感染の防止対策を施しながら電子メールの受信が行われる。
【０２４５】
先ず、ＰＯＰサーバ７５０で、取込処理手段５１およびウィルス駆除処理手段５２による処理を行う。
【０２４６】
次に、ＰＯＰサーバ７５０で、メール送信手段７５４により、受信者の閲覧要求に応じてメールボックス７６０からその受信者に宛てられた電子メールを抽出し、抽出した電子メールをクライアント端末装置７２０に送信する。クライアント端末装置７２０では、メール受信手段７２１により、添付ファイルとメール本文とを分離してない状態の電子メールを受信する。
【０２４７】
続いて、本文内容表示処理手段７２２により、ディスプレイ装置３１の画面上にメール本文の内容を表示するとともに、変換処理手段７２３により、添付ファイル部分のデータを安全な形式（例えば、テキスト形式等）のデータに変換する処理を行った後、添付ファイル内容表示処理手段７２４により、変換後データを用いてディスプレイ装置３１の画面上に添付ファイルの内容を安全な形式で表示する。
【０２４８】
そして、受信者が、添付ファイル内容の確認を行った後、適宜、入力手段３０を用いて添付ファイルを開き、または保存する操作を行うと、これらの操作は、開封・保存受付処理手段７２５により受け付けられ、添付ファイルが開かれ、または実行され、あるいは添付ファイル記憶手段３２に保存される。
【０２４９】
このような第７実施形態によれば、次のような効果がある。すなわち、ウィルス感染防止システム７００は、変換処理手段７２３を備えているので、受信者は、クライアント端末装置７２０のディスプレイ装置３１の画面上で、添付ファイルの内容を安全な形式に変換された状態で確認することができ、受信者自らが添付ファイルを受信するか否かを判断することができる。このため、既存のウィルスを対象として行われるウィルス駆除処理により駆除することができない新種のウィルスであっても発見することができ、ウィルス感染防止機能の向上を図ることができる。
【０２５０】
［第８実施形態］
図２０には、本発明の第８実施形態のウィルス感染防止システム８００の全体構成が、処理の流れおよびデータや信号の流れとともに示されている。また、図２１には、ウィルス感染防止システム８００による処理に伴う画面例が示されている。本第８実施形態は、前述した「分離なし・サーバで変換・本文に付加」の発明に関する実施形態である。
【０２５１】
本第８実施形態のウィルス感染防止システム８００は、前記第１〜第６実施形態の場合とは異なり、ＰＯＰサーバでのメール本文と添付ファイルとの分離処理は行わない。なお、前記第１〜第６実施形態と同一部分には同一符号を付して詳しい説明は省略し、以下には異なる部分のみを説明する。
【０２５２】
クライアント端末装置８２０の処理手段８２０Ａは、変換後データ付加処理済メール受信手段８２１と、本文内容表示処理手段８２２と、開封・保存受付処理手段８２３とを備えている。
【０２５３】
変換後データ付加処理済メール受信手段８２１は、受信者の閲覧要求（図２１の「送受信」ボタン８７１を押す操作）に応じてＰＯＰサーバ８５０から送信されてきた変換後データ付加処理済メールを受信する処理を行うものである。
【０２５４】
本文内容表示処理手段８２２は、変換後データ付加処理済メール受信手段８２１により受信した変換後データ付加処理済メールについて、ディスプレイ装置３１の画面上に、変換後データを付加した状態のメール本文の内容を表示する処理を行うものである。
【０２５５】
開封・保存受付処理手段８２３は、本文内容表示処理手段８２２による表示で添付ファイル内容を確認した受信者が、その添付ファイルを開くか、または実行し、あるいは添付ファイル記憶手段３２に記憶保存させる操作を受け付ける処理を行うものである。
【０２５６】
ＰＯＰサーバ８５０は、処理手段８５０Ａと、前記第１実施形態の場合と同様な構成および機能を有する上位メールボックス６０と、下位メールボックス８６１とを備えている。処理手段８５０Ａは、前記第１実施形態の場合と同様な構成および機能を有する取込処理手段５１およびウィルス駆除処理手段５２と、変換処理手段８５３と、変換後データ付加処理手段８５４と、変換後データ付加処理済メール送信手段８５５とを備えている。
【０２５７】
変換処理手段８５３は、上位メールボックス６０に格納された電子メールのうち、添付ファイルを付された電子メールについて、添付ファイル部分（図４の添付ファイルの内容の部分Ｍ５）のデータを安全な形式（例えば、テキスト形式等）のデータに変換する処理を行うものである。
【０２５８】
変換後データ付加処理手段８５４は、変換処理手段８５３による変換処理で得られた変換後データを、電子メールのメール本文の後ろの位置に、メール閲覧用プログラムによりメール本文と認識される状態で付加する処理を行うものである。つまり、変換後データを、図４のメール本文の部分Ｍ３と、添付ファイルの情報の部分Ｍ４との間に挿入する。
【０２５９】
変換後データ付加処理済メール送信手段８５５は、受信者の閲覧要求に応じて下位メールボックス８６１からその受信者に宛てられた変換後データ付加処理済メールを抽出し、抽出した変換後データ付加処理済メールをクライアント端末装置８２０に送信する処理を行うものである。
【０２６０】
下位メールボックス８６１は、変換後データ付加処理手段８５４による付加処理で得られた変換後データ付加処理済メールを格納するものである。
【０２６１】
このような第８実施形態においては、以下のようにしてウィルス感染防止システム８００によりウィルス感染の防止対策を施しながら電子メールの受信が行われる。
【０２６２】
先ず、ＰＯＰサーバ８５０で、取込処理手段５１およびウィルス駆除処理手段５２による処理を行う。
【０２６３】
次に、ＰＯＰサーバ８５０で、変換処理手段８５３により、上位メールボックス６０に格納されている電子メールの添付ファイル部分のデータを、安全な形式のデータに変換した後、変換後データ付加処理手段８５４により、変換後データを電子メールのメール本文の後ろの位置に付加する処理を行い、この変換後データ付加処理済メールを下位メールボックス８６１に格納しておく。そして、変換後データ付加処理済メール送信手段８５５により、受信者の閲覧要求に応じて下位メールボックス８６１から変換後データ付加処理済メールを抽出してクライアント端末装置８２０に送信する。
【０２６４】
一方、クライアント端末装置８２０では、変換後データ付加処理済メール受信手段８２１により、受信者の閲覧要求に応じてＰＯＰサーバ８５０から送信されてきた変換後データ付加処理済メールを受信した後、本文内容表示処理手段８２２により、変換後データ付加処理済メール受信手段８２１により受信した変換後データ付加処理済メールについて、図２１に示す如く、ディスプレイ装置３１の画面上に、変換後データを付加した状態のメール本文の内容を表示する。
【０２６５】
図２１において、受信トレイ画面８７０には、「送受信」ボタン８７１と、表題一覧表示部８７２と、本文表示部８７３と、クリップマークで示された「添付ファイル一覧表示」ボタン８７４とが設けられている。また、「添付ファイル一覧表示」ボタン８７４を押すと、添付ファイル一覧表示部８７５が表示されるようになっている。なお、この受信トレイ画面８７０は、既存のメール閲覧用プログラム（例えば、マイクロソフト社のマイクロソフトアウトルックやアウトルックエクスプレス（各登録商標））により表示されている。但し、本第８実施形態のクライアント端末装置８２０で行う処理は、本発明を実行するための専用のメール閲覧用プログラムを用いて行ってもよい。
【０２６６】
本文表示部８７３には、メール本文８７３Ａが表示され、この後ろ（下側）には、各添付ファイルの内容８７３Ｂが安全な形式（ここでは、一例としてテキスト形式）で表示されている。また、各添付ファイルの内容８７３Ｂの前（上側）には、添付ファイルのファイル名を含む見出し８７３Ｃと、ファイルタイプ・危険度８７３Ｄとが表示され、これにより、本来のメール本文８７３Ａの部分と、これに付加した各添付ファイルの内容８７３Ｂの部分との区別がつくようになっている。なお、見出し８７３Ｃやファイルタイプ・危険度８７３Ｄも、添付ファイルの内容８７３Ｂと同様に、変換後データ付加処理手段８５４により付加されたものである。
【０２６７】
そして、受信者が、本文内容表示処理手段８２２により本文表示部８７３に表示された各添付ファイルの内容８７３Ｂおよびファイルタイプ・危険度８７３Ｄの表示を確認した後、適宜、入力手段３０を用いて添付ファイルを開き、または保存する操作を行うと、これらの操作は、開封・保存受付処理手段８２３により受け付けられ、添付ファイルが開かれ、または実行され、あるいは添付ファイル記憶手段３２に保存される。
【０２６８】
このような第８実施形態によれば、次のような効果がある。すなわち、ウィルス感染防止システム８００は、変換処理手段８５３を備えているので、受信者は、クライアント端末装置８２０のディスプレイ装置３１の画面上で、添付ファイルの内容を安全な形式に変換された状態で確認することができ、受信者自らが添付ファイルを受信するか否かを判断することができる。このため、既存のウィルスを対象として行われるウィルス駆除処理により駆除することができない新種のウィルスであっても発見することができ、ウィルス感染防止機能の向上を図ることができる。
【０２６９】
また、変換後データ付加処理手段８５４は、変換後データをメール本文の後ろの位置にメール本文と認識される状態で付加する構成とされているので、クライアント端末装置８２０で既存のメール閲覧用プログラムを利用することができる。
【０２７０】
［第９実施形態］
図２２には、本発明の第９実施形態のウィルス感染防止システム９００の全体構成が、処理の流れおよびデータや信号の流れとともに示されている。また、図２３および図２４には、ウィルス感染防止システム９００による処理に伴う画面例が示されている。本第９実施形態は、前述した「分離なし・サーバで変換・別の添付ファイルとして添付」の発明に関する実施形態である。
【０２７１】
本第９実施形態のウィルス感染防止システム９００は、前記第１〜第６実施形態の場合とは異なり、ＰＯＰサーバでのメール本文と添付ファイルとの分離処理は行わない。なお、前記第１〜第６実施形態と同一部分には同一符号を付して詳しい説明は省略し、以下には異なる部分のみを説明する。
【０２７２】
クライアント端末装置９２０の処理手段９２０Ａは、変換後ファイル添付処理済メール受信手段９２１と、本文内容表示処理手段９２２と、添付ファイル内容表示処理手段９２３と、開封・保存受付処理手段９２４とを備えている。
【０２７３】
変換後ファイル添付処理済メール受信手段９２１は、受信者の閲覧要求（図２３の「送受信」ボタン９７１を押す操作）に応じてＰＯＰサーバ９５０から送信されてきた変換後ファイル添付処理済メールを受信する処理を行うものである。
【０２７４】
本文内容表示処理手段９２２は、変換後ファイル添付処理済メール受信手段９２１により受信した変換後ファイル添付処理済メールについて、ディスプレイ装置３１の画面上に、メール本文の内容を表示する処理を行うものである。
【０２７５】
添付ファイル内容表示処理手段９２３は、変換後ファイル添付処理済メール受信手段９２１により受信した変換後ファイル添付処理済メールに添付されている追加された添付ファイル（変換後データにより構成される変換後ファイル）を開き、変換後データを用いて、ディスプレイ装置３１の画面上に、元々付されていた添付ファイルの内容を安全な形式で表示する処理を行うものである。この添付ファイル内容表示処理手段９２３は、変換後ファイル添付処理済メールに添付されてきた変換後ファイルにより、クライアント端末装置９２０に既に搭載されているプログラム（例えばテキストエディタ等）を立ち上げて実現されてもよく、あるいは変換後ファイル添付処理済メールに添付される変換後ファイルを実行ファイルとし、この変換後ファイル自身を実行することにより実現してもよい。
【０２７６】
開封・保存受付処理手段９２４は、添付ファイル内容表示処理手段９２３による表示で添付ファイル内容を確認した受信者が、その添付ファイルを開くか、または実行し、あるいは添付ファイル記憶手段３２に記憶保存させる操作を受け付ける処理を行うものである。
【０２７７】
ＰＯＰサーバ９５０は、処理手段９５０Ａと、前記第１実施形態の場合と同様な構成および機能を有する上位メールボックス６０と、下位メールボックス９６１とを備えている。処理手段９５０Ａは、前記第１実施形態の場合と同様な構成および機能を有する取込処理手段５１およびウィルス駆除処理手段５２と、変換処理手段９５３と、変換後ファイル添付処理手段９５４と、変換後ファイル添付処理済メール送信手段９５５とを備えている。
【０２７８】
変換処理手段９５３は、上位メールボックス６０に格納された電子メールのうち、添付ファイルを付された電子メールについて、添付ファイル部分（図４の添付ファイルの内容の部分Ｍ５）のデータを安全な形式（例えば、テキスト形式等）のデータに変換する処理を行うものである。
【０２７９】
変換後ファイル添付処理手段９５４は、変換処理手段９５３による変換処理で得られた変換後データにより構成される変換後ファイルを、電子メールに別の添付ファイルとして追加的に添付する処理を行うものである。
【０２８０】
変換後ファイル添付処理済メール送信手段９５５は、受信者の閲覧要求に応じて下位メールボックス９６１からその受信者に宛てられた変換後ファイル添付処理済メールを抽出し、抽出した変換後ファイル添付処理済メールをクライアント端末装置９２０に送信する処理を行うものである。
【０２８１】
下位メールボックス９６１は、変換後ファイル添付処理手段９５４による添付処理で得られた変換後ファイル添付処理済メールを格納するものである。
【０２８２】
このような第９実施形態においては、以下のようにしてウィルス感染防止システム９００によりウィルス感染の防止対策を施しながら電子メールの受信が行われる。
【０２８３】
先ず、ＰＯＰサーバ９５０で、取込処理手段５１およびウィルス駆除処理手段５２による処理を行う。
【０２８４】
次に、ＰＯＰサーバ９５０で、変換処理手段９５３により、上位メールボックス６０に格納されている電子メールの添付ファイル部分のデータを、安全な形式のデータに変換した後、変換後ファイル添付処理手段９５４により、変換後データにより構成される変換後ファイルを電子メールに別の添付ファイルとして追加的に添付する処理を行い、この変換後ファイル添付処理済メールを下位メールボックス９６１に格納しておく。そして、変換後ファイル添付処理済メール送信手段９５５により、受信者の閲覧要求に応じて下位メールボックス９６１から変換後ファイル添付処理済メールを抽出してクライアント端末装置９２０に送信する。
【０２８５】
一方、クライアント端末装置９２０では、変換後ファイル添付処理済メール受信手段９２１により、受信者の閲覧要求に応じてＰＯＰサーバ９５０から送信されてきた変換後ファイル添付処理済メールを受信した後、本文内容表示処理手段９２２により、変換後ファイル添付処理済メール受信手段９２１により受信した変換後ファイル添付処理済メールについて、図２３に示す如く、ディスプレイ装置３１の画面上にメール本文の内容を表示する。
【０２８６】
図２３において、受信トレイ画面９７０には、「送受信」ボタン９７１と、表題一覧表示部９７２と、本文表示部９７３と、クリップマークで示された「添付ファイル一覧表示」ボタン９７４とが設けられている。また、「添付ファイル一覧表示」ボタン９７４を押すと、添付ファイル一覧表示部９７５が表示されるようになっている。なお、この受信トレイ画面９７０は、既存のメール閲覧用プログラム（例えば、マイクロソフト社のマイクロソフトアウトルックやアウトルックエクスプレス（各登録商標））により表示されている。但し、本第９実施形態のクライアント端末装置９２０で行う処理は、本発明を実行するための専用のメール閲覧用プログラムを用いて行ってもよい。
【０２８７】
ここで、受信者が「添付ファイル一覧表示」ボタン９７４を押すと、添付ファイル一覧表示部９７５には、変換後ファイル添付処理手段９５４により添付された変換後ファイル（例えば「下記の添付ファイルの内容確認.txt」等）と、元々付されていた添付ファイル（ここでは、４つの添付ファイルがあるものとする。）とが表示される。なお、ここでは、変換後ファイルは、拡張子が「.txt」のファイルとされているが、例えば「.exe」等の実行型の拡張子を有するファイルとしてもよい。受信者が、この「下記の添付ファイルの内容確認.txt」という変換後ファイルをクリックすると、変換後ファイルが開き、添付ファイル内容表示処理手段９２３により、図２４に示すような添付ファイル内容確認画面９８０が表示される。
【０２８８】
図２４において、添付ファイル内容確認画面９８０には、各添付ファイルの内容９８１が安全な形式（ここでは、一例としてテキスト形式）で表示されている。また、各添付ファイルの内容９８１の前（上側）には、添付ファイルのファイル名を含む見出し９８２と、ファイルタイプ・危険度９８３とが表示され、これにより、複数の添付ファイルが仕切られている。なお、見出し９８２やファイルタイプ・危険度９８３は、変換後ファイル添付処理手段９５４により、添付ファイルの内容９８１とともにファイル内に収められたものである。
【０２８９】
そして、受信者が、添付ファイル内容確認画面９８０に表示された各添付ファイルの内容９８１およびファイルタイプ・危険度９８３の表示を確認した後、適宜、入力手段３０を用いて、図２３の添付ファイル一覧表示部９７５で、元々付されていた添付ファイル（例えば「商品説明資料.doc」等）をクリックすると、添付ファイル開封・保存選択画面（図６の画面９０と類似の画面）が表示される。この選択画面での受信者の選択操作は、開封・保存受付処理手段９２４により受け付けられ、添付ファイルが開かれ、または実行され、あるいは添付ファイル記憶手段３２に保存される。
【０２９０】
このような第９実施形態によれば、次のような効果がある。すなわち、ウィルス感染防止システム９００は、変換処理手段９５３を備えているので、受信者は、クライアント端末装置９２０のディスプレイ装置３１の画面上で、添付ファイルの内容を安全な形式に変換された状態で確認することができ、受信者自らが添付ファイルを受信するか否かを判断することができる。このため、既存のウィルスを対象として行われるウィルス駆除処理により駆除することができない新種のウィルスであっても発見することができ、ウィルス感染防止機能の向上を図ることができる。
【０２９１】
また、変換後ファイル添付処理手段９５４は、変換後ファイルを、元々付されていた添付ファイルとは別の添付ファイルとして追加する形で添付する構成とされているので、添付ファイル内容の安全な形式での表示を実現するにあたり、クライアント端末装置９２０で既存のメール閲覧用プログラムを利用することができる。
【０２９２】
［変形の形態］
なお、本発明は前記各実施形態に限定されるものではなく、本発明の目的を達成できる範囲内での変形等は本発明に含まれるものである。
【０２９３】
すなわち、前記各実施形態では、電子メールの受信システムとして、第１のＰＯＰサーバ４０と、イントラネット６の内部に設けられた第２のＰＯＰサーバ５０等とを備えた多重のＰＯＰサーバによるシステム構築を行っていたが、本発明は、このような多重のＰＯＰサーバによる電子メールの受信システムへの適用に限定されるものではなく、一つのＰＯＰサーバの場合、あるいは前記各実施形態とは異なる組合せ形態のＰＯＰサーバの場合にも適用することができる。
【産業上の利用可能性】
【０２９４】
以上のように、本発明のウィルス感染防止システム、メール閲覧用プログラム、および添付ファイル閲覧用プログラムは、ＰＯＰサーバから電子メールを受信するクライアント端末装置での電子メールによるウィルス感染を防止する場合に用いるのに適している。
【図面の簡単な説明】
【０２９５】
【図１】本発明の第１実施形態のウィルス感染防止システムを含む電子メールの配信の仕組みの説明図。
【図２】第１実施形態のウィルス感染防止システムの全体構成図。
【図３】第１実施形態のウィルス感染防止システムによる処理の流れを示すフローチャートの図。
【図４】電子メールの構成図。
【図５】第１実施形態のウィルス感染防止システムによる処理に伴う第１の画面例を示す図。
【図６】第１実施形態のウィルス感染防止システムによる処理に伴う第２の画面例を示す図。
【図７】第１実施形態のウィルス感染防止システムによる処理に伴う第３の画面例を示す図。
【図８】本発明の第２実施形態のウィルス感染防止システムによる処理に伴う第１の画面例を示す図。
【図９】第２実施形態のウィルス感染防止システムによる処理に伴う第２の画面例を示す図。
【図１０】本発明の第３実施形態のウィルス感染防止システムの全体構成図。
【図１１】第３実施形態のウィルス感染防止システムによる処理の流れを示すフローチャートの図。
【図１２】第３実施形態のウィルス感染防止システムによる処理に伴う第１の画面例を示す図。
【図１３】第３実施形態のウィルス感染防止システムによる処理に伴う第２の画面例を示す図。
【図１４】第３実施形態のウィルス感染防止システムによる処理に伴う第３の画面例を示す図。
【図１５】第３実施形態のウィルス感染防止システムによる処理に伴う第４の画面例を示す図。
【図１６】本発明の第４実施形態のウィルス感染防止システムの全体構成図。
【図１７】本発明の第５実施形態のウィルス感染防止システムの全体構成図。
【図１８】本発明の第６実施形態のウィルス感染防止システムの全体構成図。
【図１９】本発明の第７実施形態のウィルス感染防止システムの全体構成図。
【図２０】本発明の第８実施形態のウィルス感染防止システムの全体構成図。
【図２１】第８実施形態のウィルス感染防止システムによる処理に伴う画面例を示す図。
【図２２】本発明の第９実施形態のウィルス感染防止システムの全体構成図。
【図２３】第９実施形態のウィルス感染防止システムによる処理に伴う第１の画面例を示す図。
【図２４】第９実施形態のウィルス感染防止システムによる処理に伴う第２の画面例を示す図。
【符号の説明】
【０２９６】
１０，２００，３００，４００，５００，６００，７００，８００，９００  ウィルス感染防止システム
２０，３２０，６２０，７２０，８２０，９２０  クライアント端末装置
２１  分離処理済メール受信手段
２２，７２２  本文内容表示処理手段
２３  変換後ファイル要求信号送信手段
２４  変換後ファイル受信手段
２５，６２６，７２４  添付ファイル内容表示処理手段
２６  添付ファイル要求信号送信手段
２７，６２４  添付ファイル受信手段
３１  ディスプレイ装置
５０，３５０，４５０，５５０，６５０，７５０，８５０，９５０  ＰＯＰサーバ
５３  分離処理手段
５４  分離処理済メール送信手段
５５，４５５，５５５，６２５，７２３，８５３，９５３  変換処理手段
５６，４５６，５５６  変換後ファイル送信手段
５７  添付ファイル送信手段
６０  上位メールボックス
６１，８６１，９６１  下位メールボックス
６２  添付ファイル保管ボックス
６３  変換後ファイル保管ボックス
３２７  合成処理済メール受信手段
３５７  合成処理手段
３５８  合成処理済メール送信手段
６２３  添付ファイル要求信号送信手段
７２１  メール受信手段
７６０  メールボックス
８５４  変換後データ付加処理手段
８５５  変換後データ付加処理済メール送信手段
９５４  変換後ファイル添付処理手段
９５５  変換後ファイル添付処理済メール送信手段
【図１】
2005157598.tif 000003
【図２】
2005157598.tif 000004
【図３】
2005157598.tif 000005
【図４】
2005157598.tif 000006
【図５】
2005157598.tif 000007
【図６】
2005157598.tif 000008
【図７】
2005157598.tif 000009
【図８】
2005157598.tif 000010
【図９】
2005157598.tif 000011
【図１０】
2005157598.tif 000012
【図１１】
2005157598.tif 000013
【図１２】
2005157598.tif 000014
【図１３】
2005157598.tif 000015
【図１４】
2005157598.tif 000016
【図１５】
2005157598.tif 000017
【図１６】
2005157598.tif 000018
【図１７】
2005157598.tif 000019
【図１８】
2005157598.tif 000020
【図１９】
2005157598.tif 000021
【図２０】
2005157598.tif 000022
【図２１】
2005157598.tif 000023
【図２２】
2005157598.tif 000024
【図２３】
2005157598.tif 000025
【図２４】
2005157598.tif 000026